(57)【要約】  【解決手段】  例えばトライアスロンなどの激しいスポーツの最中に遭遇される地面の力および／または種々の天候条件に曝されるユーザの足にクッションおよびサポートを提供する中敷きが、本明細書において開示される。この中敷きは、特定の特性を有するパッドおよびポッドを受け入れるように構成された凹所が画成されている下面を有する基部を有する。種々のパッドおよびポッドの位置および材料が挙動して、足首および足の安定化、優れたクッションの特徴、および靴の使用の最中の中敷きの移動への抵抗を提供する。  【選択図】      図５
2016530042.tif 000002
【特許請求の範囲】
【請求項１】
ユーザの足に接触する上部側と、ユーザの靴の内側に接触する底部側とを有し、靴内で使用する中敷きであって、
ａ．基部上面と基部下面とを有する基部であって、かかと側端部と、つま先側端部と、内側境界部と、外側境界部とをさらに有し、前記内側および外側境界部は、それぞれ該中敷きの内側および外側に沿って前記かかと側端部から前記つま先側端部まで延びているものであり、前記基部下面には、
（ｉ）前記つま先側端部から足の中足骨頭領域の背後の位置まで延びる足前部領域と、
（ｉｉ）前記中足骨頭領域から足の踵骨の前方に位置する縁部まで延びる中足部領域と、
（ｉｉｉ）前記中足部領域から前記かかと側端部まで延びるかかと領域と、
（ｉｖ）前記足前部領域に位置し、足の第１趾の下方において該基部の遠位端部の近くから第１中足骨頭の前方の近位まで延びる足前部パッド凹領域と、
（ｖ）実質的に足の前記中足部領域および前記かかと領域に沿って配置された安定用クレードル凹領域と
が画成されているものである、前記基部と、
ｂ．前記中足部領域に配置され、足の土踏まずの下方において前記内側境界部に沿って幅方向且つ上方に延びるアーチ支持部と、
ｃ．半剛体の材料で製作され、前記基部下面の前記安定用クレードル凹領域に固定された安定用クレードルであって、複数のポッド開口部を有し、複数のポッド構成要素は該開口部を通って延在することが可能となり、該安定用クレードルは小面化された下面を有するものである、前記安定用クレードルと、
ｄ．前記足前部パッド凹領域に固定され、外側かつ足の下位中足骨頭の下方近くから上位中足骨の下方まで延びる足前部パッドと、
ｅ．前記安定用クレードルの外側かかとポッド開口部を通って延在し、前記かかと領域の外側部に配置された外側かかとポッドであって、下面に交差溝パターン有するものである、前記外側かかとポッドと、
ｆ．前記かかと領域の内側部に配置され、内側かかとポッド開口部を通って延在する内側かかとポッドであって、該内側かかとポッドは、前記外側かかとポッド構成要素から溝によって形成された間隙によって分離され、下面に交差溝パターンを有するものである、前記内側かかとポッドと
を有する中敷き。
【請求項２】
請求項１記載の中敷きにおいて、前記かかとの内側部の下方に配置された前記内側かかとポッドは、前記外側かかとポッドの材料よりも硬質の材料で製作されるものである中敷き。
【請求項３】
請求項２記載の中敷きにおいて、前記外側かかとポッドの硬度は、ショア（Ｓｈｏｒｅ）  Ｃで４５〜５０の範囲であり、前記内側かかとポッドの硬度は、ショア（Ｓｈｏｒｅ）  Ｃで約６０である中敷き。
【請求項４】
請求項２記載の中敷きにおいて、前記外側かかとポッドの硬度は、ショア（Ｓｈｏｒｅ）  Ｃで５０〜５５の範囲であり、前記内側かかとポッドの硬度は、ショア（Ｓｈｏｒｅ）  Ｃで約６５〜７０の範囲である中敷き。
【請求項５】
請求項２記載の中敷きにおいて、前記ポッドの硬度は、回内の速度を制御するように選択されるものである中敷き。
【請求項６】
請求項２記載の中敷きにおいて、前記ポッドの硬度は、該中敷きが設計される活動の種類にもとづいて選択されるものである中敷き。
【請求項７】
請求項１記載の中敷きにおいて、前記安定用クレードルは、足趾離地の際に第１中足骨の屈曲を可能にするような形状に形成されるものである中敷き。
【請求項８】
請求項１記載の中敷きにおいて、さらに、
該中敷きの前記外側に沿って前記中足部領域に配置され、外側中足部ポッド開口部を通って延在する外側中足部ポッドを有し、該外側中足部ポッドは下面に交差溝パターンをを有するものである中敷き。
【請求項９】
請求項８記載の中敷きにおいて、前記ポッドの硬度は、回内の速度を制御するように選択されるものである中敷き。
【請求項１０】
請求項８記載の中敷きにおいて、前記ポッドの硬度は、該中敷きが設計される活動の種類にもとづいて選択されるものである中敷き。
【請求項１１】
ユーザの足に接触する上部側と、ユーザの靴の内側に接触する底部側とを有し、靴内で使用する中敷きであって、
ａ．基部上面と基部下面とを有する基部であって、かかと側端部と、つま先側端部と、内側境界部と、外側境界部とをさらに有し、前記内側および外側境界部は、それぞれ該中敷きの内側および外側に沿って前記かかと側端部から前記つま先側端部まで延びているものである、前記基部と、
ｂ．足の土踏まずの下方において前記内側境界部に沿って幅方向且つ上方に延びるアーチ支持部と、
ｃ．半剛体の材料で製作され、安定用リブを有する安定用クレードルであって、複数のポッド開口部を有し、ポッド構成要素は該開口部を通って延在することが可能となり、該安定用クレードルは小面化された下面を有するものである、前記安定用クレードルと、
ｄ．前記かかと領域の外側部ににおいて前記安定用クレードルの外側かかとポッド開口部を通って延在する外側かかとポッドであって、下面に交差溝パターンを有するものである、前記外側かかとポッドと、
ｅ．前記かかと領域の内側部において内側かかとポッド開口部を通って延在する内側かかとポッドであって、該内側かかとポッドは、前記外側かかとポッド構成要素から間隙によって分離され、下面に交差溝パターンを有するものである、前記内側かかとポッドと、
ｆ．該中敷きの外側に沿って前記中足部領域に配置され、外側中足部ポッド開口部を通って延在する外側中足部ポッドであって、下面に交差溝パターンを有するものである、前記外側中足部ポッドと
を有する中敷き。
【請求項１２】
請求項１１記載の中敷きにおいて、前記かかとの内側部の下方に配置された前記内側かかとポッドは、前記外側かかとポッドの材料よりも硬質の材料で製作されるものである中敷き。
【請求項１３】
請求項１２記載の中敷きにおいて、前記外側かかとポッドの硬度は、ショア（Ｓｈｏｒｅ）  Ｃで４５〜５０の範囲であり、前記内側かかとポッドの硬度は、ショア（Ｓｈｏｒｅ）  Ｃで約６０である中敷き。
【請求項１４】
請求項１２記載の中敷きにおいて、前記外側かかとポッドの硬度は、ショア（Ｓｈｏｒｅ）  Ｃで５０〜５５の範囲であり、前記内側かかとポッドの硬度は、ショア（Ｓｈｏｒｅ）  Ｃで約６５〜７０の範囲である中敷き。
【請求項１５】
請求項１２記載の中敷きにおいて、前記ポッドの硬度は、回内の速度を制御するように選択されるものである中敷き。
【請求項１６】
請求項１２記載の中敷きにおいて、前記ポッドの硬度は、該中敷きが設計される活動の種類にもとづいて選択されるものである中敷き。
【請求項１７】
請求項１１記載の中敷きにおいて、前記安定用クレードルは、足趾離地の際に第１中足骨の屈曲を可能にするような形状に形成されるものである中敷き。
【請求項１８】
請求項１１記載の中敷きにおいて、前記外側中足部ポッドは、内側かかとポッドに使用される材料よりも柔らかい材料で製作される中敷き。
【請求項１９】
請求項１８記載の中敷きにおいて、前記外側中足部ポッドの硬度は、ショア（Ｓｈｏｒｅ）  Ｃで４５〜５０の範囲であり、前記内側かかとポッドの硬度は、ショア（Ｓｈｏｒｅ）  Ｃで約６０である中敷き。
【請求項２０】
請求項１８記載の中敷きにおいて、前記外側中足部ポッドの硬度は、ショア（Ｓｈｏｒｅ）  Ｃで５０〜５５の範囲であり、前記内側かかとポッドの硬度は、ショア（Ｓｈｏｒｅ）  Ｃで約６５〜７０の範囲である中敷き。
【請求項２１】
靴の中における足の運動を制御するためのクッションを製作する方法であって、
基部上面と基部下面とを有する基部を提供する工程であって、
前記基部は、かかと側端部と、つま先側端部と、内側境界部と、外側境界部とをさらに有し、前記内側および外側境界部は、前記かかと側端部から前記つま先側端部まで延びているものであり、
前記基部下面には、
（ａ）前記つま先側端部から足の中足骨頭領域の背後の位置まで延びる足前部領域と、
（ｂ）前記中足骨頭領域から足の踵骨の前方に位置する縁部まで延びる中足部領域と、
（ｃ）前記中足部領域から前記かかと側端部まで延びるかかと領域と
が画成されているものである、
前記基部を提供する工程と、
安定用クレードルを前記基部に結合させる工程であって、
前記安定用クレードルは、半剛体の材料で製作され、実質的に足の前記中足部領域および前記かかと領域に沿って配置された前記基部下面の安定用クレードル凹領域に固定されるものであり、
前記安定用クレードルは、複数のポッド開口部を有し、複数のポッド構成要素は該開口部を通ってを延在することが可能となるものであり、
前記安定用クレードルは、小面化された表面を有するものである、
前記基部に結合させる工程と、
足の土踏まずの下方において前記内側境界部に沿って幅方向且つ上方に延びるアーチ支持部を前記基部に結合させる工程と、
外側かつ足の下位中足骨頭の下方近くから上位中足骨の下方まで延びる足前部パッドを前記基部に結合させる工程と、
相互作用し協働するポッド構成要素を前記安定用クレードルのポッド開口部に挿通して延在させる工程であって、前記ポッド構成要素は、前記かかと領域の外側部に配置された外側かかとポッドと、該外側かかとポッドから分離され、前記かかと領域の内側部に配置された内側かかとポッドと、前記中敷きの前記中足部領域の外側部に配置された外側中足部ポッドとを含み、前記ポッド構成要素は下面に交差溝パターンを有するものである、前記延在させる工程と
を有する方法。
【請求項２２】
請求項２１記載の方法において、前記内側かかとポッドは、前記外側かかとポッドの材料よりも硬質の材料で製作されるものである方法。
【請求項２３】
請求項２２記載の方法において、前記外側かかとポッドの硬度は、ショア（Ｓｈｏｒｅ）  Ｃで４５〜５０の範囲であり、前記内側かかとポッドの硬度は、ショア（Ｓｈｏｒｅ）  Ｃで約６０である方法。
【請求項２４】
請求項２２記載の方法において、前記外側かかとポッドの硬度は、ショア（Ｓｈｏｒｅ）  Ｃで５０〜５５の範囲であり、前記内側かかとポッドの硬度は、ショア（Ｓｈｏｒｅ）  Ｃで約６５〜７０の範囲である方法。
【請求項２５】
請求項２１記載の方法において、前記内側かかとポッドは、前記外側中足部ポッドの材料よりも硬質の材料で製作される方法。
【請求項２６】
請求項２５記載の方法において、前記外側中足部ポッドの硬度は、ショア（Ｓｈｏｒｅ）  Ｃで４５〜５０の範囲であり、前記内側かかとポッドの硬度は、ショア（Ｓｈｏｒｅ）  Ｃで約６０である方法。
【請求項２７】
請求項２５記載の方法において、前記外側中足部ポッドの硬度は、ショア（Ｓｈｏｒｅ）  Ｃで５０〜５５の範囲であり、前記内側かかとポッドの硬度は、ショア（Ｓｈｏｒｅ）  Ｃで約６５〜７０の範囲である方法。
【請求項２８】
請求項２２および２５記載の方法において、前記ポッドの硬度は、回内の速度を制御するように選択されるものである方法。
【請求項２９】
請求項２２および２５記載の方法において、前記ポッドの硬度は、前記中敷きが設計される活動の種類にもとづいて選択されるものである方法。
【請求項３０】
請求項２１記載の方法において、前記安定用クレードルは、足趾離地の際に第１中足骨の屈曲を可能にするような形状に形成されるものである方法。
【請求項３１】
請求項２１記載の方法において、前記基部は、ＥＶＡ発泡体材料を有するものである方法。
【発明の詳細な説明】
【技術分野】
【０００１】
本発明は、クロストレーニングおよびトライアスロンスポーツ活動を行う着用者の足への改善されたクッションおよびサポートを有する靴の中敷きに関する。
【背景技術】
【０００２】
人間の足は、きわめて複雑な生物学的機構である。人間が歩行するとき、かかとでの接地の際の足への荷重は、典型的には体重の約１．５倍である。ランニングまたはバックパックなどの余分の重量を運んでいるとき、足への荷重は、体重の３倍を超える可能性がある。足の多数の骨、筋肉、靱帯、および腱が、衝撃力を吸収して逃がし、身体および他の荷物の重量を支え、前進のための力をもたらすように機能する。適切に設計された靴の中敷きは、これらの機能の実行において足を補助し、足を怪我から保護することができる。
【０００３】
中敷きを、個人の個々のニーズに対処すべく特注で製作することができる。特注の中敷きを、エンドユーザの足の鋳造物にもとづいて製作することができ、あるいはエンドユーザの足の外形へと成形される熱可塑性材料で製作することができる。多くの特注の品物と同様に、特注の中敷きは、量が少なく、それらを適切に製作してフィットさせるために長い時間が必要であるため、高価になりがちである。したがって、そのような特注の中敷きを一般大衆向けに製作することは、現実的でない。
【０００４】
一般大衆への販売に関して現実的となるために、中敷きは、個人ごとの調節およびフィッティングを必要とすることなく、ユーザに利益を提供することが可能でなければならない。出来合いにて普通に入手することができる第１の種類の中敷きは、衝撃の吸収を最大にするように、足にクッションをもたらすことを重要視している。典型的な個人にとって、クッション性の中敷きは、歩行またはランニングなどの軽度〜中程度の活動を行うとき、適切に機能する。すなわち、クッション性の中敷きは、そのような活動について充分なクッションおよびサポートを提供する。しかしながら、重いバックパックの携行または困難な地形の横断など、より活発または技術的に困難であるがやりがいのある活動に関しては、典型的なクッション性の中敷きは、適切でないかもしれない。そのような条件下で、クッション性の中敷きは、それだけでは充分な支持および制御を提供することができず、使用時にクッション性の中敷きが完全に圧縮されることによって底づきを生じがちである。
【０００５】
別の種類の出来合いの中敷きは、制御を重要視している。典型的には、そのような中敷きは、足の動きを制限することによって足の曲げおよびねじりを制御するために、比較的堅くて剛直であるように製作される。剛直な構造は、動きの制御が得意であるが、あまり寛容ではない。結果として、足の動きが剛直な構造によって強いられる限界に達するとき、足への荷重が急激に変化し、足の構造への荷重が増加する傾向にある。腱および靱帯などの生物組織は、荷重が加わる速度に敏感であるため、荷重の急激な変化は、足、足首、または脚の怪我または損傷を引き起こす。
【０００６】
以上に鑑み、クッション性および制御の両方を提供する出来合いの中敷きを提供することが、望ましいと考えられる。また、クッション性および制御の両方を提供し、クロストレーニングまたはトライアスロン関連の活動における一般大衆による使用にとって有用な中敷きを提供することも、望ましいと考えられる。
【０００７】
本出願の出願人は、安定用クレードルと安定用クレードルに位置する複数のポッドとを有する中敷きについて、特許を受けている。これらの特許は、米国特許第７，４８４，３１９号、第７，６６５，１６９号、第７，９０８，７６８号、および第８，２５０，７８４号を含む。しかしながら、これらの特許は、靴の使用の最中の中敷きの移動の可能性に対処しておらず、あるいは例えばトライアスロンに向けた絶えず続くランニングのトレーニングに対応するためのクッション性のさらなる改善をもたらしていない。
【０００８】
現時点において、（１）足首および足の安定性の向上をもたらし、（２）蹴り出しおよび着地の際にかかとおよび足前部にクッションをもたらし、（３）すべてのランニングおよびクロストレーニング靴の内部の形状に合わせた輪郭を示し、（４）きわめて軽量であり、（５）クッション性の向上をもたらし、（６）靴の使用および履き替えの際に動いたり、あるいは滑ったりすることが基本的にない、という目標を達成する靴の中敷きについて、ニーズが存在する。  
【発明の概要】
【発明が解決しようとする課題】
【０００９】
さらに、本発明の目的は、クッション性および制御の両方を提供し、一般大衆による使用に有用な中敷き（ｉｎｓｏｌｅ）を提供することにある。本発明の上述の目的および利点ならびに他の目的および利点は、動きの制御およびクッション性の両方を提供する中敷きによってもたらされる。この中敷きは、足のクッション性および動きの制御の所望の組み合わせを達成するように協働する相互作用する部品からなるシステムを含む。部品は、発泡体コア、半剛体または剛体の安定用クレードル、ならびにいくつかのエラストマポッドおよびパッドを含む。部品の特性、サイズおよび形状、ならびに位置が、クッション性と制御との所望の調和をもたらし、より具体的には所望の生物力学的機能を達成するように選択される。  
【課題を解決するための手段】
【００１０】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【００１１】
本発明の好ましい実施形態において、中敷きの部品が、意図される活動の種類または分類に合わせて設計された中敷きを生み出すように、互いに恒久的に取り付けられる。多数の中敷きの設計を、広い範囲の異なる活動に対応するように作り出すことができる。本発明の一実施形態において、中敷きは、異なる特性を有するいくつかの互いに交換可能なポッドを含むキットを有する。そのようなキットを使用して、エンドユーザは、ポッドを選択的に取り替えて、特定の活動に対応するように中敷きをカスタマイズすることができる。
【００１２】
本発明は、これらに限られるわけではないが、（１）横断する安定用リブを有する小面化された安定用クレードル、（２）複数のポッド、（３）足前部パッド、（４）ポッドおよび足前部パッドの底面の交差溝パターン、ならびに（５）ひすい輝石の冷却用上部布を備える中敷きである。本発明は、（１）足首および足の安定性を改善し、（２）蹴り出しおよび着地の際にかかとおよび足前部にクッションをもたらし、（３）靴の使用および履き替えの際の中敷きの動きまたは滑りの防止を助け、（４）ランニングおよびクロストレーニングの運動の際にかかと、中足部、土踏まず、および足前部に向上したクッションの特徴を提供する、という目標を達成する。
【図面の簡単な説明】
【００１３】
【図１】図１は、本発明の原理による中敷きの例示の実施形態の下方からの分解斜視図である。
【図２】図２は、中敷きの基部を示す下方からの斜視図である。
【図３Ａ】図３Ａは、安定用クレードルの底面図である。
【図３Ｂ】図３Ｂは、安定用クレードルの下方からの斜視図である。
【図４】図４は、中敷きの上面図（足の甲側からの図）である。
【図５】図５は、中敷きの底面図（足の裏側からの図）である。
【図６】図６は、中敷きを身体外側から見た図（外側の側面図）である。
【図７】図７は、中敷きを身体内側から見た図（内側の側面図）である。
【図８】図８は、中敷きの後面図（足の基部側からの図）である。
【図９】図９は、９−９に沿った中敷きの縦断面図である。
【図１０】図１０は、１０−１０に沿った中敷きの中足骨領域の後方の横断面図である。
【図１１】図１１は、１１−１１に沿った中敷きの土踏まず領域の横断面図である。
【図１２】図１２は、１２−１２に沿った中敷きのかかと領域の横断面図である。
【図１３】図１３は、中敷きの底面図（足の裏側からの図）に重ねられた足の骨の図である。
【図１４】図１４は、中敷きの種々の領域を示す底面図である。
【図１５Ａ】図１５Ａは、好ましい実施形態またはトライアスロン競走のための中敷きを示している。
【図１５Ｂ−１】図１５Ｂは、好ましい実施形態またはトライアスロン競走のための中敷きを示している。
【図１５Ｂ−２】図１５Ｂは、好ましい実施形態またはトライアスロン競走のための中敷きを示している。
【図１５Ｂ−３】図１５Ｂは、好ましい実施形態またはトライアスロン競走のための中敷きを示している。
【図１５Ｂ−４】図１５Ｂは、好ましい実施形態またはトライアスロン競走のための中敷きを示している。
【図１５Ｂ−５】図１５Ｂは、好ましい実施形態またはトライアスロン競走のための中敷きを示している。
【図１５Ｂ−６】図１５Ｂは、好ましい実施形態またはトライアスロン競走のための中敷きを示している。
【図１５Ｂ−７】図１５Ｂは、好ましい実施形態またはトライアスロン競走のための中敷きを示している。
【図１５Ｂ−８】図１５Ｂは、好ましい実施形態またはトライアスロン競走のための中敷きを示している。
【図１５Ｂ−９】図１５Ｂは、好ましい実施形態またはトライアスロン競走のための中敷きを示している。
【図１５Ｂ−１０】図１５Ｂは、好ましい実施形態またはトライアスロン競走のための中敷きを示している。
【図１５Ｃ−１】図１５Ｃは、好ましい実施形態またはトライアスロン競走のための中敷きを示している。
【図１５Ｃ−２】図１５Ｃは、好ましい実施形態またはトライアスロン競走のための中敷きを示している。
【図１５Ｃ−３】図１５Ｃは、好ましい実施形態またはトライアスロン競走のための中敷きを示している。
【図１５Ｃ−４】図１５Ｃは、好ましい実施形態またはトライアスロン競走のための中敷きを示している。
【図１５Ｃ−５】図１５Ｃは、好ましい実施形態またはトライアスロン競走のための中敷きを示している。
【図１５Ｃ−６】図１５Ｃは、好ましい実施形態またはトライアスロン競走のための中敷きを示している。
【図１５Ｃ−７】図１５Ｃは、好ましい実施形態またはトライアスロン競走のための中敷きを示している。
【図１５Ｃ−８】図１５Ｃは、好ましい実施形態またはトライアスロン競走のための中敷きを示している。
【図１５Ｄ−１】図１５Ｄは、好ましい実施形態またはトライアスロン競走のための中敷きを示している。
【図１５Ｄ−２】図１５Ｄは、好ましい実施形態またはトライアスロン競走のための中敷きを示している。
【図１５Ｄ−３】図１５Ｄは、好ましい実施形態またはトライアスロン競走のための中敷きを示している。
【図１５Ｄ−４】図１５Ｄは、好ましい実施形態またはトライアスロン競走のための中敷きを示している。
【図１５Ｄ−５】図１５Ｄは、好ましい実施形態またはトライアスロン競走のための中敷きを示している。
【図１５Ｅ−１】図１５Ｅは、好ましい実施形態またはトライアスロン競走のための中敷きを示している。
【図１５Ｅ−２】図１５Ｅは、好ましい実施形態またはトライアスロン競走のための中敷きを示している。
【図１５Ｅ−３】図１５Ｅは、好ましい実施形態またはトライアスロン競走のための中敷きを示している。
【図１５Ｅ−４】図１５Ｅは、好ましい実施形態またはトライアスロン競走のための中敷きを示している。
【図１６Ａ−１】図１６Ａは、第２の好ましい実施形態またはトライアスロンのトレーニングのための中敷きを示している。
【図１６Ａ−２】図１６Ａは、第２の好ましい実施形態またはトライアスロンのトレーニングのための中敷きを示している。
【図１６Ａ−３】図１６Ａは、第２の好ましい実施形態またはトライアスロンのトレーニングのための中敷きを示している。
【図１６Ａ−４】図１６Ａは、第２の好ましい実施形態またはトライアスロンのトレーニングのための中敷きを示している。
【図１６Ａ−５】図１６Ａは、第２の好ましい実施形態またはトライアスロンのトレーニングのための中敷きを示している。
【図１６Ａ−６】図１６Ａは、第２の好ましい実施形態またはトライアスロンのトレーニングのための中敷きを示している。
【図１６Ａ−７】図１６Ａは、第２の好ましい実施形態またはトライアスロンのトレーニングのための中敷きを示している。
【図１６Ａ−８】図１６Ａは、第２の好ましい実施形態またはトライアスロンのトレーニングのための中敷きを示している。
【図１６Ａ−９】図１６Ａは、第２の好ましい実施形態またはトライアスロンのトレーニングのための中敷きを示している。
【図１６Ａ−１０】図１６Ａは、第２の好ましい実施形態またはトライアスロンのトレーニングのための中敷きを示している。
【図１６Ｂ−１】図１６Ｂは、第２の好ましい実施形態またはトライアスロンのトレーニングのための中敷きを示している。
【図１６Ｂ−２】図１６Ｂは、第２の好ましい実施形態またはトライアスロンのトレーニングのための中敷きを示している。
【図１６Ｂ−３】図１６Ｂは、第２の好ましい実施形態またはトライアスロンのトレーニングのための中敷きを示している。
【図１６Ｂ−４】図１６Ｂは、第２の好ましい実施形態またはトライアスロンのトレーニングのための中敷きを示している。
【図１６Ｂ−５】図１６Ｂは、第２の好ましい実施形態またはトライアスロンのトレーニングのための中敷きを示している。
【図１６Ｂ−６】図１６Ｂは、第２の好ましい実施形態またはトライアスロンのトレーニングのための中敷きを示している。
【図１６Ｂ−７】図１６Ｂは、第２の好ましい実施形態またはトライアスロンのトレーニングのための中敷きを示している。
【図１６Ｂ−８】図１６Ｂは、第２の好ましい実施形態またはトライアスロンのトレーニングのための中敷きを示している。
【図１６Ｃ−１】図１６Ｃは、第２の好ましい実施形態またはトライアスロンのトレーニングのための中敷きを示している。
【図１６Ｃ−２】図１６Ｃは、第２の好ましい実施形態またはトライアスロンのトレーニングのための中敷きを示している。
【図１６Ｃ−３】図１６Ｃは、第２の好ましい実施形態またはトライアスロンのトレーニングのための中敷きを示している。
【図１６Ｃ−４】図１６Ｃは、第２の好ましい実施形態またはトライアスロンのトレーニングのための中敷きを示している。
【図１６Ｃ−５】図１６Ｃは、第２の好ましい実施形態またはトライアスロンのトレーニングのための中敷きを示している。
【図１６Ｄ−１】図１６Ｄは、第２の好ましい実施形態またはトライアスロンのトレーニングのための中敷きを示している。
【図１６Ｄ−２】図１６Ｄは、第２の好ましい実施形態またはトライアスロンのトレーニングのための中敷きを示している。
【図１６Ｄ−３】図１６Ｄは、第２の好ましい実施形態またはトライアスロンのトレーニングのための中敷きを示している。
【図１６Ｄ−４】図１６Ｄは、第２の好ましい実施形態またはトライアスロンのトレーニングのための中敷きを示している。
【発明を実施するための形態】
【００１４】
かかとカップと、或る程度の長手方向内側のアーチの支持とを有するすべての中敷きは、回内のわずかな（数度の）「制御」を提供すると思われる。長手方向内側のアーチの支持の程度は、研究の証拠にもとづいて、わずか数度である。回内の「制御」は、足後部の関節の周囲に作用する回外のモーメントの増加および回内のモーメントの大きさの減少を意味する。
【００１５】
本発明は、これらに限られるわけではないが、（１）複数の安定用リブを有する小面化（ｆａｃｅｔｅｄ）された安定用クレードル、（２）複数のポッド、（３）足前部パッド、（４）ポッドおよび足前部パッドの底面の交差溝パターン、ならびに（５）ひすい輝石（ｊａｄｅｉｔｅ）の冷却用上部布を備える中敷きである。本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。本発明は、（１）足首および足の安定性を改善し、（２）蹴り出しおよび着地の際にかかとおよび足前部にクッションをもたらし、（３）靴の使用および履き替えの際の中敷きの動きまたは滑りの防止を助け、（４）ランニングおよびクロストレーニングの運動の際にかかと、中足部、土踏まず、および足前部に向上したクッションの特徴を提供する、という目標を達成する。
【００１６】
図１〜１６を参照し、本発明の原理に従って構成される中敷きが開示される。中敷きが、一般に、ユーザの靴の内側に挿入されるように構成されることを、理解すべきである。ユーザの右の靴および左の靴は、互いに鏡像であり、右の靴および左の靴にそれぞれ挿入されるように構成される中敷きも、同様である。左の中敷きだけが、図示されている。右の中敷きが、左の中敷きの鏡像の構成を有することを、当業者であれば理解できるであろう。
【００１７】
本発明の中敷きは、運動靴の底の内部と基本的に同様の形状に形成される（したがって、休息時とおおむね同様の形状を有するユーザの足を受けるように構成される）。中敷きは、かかと側端部（基部側）からつま先側端部（遠位端部）へと延びており、足の土踏まず側に位置し、中敷きの土踏まず側に沿って前記つま先側端部を前記かかと側端部へと接続している内側境界部または内側と、その他方側に位置し、中敷きの他方側において前記つま先側端部を前記かかと側端部へと接続している外側境界部または外側とを有する。さらに、中敷きは、足前部領域（足の中足骨および趾骨に関連する領域）と、（内側に沿った）土踏まず領域と、（かかと側端部の直前の）かかと領域と、（かかと領域と足前部領域間の）中足部領域とを有する。
【００１８】
図１の分解図に示されるように、中敷き１００は、好ましくは、上部シート１０１と、基部１０２とを有し、基部１０２は、前記上部シートへと固定される上面と、反対側の下面とを有している。基部１０２には、中敷きの内側に沿って上方へと延び、足の土踏まず領域に追加のクッションおよび支持を提供する長手方向のアーチ支持部（ｌｏｎｇｉｔｕｄｉｎａｌ  ａｒｃｈ  ｓｕｐｐｏｒｔ）１１９がさらに画成されている。
【００１９】
好ましくは、基部の上面に、足の中足骨頭領域の下方に位置し、上方へと延びる部分または幅方向のアーチ支持部（ｔｒａｎｓｖｅｒｓｅ  ａｒｃｈ  ｓｕｐｐｏｒｔ）が画成される（図４および１０に最も良く示されている）。幅方向のアーチ支持部の上方への延びは、上部シート１０１のうちの幅方向のアーチ支持部の領域に対応する部分を押し上げる。
【００２０】
基部１０２の下面には、足前部領域の足前部パッド凹領域１０７と、中足部領域およびかかと領域に沿った安定用クレードル凹領域１０５が画成される。さらに、基部１０２の下面には、土踏まず領域に沿って外へと延びる１若しくはそれ以上のリブまたは突出部１３２が画成される。リブ１３２は、好ましくは、楔状骨の周囲においてより長く、楔状骨から遠位端部方向および基部方向に進むにつれて次第に短くなり、放物線状の全体形状を生み出している。別の実施形態は、安定用クレードル１０６によって定められ、土踏まず領域において安定用クレードル１０６から外へと延びるリブまたは突出部を有する。
【００２１】
基部１０２は、中敷きが足の自然の形状に一致するかかとカップを有するように、かかとを包み込み、足の側面に沿って部分的に延びる立ち上がった縁部を有する。図１０〜１２に最も良く見て取ることができるとおり、立ち上がった縁部の高さは、通常は、中敷きの内側においてより高くかつより厚く、中敷きの外側においてより低くかつより薄い。
【００２２】
足前部パッド凹領域１０７は、足の基節骨の遠位端部の付近において、中敷きのつま先側端部から或る程度基部側において始まる。足前部パッド凹領域１０７は、外側部分において第３〜第５中足骨頭の辺りまで後方へと延び、内側部分において第１および第２中足骨に沿ってほぼ中間まで後方へと延びている。好ましくは、足前部パッド凹領域１０７は、第１および第２中足骨の間に位置する後端１５７を有する。
【００２３】
足前部パッド１０８が、足前部パッド凹領域１０７と基本的に同じに形作られ、足前部パッド凹領域１０７に固定される。足前部パッド１０８は、内側縁部と、外側縁部と、基部側縁部（後ろ側縁部）と、遠位端部側縁部（前側縁部）とを有する。足前部パッド１０８の内側縁部は、前記中敷きの前記内側境界部から外側へと離れて位置する線に沿って延びている。基部側縁部は、前記内側縁部から外側および基部側へと前記後端１５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１０７および足前部パッド１０８は、ユーザの足の第１中足骨頭または内側球を除くユーザの足の親指および足の「母指球」の下方に位置する。図１１が、中敷きにおける足の骨の配置を示している。
【００２４】
接着剤が、部品を固定するために使用される。足前部パッド１０８は、垂直跳びからの着地時にクッション性およびエネルギの戻りをもたらす。ユーザの足の中足骨頭、とりわけ第１および第２中足骨頭のための推進パッドおよびサポートとして機能する。
【００２５】
より丈夫な材料を使用することで、足の中敷きのこの部分により柔らかい材料を使用する中敷きと比べて、中敷きの耐久性は３５％〜６５％向上すると推定される。
【００２６】
安定用クレードル凹領域１０５は、基部１０２の下面の中足部領域およびかかと領域に位置する。安定用クレードル凹領域１０５は、基部の内側境界部に近い内側縁部から外側境界部に近い外側縁部まで延び、かつ基部の足前部凹領域１０７のわずかに基部側の遠位端部側縁部からかかと側端部に近い基部側縁部まで延びている。遠位端部側縁部の内側部分は、足趾離地時の第１中足骨の下方への運動に適応するような形状に形成されている。安定用クレードル１０６は、安定用クレードル凹領域１０５と基本的に同じに形作られ、基部対向面と靴対向面とを有する。基部対向面は、前記安定用クレードル凹領域１０５へと固定される。
【００２７】
安定用クレードル１０６は、基部１０２の側面および後部を包んで足にサポートを提供する壁を有する。好ましくは、安定用クレードル１０６は、厚さが約０．５ｍｍ〜３ｍｍの範囲であり、壁が、約３ｍｍから約０．５ｍｍへと先細りである。安定用クレードル１０６の側面は、好ましくは、足の内側において、荷重がより大きいがゆえにより高い。好ましくは、安定用クレードル１０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【００２８】
好ましくは、安定用クレードル１０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換または取り替え、あるいはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【００２９】
安定用クレードル１０６には、好ましくは、１若しくはそれ以上のリブ状の開口部１３１が画成される。好ましい実施形態において、リブ状の開口部１３１は、基部１０２の前記リブ１３２がリブ状の開口部１３１を通って延びることを可能にする。好ましくは、基部１０２が、リブ１３２がリブ状の開口部１３１へと突出するように成形されることで、リブ１３２が安定用クレードル１０６の外面とほぼ同一面になり、安定用クレードル１０６と基部１０２とを一体に機械的に係止する。好都合には、リブ１３２が、基部１０２が（例えば、歩行またはランニング中に）圧縮されたときにリブ状の開口部１３１を通って張り出し、足の土踏まずにさらなるクッションおよびサポートをもたらすこともできる。好ましくは、前記リブ１３２は、外へと約０．５０ｍｍ〜１．５ｍｍ延び、約４ｍｍの幅を有する。リブ状の開口部１３１は、安定用クレードル１０６が土踏まず領域において安定用クレードル１０６の他の部分と比べてより柔軟になることを可能にする。
【００３０】
別の実施形態においては、安定用クレードル１０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【００３１】
安定用クレードル１０６には、第３〜第５中足骨頭の背後から基部側へと立方骨の後ろまで延びる外側中足部ポッド開口部１１１が画成される。外側中足部ポッド開口部１１１の長さは、好ましくは、中足部の外側面にクッションをもたらすために充分である。外側中足部ポッド１１２が、基本的に外側中足部ポッド開口部１１１と同じに形作られ、外側中足部ポッド開口部１１１に相関し、外側中足部ポッド１１２が前記外側中足部ポッド開口部１１１を通って延出することを可能にする位置において、安定用クレードル凹領域１０５内の基部１０２の下面に固定される。
【００３２】
外側中足部ポッド１１２は、好ましくは、ＡＳＫＥＲ  Ｃ硬度が約４５〜５０であるＴＰＲまたはＰＵから作られる。ＴＰＲが使用される場合、次に布地が、前記基部１０２の外側中足部ポッド開口部１１１において基部１０２へと固定される。この布地部品は、ＴＰＲの基部１０２への適切な接着を可能にする。
【００３３】
さらに、安定用クレードル１０６には、外側中足部ポッド開口部１１１のほぼ後方からかかと側端部に向かって安定用クレードル１０６のかかと領域の外側を貫いて延びる外側かかとポッド開口部１１３が画成される。外側かかとポッド１１４が、基本的に外側かかとポッド開口部１１３と同じに形作られ、外側かかとポッド開口部１１３に相関し、外側かかとポッド１１４が前記外側かかとポッド開口部１１３を通って延出することを可能にする位置において、安定用クレードル凹領域１０５内の基部１０２の下面に固定される。外側かかとポッド１１４は、中敷き１００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１１４は、内側曲線縁部をさらに有する。全体構成は、大まかには直線よりもむしろ上述の湾曲した縁部を有する多面の幾何学的形状である。
【００３４】
外側かかとポッド１１４の構成、材料、および位置が、クッションを提供し、内側かかとポッド１１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１０２の外側かかとポッド開口部１１３において基部１０２へと固定される。この布地部品は、ＴＰＲの基部１０２への適切な接着を可能にする。
【００３５】
安定用クレードル１０６には、かかと側端部にわずかに届かない基部１０２の下面のかかと領域の内側に沿ってかかと領域を貫いて延びている内側かかとポッド開口部１１５が画成される。内側かかとポッド１１６が、基本的に内側かかとポッド開口部１１５と同じに形作られ、内側かかとポッド開口部１１５に相関し、内側かかとポッド１１６が前記内側かかとポッド開口部１１５を通って延出することを可能にする位置において、安定用クレードル凹領域１０５内の基部１０２の下面に固定される。内側かかとポッド１１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【００３６】
内側かかとポッド１１６は、好ましくは、ＡＳＫＥＲ  Ｃ硬度が約６０±３であるＴＰＲまたはＰＵから作られる。ＴＰＲが使用される場合、次に布地が、前記基部１０２の内側かかとポッド開口部１１５において基部１０２へと固定される。この布地部品は、ＴＰＲの基部１０２への適切な接着を可能にする。
【００３７】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１１４は、踵骨（かかと骨）の後ろかつ外側に沿って配置され、安定用クレードル１０６の下方を外側へと延びる。好ましくは、外側かかとポッド１１４は、適切なクッション性を有する材料で製作され、意図される活動の種類にもとづいて選択される。
【００３８】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる可能性がある。
【００３９】
安定用クレードル１０６は、回内の量の制御に役立つように、足の内側部分に沿ってしっかりとした支持を提供する。内側かかとポッド１１６が、内側かかとポッド１１６を外側かかとポッド１１４とは異なる特性を有する材料から形成することによって、回内の速度の制御に役立つ。例えば、回内の速度を下げるために、内側かかとポッド１１６は、外側かかとポッド１１４よりも堅固な材料から製作される。より堅固、またはより堅固な材料は、同じ荷重のもとでより柔らかい材料ほどには圧縮されず、あるいはより柔らかい材料ほど速くは圧縮されない。したがって、より堅固な材料から作られた内側かかとポッド１１６は、より柔らかい材料で作られた外側かかとポッド１１４と比べて圧縮されないと考えられる。結果として、内側かかとポッド１１６が、回内に抵抗または対抗する傾向を有し、したがって回内の程度および速度を減らすのに役に立つ。反対に、内側かかとポッド１１６を外側かかとポッド１１４よりも柔らかい材料から製作することが、回内の量および速度を増す傾向にあると考えられる。
【００４０】
好ましくは、内側かかとポッド１１６に使用される材料の堅固さは、外側かかとポッド１１４の堅固さおよび意図される活動の種類にもとづいて選択される。例えば、外側かかとポッド１１４および内側かかとポッド１１６の堅固さは、軽度〜中程度の活動の際に使用される中敷きにおいて、約２０〜３０％異なる。
【００４１】
重いバックパックまたは他の物品の携行は、かかと接地の最中および後の足への荷重および回内の速度を大きく増加させる。したがって、内側かかとポッド１１６が、バックパッキングの際に使用されるように設計された中敷きにおいては大幅に堅固に作られる。例として、そのような活動に関しては、約２０〜４０％という堅固さの差が、より適切である。
【００４２】
外側中足部ポッド１１２は、一歩のうちの中間姿勢部分において足の外側にクッションおよび制御をもたらす。典型的には、外側中足部ポッド１１２は、外側かかとポッド１１４と同じ特性、例えば堅固さを有する材料で形成される。しかしながら、異なる特性を有する材料も、使用可能である。
【００４３】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【００４４】
一歩のうちの推進または足趾離地の段階の始まりにおいて、かかとが地面から持ち上げられ始め、重量が母指球へと移動する。足前部パッド１０８が、足のこの部分の下方に位置する。好ましくは、足前部パッド１０８は、足前部パッド１０８の圧縮に投入されたエネルギが足趾離地の際に足の前進を助けるべく戻されるように、比較的弾性的な材料で形成される。
【００４５】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１０８の内側部分は、安定用クレードル１０６の遠位端部側縁部の対応する凹状の縁部部分へと後方に延びている。安定用クレードル１０６および足前部パッド１０８の形状が、第１中足骨がより自然に曲がることを許すことで、足趾離地の際に親指へと荷重が加わるように促進する。
【００４６】
基部１０２は、好ましくは発泡体または適切なクッション性を有する他の材料で製作される。好ましくは、基部１０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【００４７】
足前部パッド１０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【００４８】
足前部パッド１２０、外側中足部ポッド１２１、外側かかとポッド１２２、および内側かかとポッド１２３は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１２０は、深さが約０．７５ｍｍである。好ましくは、外側中足部および外側かかとの交差溝パターン１２１および１２２は、深さが約１．００〜３．００ｍｍである。好ましくは、内側かかとの交差溝パターン１２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【００４９】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【００５０】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【００５１】
好ましい実施形態において、基部１０２は、中敷きのつま先領域からかかと領域まで、好ましくは水ぶくれの可能性を最小限にするための低い摩擦係数を有する不織布の層である上部シート１０１で覆われる。好ましくは、上部シート１０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【００５２】
本発明の第１の好ましい実施形態において、下面において基部１０２によって定められる凹領域内で基部１０２へと固定される中敷きの種々の部品は、接着剤などの適切な手段を使用して基部１０２に恒久的に取り付けられる。また、部品は、成形プロセスの際に中敷きの成形の分野の公知の技術を使用して固定される。
【００５３】
凹領域を、基部面およびパッド／ポッド面を有しており、前記基部面に沿って前記基部へと固定され、前記パッド／ポッド面に沿って前記パッド／ポッドへと固定される布で覆うこともできる。あるいは、布がパッド／ポッドへと固定され、次いでこの複合構造が凹領域へと固定される。
【００５４】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部１０２は、ユーザが靴の内部に適切にフィットするように中敷きの長さを短くすることを可能にするサイズ調節ガイド１５０を有することができ、サイズ調節ガイド１５０は、ユーザが好ましくははさみで切断するであろう種々の切断案内線を提供する。
【００５５】
本発明は、これらに限られるわけではないが、（１）複数の安定用リブを有する小面化（ｆａｃｅｔｅｄ）された安定用クレードル、（２）複数のポッド、（３）足前部パッド、（４）ポッドおよび足前部パッドの底面の交差溝パターン、ならびに（５）ひすい輝石（ｊａｄｅｉｔｅ）の冷却用上部布を備える中敷きである。本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。本発明は、（１）足首および足の安定性を改善し、（２）蹴り出しおよび着地の際にかかとおよび足前部にクッションをもたらし、（３）靴の使用および履き替えの際の中敷きの動きまたは滑りの防止を助け、（４）ランニングおよびクロストレーニングの運動の際にかかと、中足部、土踏まず、および足前部に向上したクッションの特徴を提供する、という目標を達成する。
【００５６】
図２が、パッド、ポッド、または付加物が存在しない状態の基部２０２の底部の斜視図を示している。基部２０２は、上面および反対側の下面を有する。さらに、基部２０２は、中敷きの内側に沿って上方へと延び、足の土踏まず領域に追加のクッションおよび支持を提供する長手方向のアーチ支持部２１９をさらに定めている。
【００５７】
基部２０２の下面には、足前部領域の足前部パッド凹領域２０７と、中足部領域およびかかと領域に沿った安定用クレードル凹領域２０５が画成される。基部２０２の下面には、土踏まず領域に沿って外へと延びる１若しくはそれ以上のリブまたは突出部２３２が画成される。リブ２３２は、好ましくは、楔状骨の周囲においてより長く、楔状骨から遠位端部方向および基部方向に進むにつれて次第に短くなり、放物線状の全体形状を生み出している。別の実施形態は、安定用クレードルによって定められ、土踏まず領域において安定用クレードルから外へと延びるリブまたは突出部を有する。
【００５８】
基部２０２は、中敷きが足の自然の形状に一致するかかとカップを有するように、かかとを包み込み、足の側面に沿って部分的に延びる立ち上がった縁部を有する。図１０〜１２に最も良く見て取ることができるとおり、立ち上がった縁部の高さは、通常は、中敷きの内側においてより高くかつより厚く、中敷きの外側においてより低くかつより薄い。
【００５９】
足前部パッド凹領域２０７は、足の基節骨の遠位端部の付近において、中敷きのつま先側端部から或る程度基部側において始まる。足前部パッド凹領域２０７は、外側部分において第３〜第５中足骨頭の辺りまで後方へと延び、内側部分において第１および第２中足骨に沿ってほぼ中間まで後方へと延びている。好ましくは、足前部パッド凹領域２０７は、第１および第２中足骨の間に位置する後端２５７を有する。
【００６０】
安定用クレードル凹領域２０５は、基部２０２の下面の中足部領域およびかかと領域に位置する。安定用クレードル凹領域２０５は、基部の内側境界部に近い内側縁部から外側境界部に近い外側縁部まで延び、かつ基部の足前部凹領域２０７のわずかに基部側の遠位端部側縁部からかかと側端部に近い基部側縁部まで延びている。遠位端部側縁部の内側部分は、足趾離地時の第１中足骨の下方への運動に適応するような形状に形成される。
【００６１】
基部２０２は、好ましくは発泡体または適切なクッション性を有する他の材料で製作される。好ましくは、基部２０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【００６２】
図３Ａおよび３Ｂが、安定用クレードル３０６の底面図および斜視図である。安定用クレードル凹領域が、基部の下面の中足部領域およびかかと領域に位置する。安定用クレードル凹領域は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル３０６は、安定用クレードル凹領域と基本的に同じに形作られ、基部対向面と靴対向面とを有する。基部対向面は、前記安定用クレードル凹領域へと固定される。
【００６３】
安定用クレードル３０６は、基部の側面および後部を包んで足にサポートを提供する壁を有する。好ましくは、安定用クレードル３０６は、厚さが約０．５ｍｍ〜３ｍｍの範囲であり、壁が、約３ｍｍから約０．５ｍｍへと先細りである。安定用クレードル３０６の側面は、好ましくは、足の内側において、荷重がより大きいがゆえにより高い。好ましくは、安定用クレードル３０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【００６４】
好ましくは、安定用クレードル３０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【００６５】
安定用クレードル３０６には、好ましくは、１若しくはそれ以上のリブ状の開口部３３１が画成される。好ましい実施形態において、リブ状の開口部３３１は、基部のリブがリブ状の開口部３３１を通って延びることを可能にする。好都合には、リブが、基部が（例えば、歩行またはランニング中に）圧縮されたときにリブ状の開口部３３１を通って張り出し、足の土踏まずにさらなるクッションおよびサポートをもたらすこともできる。リブ状の開口部３３１は、安定用クレードル３０６が土踏まず領域において安定用クレードル３０６の他の部分と比べてより柔軟になることを可能にする。
【００６６】
安定用クレードル３０６には、第３〜第５中足骨頭の背後から基部側へと立方骨の後ろまで延びる外側中足部ポッド開口部３１１が画成される。外側中足部ポッド開口部３１１の長さは、好ましくは、中足部の外側面にクッションをもたらすために充分である。外側中足部ポッド開口部３１１は、外側中足部ポッドが外側中足部ポッド開口部３１１を通って延びることを可能にするように設計される。
【００６７】
さらに、安定用クレードル３０６には、外側中足部ポッド開口部３１１のほぼ後方からかかと側端部に向かって安定用クレードル３０６のかかと領域の外側を貫いて延びる外側かかとポッド開口部３１３が画成される。外側かかとポッド開口部３１３は、中敷きの外側境界部に沿って、前記かかと側端部から前記外側中足部ポッド開口部３１１から離れて位置する外側かかと縁部まで延びる外側縁部を有する。外側縁部は、中敷きのかかと側端部の外形に倣うようにかかとの領域において湾曲している。外側かかとポッド開口部３１３は、内側曲線縁部をさらに有する。全体構成は、大まかには直線よりもむしろ上述の湾曲した縁部を有する多面の幾何学的形状である。外側かかとポッド開口部３１３は、外側かかとポッドが外側かかとポッド開口部３１３を通って延びることを可能にするように設計される。
【００６８】
内側かかとポッド開口部３１５が、かかと側端部にわずかに届かない基部３０２の下面のかかと領域の内側に沿ってかかと領域を貫いて延びている。内側かかとポッド開口部３１５は、基本的に豆ざや形状を有し、第１の遠位端部側先端および第２の基部側先端において互いに接続された内側縁部および外側縁部を有する。縁部は、前記内側かかとポッド開口部を画成するように互いに反対方向に広がっている。内側かかとポッド開口部３１５は、内側かかとポッドが内側かかとポッド開口部３１５を通って延びることを可能にするように設計される。
【００６９】
安定用クレードル３０６は、回内の量の制御に役立つように、足の内側部分に沿って堅固な支持を提供する。
【００７０】
図４は、上部シート４０１および幅方向のアーチ支持部４３８を説明する中敷きの上面図である。中敷き４００は、つま先領域からかかと領域まで基部の上面全体を横切って固定された上部シート４０１を有する。好ましくは、基部の上面には、足の中足骨頭領域の下方に位置する上方へと延びている部分または幅方向のアーチ支持部４３８が画成される。幅方向のアーチ支持部４３８の上方への延びは、上部シート４０１のうちの幅方向のアーチ支持部４３８の領域に対応する部分を押し上げる。
【００７１】
幅方向のアーチ支持部４３８は、好ましくは、第２〜第４中足骨頭の下方に位置する。幅方向のアーチ支持部４３８は、足前部および足の中央に追加の安定性およびクッションを提供する。
【００７２】
好ましい実施形態において、上部シート４０１は、水ぶくれの可能性を最小限にするための低い摩擦係数を有する不織布の層である。好ましくは、上部シート４０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。一連の空気穴が、中敷き４００の上方および下方の空気の循環を可能にするために、上部シート４０１および基部を貫いて延びている。
【００７３】
図５が、中敷きの底面図を示している。中敷き５００は、好ましくは、上部シート５０１と、基部５０２とを有し、基部５０２は、前記上部シートへと固定される上面と、反対側の下面とを有している。さらに、基部５０２は、中敷きの内側に沿って上方へと延び、足の土踏まず領域に追加のクッションおよび支持を提供する長手方向のアーチ支持部５１９をさらに定めている。
【００７４】
基部５０２の下面には、足前部領域の足前部パッド凹領域５０７と、中足部領域およびかかと領域に沿った安定用クレードル凹領域５０５が画成される。さらに、基部５０２の下面には、土踏まず領域に沿って外へと延びる１若しくはそれ以上のリブまたは突出部５３２が画成される。リブ５３２は、好ましくは、楔状骨の周囲においてより長く、楔状骨から遠位端部方向および基部方向に進むにつれて次第に短くなり、放物線状の全体形状を生み出している。
【００７５】
基部５０２は、中敷きが足の自然の形状に一致するかかとカップを有するように、かかとを包み込み、足の側面に沿って部分的に延びる立ち上がった縁部を有する。図１０〜１２に最も良く見て取ることができるとおり、立ち上がった縁部の高さは、通常は、中敷きの内側においてより高くかつより厚く、中敷きの外側においてより低くかつより薄い。
【００７６】
足前部パッド凹領域５０７は、足の基節骨の遠位端部の付近において、中敷きのつま先側端部から或る程度基部側において始まる。足前部パッド凹領域５０７は、外側部分において第３〜第５中足骨頭の辺りまで後方へと延び、内側部分において第１および第２中足骨に沿ってほぼ中間まで後方へと延びている。好ましくは、足前部パッド凹領域５０７は、第１および第２中足骨の間に位置する後端５５７を有する。
【００７７】
足前部パッド５０８が、足前部パッド凹領域５０７と基本的に同じに形作られ、足前部パッド凹領域５０７に固定される。足前部パッド５０８は、内側縁部と、外側縁部と、基部側縁部（後ろ側縁部）と、遠位端部側縁部（前側縁部）とを有する。足前部パッド５０８の内側縁部は、前記中敷きの前記内側境界部から外側へと離れて位置する線に沿って延びている。基部側縁部は、前記内側縁部から外側および基部側へと前記後端５５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域５０７および足前部パッド５０８は、ユーザの足の第１中足骨頭または内側球を除くユーザの足の親指および足の「母指球」の下方に位置する。図１１が、中敷きにおける足の骨の配置を示している。
【００７８】
接着剤が、部品を固定するために使用される。足前部パッド５０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【００７９】
より丈夫な材料を使用することで、足の中敷きのこの部分により柔らかい材料を使用する中敷きと比べて、中敷きの耐久性は３５％〜６５％向上すると推定される。
【００８０】
安定用クレードル凹領域５０５は、基部５０２の下面の中足部領域およびかかと領域に位置する。安定用クレードル凹領域５０５は、基部の内側境界部に近い内側縁部から外側境界部に近い外側縁部まで延び、かつ基部の足前部凹領域５０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル５０６は、安定用クレードル凹領域５０５と基本的に同じに形作られ、基部対向面と靴対向面とを有する。基部対向面は、前記安定用クレードル凹領域５０５へと固定される。
【００８１】
安定用クレードル５０６は、基部５０２の側面および後部を包んで足にサポートを提供する壁を有する。好ましくは、安定用クレードル５０６は、厚さが約０．５ｍｍ〜３ｍｍの範囲であり、壁が、約３ｍｍから約０．５ｍｍへと先細りである。安定用クレードル５０６の側面は、好ましくは、足の内側において、荷重がより大きいがゆえにより高い。好ましくは、安定用クレードル５０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【００８２】
好ましくは、安定用クレードル５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【００８３】
安定用クレードル５０６には、好ましくは１若しくはそれ以上のリブ状の開口部５３１が画成される。好ましい実施形態において、リブ状の開口部５３１は、基部５０２の前記リブ５３２がリブ状の開口部５３１を通って延びることを可能にする。好ましくは、基部５０２が、リブ５３２がリブ状の開口部５３１へと突出するように成形されることで、リブ５３２が安定用クレードル５０６の外面とほぼ同一面になり、安定用クレードル５０６と基部５０２とを一体に機械的に係止する。好都合には、リブ５３２が、基部５０２が（例えば、歩行またはランニング中に）圧縮されたときにリブ状の開口部５３１を通って張り出し、足の土踏まずにさらなるクッションおよびサポートをもたらすこともできる。好ましくは、前記リブ５３２は、外へと約０．５０ｍｍ〜１．５ｍｍ延び、約４ｍｍの幅を有する。リブ状の開口部５３１は、安定用クレードル５０６が土踏まず領域において安定用クレードル５０６の他の部分と比べてより柔軟になることを可能にする。
【００８４】
別の実施形態においては、安定用クレードル５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【００８５】
安定用クレードル５０６には、第３〜第５中足骨頭の背後から基部側へと立方骨の後ろまで延びる外側中足部ポッド開口部５１１が画成される。外側中足部ポッド開口部５１１の長さは、好ましくは、中足部の外側面にクッションをもたらすために充分である。外側中足部ポッド５１２が、基本的に外側中足部ポッド開口部５１１と同じに形作られ、外側中足部ポッド開口部５１１に相関し、外側中足部ポッド５１２が前記外側中足部ポッド開口部５１１を通って延出することを可能にする位置において、安定用クレードル凹領域５０５内の基部５０２の下面に固定される。
【００８６】
外側中足部ポッド５１２は、好ましくは、ＡＳＫＥＲ  Ｃ硬度が約４５〜５０であるＴＰＲまたはＰＵから作られる。ＴＰＲが使用される場合、次に布地が、前記基部５０２の外側中足部ポッド開口部５１１において基部５０２へと固定される。この布地部品は、ＴＰＲの基部５０２への適切な接着を可能にする。
【００８７】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【００８８】
さらに、安定用クレードル５０６には、外側中足部ポッド開口部５１１のほぼ後方からかかと側端部に向かって安定用クレードル５０６のかかと領域の外側を貫いて延びる外側かかとポッド開口部５１３が画成される。外側かかとポッド５１４が、基本的に外側かかとポッド開口部５１３と同じに形作られ、外側かかとポッド開口部５１３に相関し、外側かかとポッド５１４が前記外側かかとポッド開口部５１３を通って延出することを可能にする位置において、安定用クレードル凹領域５０５内の基部５０２の下面に固定される。外側かかとポッド５１４は、中敷き５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド５１４は、内側曲線縁部をさらに有する。全体構成は、大まかには直線よりもむしろ上述の湾曲した縁部を有する多面の幾何学的形状である。
【００８９】
外側かかとポッド５１４の構成、材料、および位置が、クッションを提供し、内側かかとポッド５１５との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部５０２の外側かかとポッド開口部５１１において基部５０２へと固定される。この布地部品は、ＴＰＲの基部５０２への適切な接着を可能にする。
【００９０】
安定用クレードル５０６には、かかと側端部にわずかに届かない基部５０２の下面のかかと領域の内側に沿ってかかと領域を貫いて延びている内側かかとポッド開口部５１５が画成される。内側かかとポッド５１６が、基本的に内側かかとポッド開口部５１５と同じに形作られ、内側かかとポッド開口部５１５に相関し、内側かかとポッド５１６が前記内側かかとポッド開口部５１５を通って延出することを可能にする位置において、安定用クレードル凹領域５０５内の基部５０２の下面に固定される。内側かかとポッド５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【００９１】
内側かかとポッド５１６は、好ましくは、ＡＳＫＥＲ  Ｃ硬度が約６０±３であるＴＰＲまたはＰＵから作られる。ＴＰＲが使用される場合、次に布地が、前記基部５０２の内側かかとポッド開口部５１５において基部５０２へと固定される。この布地部品は、ＴＰＲの基部５０２への適切な接着を可能にする。
【００９２】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド５１４は、踵骨（かかと骨）の後ろかつ外側に沿って配置され、安定用クレードル５０６の下方を外側へと延びる。好ましくは、外側かかとポッド５１４は、適切なクッション性を有する材料で製作され、意図される活動の種類にもとづいて選択される。
【００９３】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【００９４】
安定用クレードル５０６は、回内の量の制御に役立つように、足の内側部分に沿って堅固な支持を提供する。内側かかとポッド５１６が、内側かかとポッド５１６を外側かかとポッド５１４とは異なる特性を有する材料から形成することによって、回内の速度の制御に役立つ。例えば、回内の速度を下げるために、内側かかとポッド５１６を、外側かかとポッド５１４よりも堅固な材料から製作することができる。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド５１６は、より柔らかい材料で作られた外側かかとポッド５１４と比べて圧縮されないと考えられる。結果として、内側かかとポッド５１６が、回内に抵抗または対抗する傾向を有し、したがって回内の程度および速度を減らすのに役に立つ。反対に、内側かかとポッド５１６を外側かかとポッド５１４よりも柔らかい材料から製作することが、回内の量および速度を増す傾向にあると考えられる。
【００９５】
好ましくは、内側かかとポッド５１６に使用される材料の堅固さは、外側かかとポッド５１４の堅固さおよび意図される活動の種類にもとづいて選択される。例えば、外側かかとポッド５１４および内側かかとポッド５１６の堅固さは、軽度〜中程度の活動の際に使用される中敷きにおいて、約２０〜３０％異なる。
【００９６】
重いバックパックまたは他の物品の携行は、かかと接地の最中および後の足への荷重および回内の速度を大きく増加させる。したがって、内側かかとポッド５１６を、バックパッキングの際に使用されるように設計された中敷きにおいては大幅に堅固に作ることができる。例として、そのような活動に関しては、約２０〜４０％という堅固さの差が、より適切である。
【００９７】
外側中足部ポッド５１２は、一歩のうちの中間姿勢部分において足の外側にクッションおよび制御をもたらす。典型的には、外側中足部ポッド５１２は、外側かかとポッド５１４と同じ特性、例えば堅固さを有する材料で形成される。しかしながら、異なる特性を有する材料も、使用可能である。
【００９８】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【００９９】
一歩のうちの推進または足趾離地の段階の始まりにおいて、かかとが地面から持ち上げられ始め、重量が母指球へと移動する。足前部パッド５０８が、足のこの部分の下方に位置する。好ましくは、足前部パッド５０８は、足前部パッド５０８の圧縮に投入されたエネルギが足趾離地の際に足の前進を助けるべく戻されるように、比較的弾性的な材料で形成される。
【０１００】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド５０８の内側部分は、安定用クレードル５０６の遠位端部側縁部の対応する凹状の縁部部分へと後方に延びている。安定用クレードル５０６および足前部パッド５０８の形状が、第１中足骨がより自然に曲がることを許すことで、足趾離地の際に親指へと荷重が加わるように促進する。
【０１０１】
基部５０２は、好ましくは発泡体または適切なクッション性を有する他の材料で製作される。好ましくは、基部５０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０１０２】
足前部パッド５０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０１０３】
足前部パッド５２０、外側中足部ポッド５２１、外側かかとポッド５２２、および内側かかとポッド５２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン５２０は、深さが約０．７５ｍｍである。好ましくは、外側中足部および外側かかとの交差溝パターン５２１および５２２は、深さが約１．００〜３．００ｍｍである。好ましくは、内側かかとの交差溝パターン５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きを靴の中で動き回ったり、あるいは滑ったりすることがないように所定の場所に保つ助けとなる。
【０１０４】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０１０５】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。オープンセル（ｏｐｅｎ−ｃｅｌｌ）の設計を使用することで、より軽量な中敷きがもたらされると考えられる。
【０１０６】
本発明の第１の好ましい実施形態において、下面において基部５０２によって定められる凹領域内で基部５０２へと固定される中敷きの種々の部品は、接着剤などの適切な手段を使用して基部５０２に恒久的に取り付けられる。部品は、成形プロセスの際に中敷きの成形の分野の公知の技術を使用して固定される。
【０１０７】
また、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０１０８】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部５０２は、ユーザが靴の内部に適切にフィットするように中敷きの長さを短くすることを可能にするサイズ調節ガイド５５０を有することができ、サイズ調節ガイド５５０は、ユーザが好ましくははさみで切断するであろう種々の切断案内線を提供する。
【０１０９】
図６が、中敷きを外側から見た側面図を示している。中敷き６００は、好ましくは、上部シート６０１と、基部６０２とを有し、基部６０２は、前記上部シート６０１へと固定される上面と、反対側の下面とを有している。さらに、基部６０２は、中敷きの内側に沿って上方へと延び、足の土踏まず領域に追加のクッションおよび支持を提供する長手方向のアーチ支持部６１９をさらに定めている。
【０１１０】
基部６０２の下面には、足前部領域の足前部パッド凹領域と、中足部領域およびかかと領域に沿った安定用クレードル凹領域６０５が画成される。
【０１１１】
基部６０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０１１２】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０１１３】
安定用クレードル凹領域６０５は、基部６０２の下面の中足部領域およびかかと領域に位置する。安定用クレードル凹領域６０５は、基部の内側境界部に近い内側縁部から外側境界部に近い外側縁部まで延び、かつ基部の足前部凹領域６０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル６０６は、安定用クレードル凹領域６０５と基本的に同じに形作られ、基部対向面と靴対向面とを有する。基部対向面は、前記安定用クレードル凹領域６０５へと固定される。
【０１１４】
安定用クレードル６０６は、基部６０２の側面および後部を包んで足にサポートを提供する壁を有する。好ましくは、安定用クレードル６０６は、厚さが約０．５ｍｍ〜３ｍｍの範囲であり、壁が、約３ｍｍから約０．５ｍｍへと先細りである。安定用クレードル６０６の側面は、好ましくは、足の内側において、荷重がより大きいがゆえにより高い。
【０１１５】
好ましくは、安定用クレードル６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０１１６】
安定用クレードル６０６には、第３〜第５中足骨頭の背後から基部側へと立方骨の後ろまで延びる外側中足部ポッド開口部が画成される。外側中足部ポッド６１２が、基本的に外側中足部ポッド開口部と同じに形作られ、外側中足部ポッド開口部に相関し、外側中足部ポッド６１２が前記外側中足部ポッド開口部を通って延出することを可能にする位置において、安定用クレードル凹領域６０５内の基部６０２の下面に固定される。
【０１１７】
さらに、安定用クレードル６０６には、外側中足部ポッド開口部のほぼ後方からかかと側端部に向かって安定用クレードル６０６のかかと領域の外側を貫いて延びる外側かかとポッド開口部が画成される。外側かかとポッド６１４が、基本的に外側かかとポッド開口部と同じに形作られ、外側かかとポッド開口部に相関し、外側かかとポッド６１４が前記外側かかとポッド開口部を通って延出することを可能にする位置において、安定用クレードル凹領域６０５内の基部６０２の下面に固定される。
【０１１８】
安定用クレードル６０６には、かかと側端部にわずかに届かない基部６０２の下面のかかと領域の内側に沿ってかかと領域を貫いて延びている内側かかとポッド開口部が画成される。内側かかとポッドが、基本的に内側かかとポッド開口部と同じに形作られ、内側かかとポッド開口部に相関し、内側かかとポッドが前記内側かかとポッド開口部を通って延出することを可能にする位置において、安定用クレードル凹領域６０５内の基部６０２の下面に固定される。
【０１１９】
好ましい実施形態において、基部６０２は、好ましくは水ぶくれの可能性を最小限にするための低い摩擦係数を有する不織布の層である上部シート６０１で覆われる。好ましくは、上部シート６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１２０】
好ましくは、基部の上面には、足の中足骨頭領域の下方に位置する上方へと延びている部分または幅方向のアーチ支持部６３８が画成される。幅方向のアーチ支持部６３８の上方への延びは、上部シート６０１のうちの幅方向のアーチ支持部６３８の領域に対応する部分を押し上げる。
【０１２１】
幅方向のアーチ支持部６３８は、好ましくは、第２〜第４中足骨頭の下方に位置する。幅方向のアーチ支持部６３８は、足前部および足の中央に追加の安定性およびクッションを提供する。
【０１２２】
図７が、中敷きを内側から見た側面図を示している。中敷き７００は、好ましくは、上部シート７０１と、基部７０２とを有し、基部７０２は、前記上部シートへと固定される上面と、反対側の下面とを有している。さらに、基部７０２は、中敷きの内側に沿って上方へと延び、足の土踏まず領域に追加のクッションおよび支持を提供する長手方向のアーチ支持部７１９をさらに定めている。
【０１２３】
基部７０２の下面には、足前部領域の足前部パッド凹領域と、中足部領域およびかかと領域に沿った安定用クレードル凹領域７０５が画成される。さらに、基部７０２の下面には、土踏まず領域に沿って外へと延びる１若しくはそれ以上のリブまたは突出部７３２が画成される。リブ７３２は、好ましくは、楔状骨の周囲においてより長く、楔状骨から遠位端部方向および基部方向に進むにつれて次第に短くなり、放物線状の全体形状を生み出している。
【０１２４】
基部７０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０１２５】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０１２６】
安定用クレードル凹領域７０５は、基部７０２の下面の中足部領域およびかかと領域に位置する。安定用クレードル凹領域７０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル７０６は、安定用クレードル凹領域７０５と基本的に同じに形作られ、基部対向面と靴対向面とを有する。基部対向面は、前記安定用クレードル凹領域７０５へと固定される。
【０１２７】
安定用クレードル７０６は、基部７０２の側面および後部を包んで足にサポートを提供する壁を有する。好ましくは、安定用クレードル７０６は、厚さが約０．５ｍｍ〜３ｍｍの範囲であり、壁が、約３ｍｍから約０．５ｍｍへと先細りである。安定用クレードル７０６の側面は、好ましくは、足の内側において、荷重がより大きいがゆえにより高い。
【０１２８】
好ましくは、安定用クレードル７０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０１２９】
安定用クレードル７０６には、好ましくは、１若しくはそれ以上のリブ状の開口部７３１が画成される。好ましい実施形態において、リブ状の開口部７３１は、基部７０２の前記リブ７３２がリブ状の開口部７３１を通って延びることを可能にする。好ましくは、基部７０２が、リブ７３２がリブ状の開口部７３１へと突出するように成形されることで、リブ７３２が安定用クレードル７０６の外面とほぼ同一面になり、安定用クレードル７０６と基部７０２とを一体に機械的に係止する。好都合には、リブ７３２が、基部７０２が（例えば、歩行またはランニング中に）圧縮されたときにリブ状の開口部７３１を通って張り出し、足の土踏まずにさらなるクッションおよびサポートをもたらすこともできる。好ましくは、前記リブ７３２は、外へと約０．５０ｍｍ〜１．５ｍｍ延び、約４ｍｍの幅を有する。リブ状の開口部７３１は、安定用クレードル７０６が土踏まず領域において安定用クレードル７０６の他の部分と比べてより柔軟になることを可能にする。
【０１３０】
別の実施形態においては、安定用クレードル７０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０１３１】
安定用クレードル７０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域７０５内の基部７０２の下面に固定される。
【０１３２】
さらに、安定用クレードル７０６には、外側中足部ポッド開口部のほぼ後方からかかと側端部に向かって安定用クレードル７０６のかかと領域の外側を貫いて延びる外側かかとポッド開口部が画成される。外側かかとポッドが、基本的に外側かかとポッド開口部と同じに形作られ、外側かかとポッド開口部に相関し、外側かかとポッドが前記外側かかとポッド開口部を通って延出することを可能にする位置において、安定用クレードル凹領域７０５内の基部７０２の下面に固定される。
【０１３３】
安定用クレードル７０６には、かかと側端部にわずかに届かない基部７０２の下面のかかと領域の内側に沿ってかかと領域を貫いて延びている内側かかとポッド開口部が画成される。内側かかとポッド７１６が、基本的に内側かかとポッド開口部と同じに形作られ、内側かかとポッド開口部に相関し、内側かかとポッド７１６が前記内側かかとポッド開口部を通って延出することを可能にする位置において、安定用クレードル凹領域７０５内の基部７０２の下面に固定される。
【０１３４】
好ましい実施形態において、基部７０２は、好ましくは水ぶくれの可能性を最小限にするための低い摩擦係数を有する不織布の層である上部シート７０１で覆われる。好ましくは、上部シート７０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１３５】
好ましくは、基部の上面には、足の中足骨頭領域の下方に位置する上方へと延びている部分または幅方向のアーチ支持部７３８が画成される。幅方向のアーチ支持部７３８の上方への延びは、上部シート７０１のうちの幅方向のアーチ支持部７３８の領域に対応する部分を押し上げる。
【０１３６】
幅方向のアーチ支持部７３８は、好ましくは、第２〜第４中足骨頭の下方に位置する。幅方向のアーチ支持部７３８は、足前部および足の中央に追加の安定性およびクッションを提供する。
【０１３７】
図８が、中敷きの後面図を示している。中敷き８００は、好ましくは、上部シート８０１と、基部８０２とを有し、基部８０２は、前記上部シートへと固定される上面と、反対側の下面とを有している。さらに、基部８０２は、中敷きの内側に沿って上方へと延び、足の土踏まず領域に追加のクッションおよび支持を提供する長手方向のアーチ支持部８１９をさらに定めている。
【０１３８】
基部８０２の下面には、足前部領域の足前部パッド凹領域と、中足部領域およびかかと領域に沿った安定用クレードル凹領域８０５が画成される。さらに、基部８０２の下面には、土踏まず領域に沿って外へと延びる１若しくはそれ以上のリブまたは突出部８３２が画成される。リブ８３２は、好ましくは、楔状骨の周囲においてより長く、楔状骨から遠位端部方向および基部方向に進むにつれて次第に短くなり、放物線状の全体形状を生み出している。別の実施形態は、安定用クレードル８０６によって定められ、土踏まず領域において安定用クレードル８０６から外へと延びるリブまたは突出部を有する。
【０１３９】
基部８０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０１４０】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０１４１】
安定用クレードル凹領域８０５は、基部８０２の下面の中足部領域およびかかと領域に位置する。安定用クレードル凹領域８０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル８０６は、安定用クレードル凹領域８０５と基本的に同じに形作られ、基部対向面と靴対向面とを有する。基部対向面は、前記安定用クレードル凹領域８０５へと固定される。
【０１４２】
安定用クレードル８０６は、基部８０２の側面および後部を包んで足にサポートを提供する壁を有する。好ましくは、安定用クレードル８０６は、厚さが約０．５ｍｍ〜３ｍｍの範囲であり、壁が、約３ｍｍから約０．５ｍｍへと先細りである。安定用クレードル８０６の側面は、好ましくは、足の内側において、荷重がより大きいがゆえにより高い。
【０１４３】
好ましくは、安定用クレードル８０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０１４４】
安定用クレードル８０６には、好ましくは、１若しくはそれ以上のリブ状の開口部８３１が画成される。好ましい実施形態において、リブ状の開口部８３１は、基部８０２の前記リブ８３２がリブ状の開口部８３１を通って延びることを可能にする。好ましくは、基部８０２が、リブ８３２がリブ状の開口部８３１へと突出するように成形されることで、リブ８３２が安定用クレードル８０６の外面とほぼ同一面になり、安定用クレードル８０６と基部８０２とを一体に機械的に係止する。好都合には、リブ８３２が、基部８０２が（例えば、歩行またはランニング中に）圧縮されたときにリブ状の開口部８３１を通って張り出し、足の土踏まずにさらなるクッションおよびサポートをもたらすこともできる。好ましくは、前記リブ８３２は、外へと約０．５０ｍｍ〜１．５ｍｍ延び、約４ｍｍの幅を有する。リブ状の開口部８３１は、安定用クレードル８０６が土踏まず領域において安定用クレードル８０６の他の部分と比べてより柔軟になることを可能にする。
【０１４５】
別の実施形態においては、安定用クレードル８０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０１４６】
安定用クレードル８０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域８０５内の基部８０２の下面に固定される。
【０１４７】
さらに、安定用クレードル８０６には、外側中足部ポッド開口部のほぼ後方からかかと側端部に向かって安定用クレードル８０６のかかと領域の外側を貫いて延びる外側かかとポッド開口部が画成される。外側かかとポッド８１４が、基本的に外側かかとポッド開口部と同じに形作られ、外側かかとポッド開口部に相関し、外側かかとポッド８１４が前記外側かかとポッド開口部を通って延出することを可能にする位置において、安定用クレードル凹領域８０５内の基部８０２の下面に固定される。
【０１４８】
安定用クレードル８０６には、かかと側端部にわずかに届かない基部８０２の下面のかかと領域の内側に沿ってかかと領域を貫いて延びている内側かかとポッド開口部が画成される。内側かかとポッド８１６が、基本的に内側かかとポッド開口部と同じに形作られ、内側かかとポッド開口部に相関し、内側かかとポッド８１６が前記内側かかとポッド開口部を通って延出することを可能にする位置において、安定用クレードル凹領域８０５内の基部８０２の下面に固定される。
【０１４９】
好ましい実施形態において、基部８０２は、好ましくは水ぶくれの可能性を最小限にするための低い摩擦係数を有する不織布の層である上部シート８０１で覆われる。好ましくは、上部シート８０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１５０】
図９は、図４および５において特定される中敷きの真ん中に沿った断面図９−９である。中敷き９００は、好ましくは、上部シート９０１と、基部９０２とを有し、基部９０２は、前記上部シート９０１へと固定される上面と、反対側の下面とを有している。基部９０２の下面には、足前部領域の足前部パッド凹領域９０７と、中足部領域およびかかと領域に沿った安定用クレードル凹領域９０５が画成される。
【０１５１】
基部９０２は、中敷きが足の自然の形状に一致するかかとカップを有するように、かかとを包み込み、足の側面に沿って部分的に延びる立ち上がった縁部を有する。図１０〜１２に最も良く見て取ることができるとおり、立ち上がった縁部の高さは、通常は、中敷きの内側においてより高くかつより厚く、中敷きの外側においてより低くかつより薄い。
【０１５２】
好ましくは、基部９０２の上面には、足の中足骨頭領域の下方に位置する上方へと延びている部分または幅方向のアーチ支持部９３８が画成される。幅方向のアーチ支持部９３８の上方への延びは、上部シート９０１のうちの幅方向のアーチ支持部９３８の領域に対応する部分を押し上げる。幅方向のアーチ支持部９３８は、好ましくは、第２〜第４中足骨頭の下方に位置する。幅方向のアーチ支持部９３８は、足前部および足の中央に追加の安定性およびクッションを提供する。
【０１５３】
足前部パッド凹領域９０７は、足の基節骨の遠位端部の付近において、中敷きのつま先側端部から或る程度基部側において始まる。足前部パッド凹領域９０７は、外側部分において第３〜第５中足骨頭の辺りまで後方へと延び、内側部分において第１および第２中足骨に沿ってほぼ中間まで後方へと延びている。好ましくは、足前部パッド凹領域９０７は、第１および第２中足骨の間に位置する後端を有する。
【０１５４】
足前部パッド９０８が、足前部パッド凹領域９０７と基本的に同じに形作られ、足前部パッド凹領域９０７に固定される。足前部パッド９０８は、内側縁部と、外側縁部と、基部側縁部（後ろ側縁部）と、遠位端部側縁部（前側縁部）とを有する。足前部パッド９０８の内側縁部は、前記中敷きの前記内側境界部から外側へと離れて位置する線に沿って延びている。基部側縁部は、前記内側縁部から外側および基部側へと前記後端９５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域９０７および足前部パッド９０８は、ユーザの足の第１中足骨頭または内側球を除くユーザの足の親指および足の「母指球」の下方に位置する。図１１が、中敷きにおける足の骨の配置を示している。
【０１５５】
接着剤が、部品を固定するために使用される。足前部パッド９０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０１５６】
より丈夫な材料を使用することで、足の中敷きのこの部分により柔らかい材料を使用する中敷きと比べて、中敷きの耐久性は３５％〜６５％向上すると推定される。
【０１５７】
安定用クレードル凹領域９０５は、基部９０２の下面の中足部領域およびかかと領域に位置する。安定用クレードル凹領域９０５は、基部の内側境界部に近い内側縁部から外側境界部に近い外側縁部まで延び、かつ基部の足前部凹領域９０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル９０６は、安定用クレードル凹領域９０５と基本的に同じに形作られ、基部対向面と靴対向面とを有する。基部対向面は、前記安定用クレードル凹領域９０５へと固定される。
【０１５８】
安定用クレードル９０６は、基部９０２の側面および後部を包んで足にサポートを提供する壁を有する。
【０１５９】
好ましくは、安定用クレードル９０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０１６０】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０１６１】
安定用クレードル９０６には、第３〜第５中足骨頭の背後から基部側へと立方骨の後ろまで延びる外側中足部ポッド開口部が画成される。外側中足部ポッド開口部の長さは、好ましくは、中足部の外側面にクッションをもたらすために充分である。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域９０５内の基部９０２の下面に固定される。
【０１６２】
さらに、安定用クレードル９０６には、外側中足部ポッド開口部９１１のほぼ後方からかかと側端部に向かって安定用クレードル９０６のかかと領域の外側を貫いて延びる外側かかとポッド開口部９１３が画成される。外側かかとポッド９１４が、基本的に外側かかとポッド開口部９１３と同じに形作られ、外側かかとポッド開口部９１３に相関し、外側かかとポッド９１４が前記外側かかとポッド開口部９１３を通って延出することを可能にする位置において、安定用クレードル凹領域９０５内の基部９０２の下面に固定される。外側かかとポッド９１４は、中敷き９００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド９１４は、内側曲線縁部をさらに有する。全体構成は、大まかには直線よりもむしろ上述の湾曲した縁部を有する多面の幾何学的形状である。
【０１６３】
外側かかとポッド９１４の構成、材料、および位置が、クッションを提供し、内側かかとポッド９１５との協働において足首を安定させるように機能する。
【０１６４】
安定用クレードル９０６には、かかと側端部にわずかに届かない基部９０２の下面のかかと領域の内側に沿ってかかと領域を貫いて延びている内側かかとポッド開口部９１５が画成される。内側かかとポッド９１６が、基本的に内側かかとポッド開口部９１５と同じに形作られ、内側かかとポッド開口部９１５に相関し、内側かかとポッド９１６が前記内側かかとポッド開口部９１５を通って延出することを可能にする位置において、安定用クレードル凹領域９０５内の基部９０２の下面に固定される。内側かかとポッド９１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０１６５】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド９１４は、踵骨（かかと骨）の後ろかつ外側に沿って配置され、安定用クレードル９０６の下方を外側へと延びる。好ましくは、外側かかとポッド９１４は、適切なクッション性を有する材料で製作され、意図される活動の種類にもとづいて選択される。
【０１６６】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０１６７】
安定用クレードル９０６は、回内の量の制御に役立つように、足の内側部分に沿って堅固な支持を提供する。内側かかとポッド９１６が、内側かかとポッド９１６を外側かかとポッド９１４とは異なる特性を有する材料から形成することによって、回内の速度の制御に役立つ。例えば、回内の速度を下げるために、内側かかとポッド９１６は、外側かかとポッド９１４よりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド９１６は、より柔らかい材料で作られた外側かかとポッド９１４と比べて圧縮されないと考えられる。結果として、内側かかとポッド９１６が、回内に抵抗または対抗する傾向を有し、したがって回内の程度および速度を減らすのに役に立つ。反対に、内側かかとポッド９１６を外側かかとポッド９１４よりも柔らかい材料から製作することが、回内の量および速度を増す傾向にあると考えられる。
【０１６８】
好ましくは、内側かかとポッド９１６に使用される材料の堅固さは、外側かかとポッド９１４の堅固さおよび意図される活動の種類にもとづいて選択される。例えば、外側かかとポッド９１４および内側かかとポッド９１６の堅固さは、軽度〜中程度の活動の際に使用される中敷きにおいて、約２０〜３０％異なる。
【０１６９】
重いバックパックまたは他の物品の携行は、かかと接地の最中および後の足への荷重および回内の速度を大きく増加させる。したがって、内側かかとポッド９１６が、バックパッキングの際に使用されるように設計された中敷きにおいては大幅に堅固に作られる。例として、そのような活動に関しては、約２０〜４０％という堅固さの差が、より適切である。
【０１７０】
外側中足部ポッド９１２は、一歩のうちの中間姿勢部分において足の外側にクッションおよび制御をもたらす。典型的には、外側中足部ポッドは、外側かかとポッド９１４と同じ特性、例えば堅固さを有する材料で形成される。しかしながら、異なる特性を有する材料も、使用可能である。
【０１７１】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０１７２】
一歩のうちの推進または足趾離地の段階の始まりにおいて、かかとが地面から持ち上げられ始め、重量が母指球へと移動する。足前部パッド９０８が、足のこの部分の下方に位置する。好ましくは、足前部パッド９０８は、足前部パッド９０８の圧縮に投入されたエネルギが足趾離地の際に足の前進を助けるべく戻されるように、比較的弾性的な材料で形成される。
【０１７３】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド９０８の内側部分は、安定用クレードル９０６の遠位端部側縁部の対応する凹状の縁部部分へと後方に延びている。安定用クレードル９０６および足前部パッド９０８の形状が、第１中足骨がより自然に曲がることを許すことで、足趾離地の際に親指へと荷重が加わるように促進する。
【０１７４】
足前部パッド９２０、外側中足部ポッド９２１、外側かかとポッド９２２、および内側かかとポッド９２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン９２０は、深さが約０．７５ｍｍである。好ましくは、外側中足部および外側かかとの交差溝パターンは、深さが約１．００〜３．００ｍｍである。好ましくは、内側かかとの交差溝パターン９２３は、深さが約１．００〜２．５０ｍｍである。
【０１７５】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０１７６】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０１７７】
好ましい実施形態において、基部９０２は、好ましくは水ぶくれの可能性を最小限にするための低い摩擦係数を有する不織布の層である上部シート９０１で覆われる。好ましくは、上部シート９０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１７８】
本発明の第１の好ましい実施形態において、下面において基部９０２によって定められる凹領域内で基部９０２へと固定される中敷きの種々の部品は、接着剤などの適切な手段を使用して基部９０２に恒久的に取り付けられる。また、部品は、成形プロセスの際に中敷きの成形の分野の公知の技術を使用して固定される。
【０１７９】
さらに、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０１８０】
図１０は、図４および５において特定されるとおりの断面１０−１０を示している。中敷き１０００は、好ましくは、上部シート１００１と、基部１００２とを有し、基部１００２には、前記上部シート１００１へと固定される上面と、反対側の下面とを有している。基部１００２の下面は、足前部パッド凹領域と、安定用クレードル凹領域が画成される。
【０１８１】
安定用クレードル凹領域１００５は、基部１００２の下面の中足部領域およびかかと領域に位置する。安定用クレードル凹領域１００５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１０６は、安定用クレードル凹領域１００５と基本的に同じに形作られ、基部対向面と靴対向面とを有する。基部対向面は、前記安定用クレードル凹領域１００５へと固定される。
【０１８２】
好ましくは、安定用クレードル１００６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０１８３】
好ましい実施形態において、基部１００２は、好ましくは水ぶくれの可能性を最小限にするための低い摩擦係数を有する不織布の層である上部シート１００１で覆われる。好ましくは、上部シート１００１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１８４】
好ましくは、基部の上面には、足の中足骨頭領域の下方に位置する上方へと延びている部分または幅方向のアーチ支持部１０３８が画成される。幅方向のアーチ支持部１０３８の上方への延びは、上部シート１００１のうちの幅方向のアーチ支持部１０３８の領域に対応する部分を押し上げる。
【０１８５】
幅方向のアーチ支持部１０３８は、好ましくは、第２〜第４中足骨頭の下方に位置する。幅方向のアーチ支持部１０３８は、足前部および足の中央に追加の安定性を提供する。
【０１８６】
図１１は、図４および５において特定されるとおりの断面１１−１１を示している。中敷き１１００には、好ましくは、上部シート１１０１と、基部１１０２とを有し、基部１１０２は、前記上部シート１１０１へと固定される上面と、反対側の下面とを有している。基部１１０２の下面は、足前部パッド凹領域と、安定用クレードル凹領域が画成される。
【０１８７】
安定用クレードル凹領域１１０５は、基部１１０２の下面の中足部領域およびかかと領域に位置する。安定用クレードル凹領域１１０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１１０６は、安定用クレードル凹領域１１０５と基本的に同じに形作られ、基部対向面と靴対向面とを有する。基部対向面は、前記安定用クレードル凹領域１１０５へと固定される。安定用クレードル１１０６は、基部１０２の側面および後部を包んで足にサポートを提供する壁を有する。
【０１８８】
好ましくは、安定用クレードル１１０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０１８９】
安定用クレードル１１０６には、好ましくは、１若しくはそれ以上のリブ状の開口部１１３１が画成される。好ましい実施形態において、リブ状の開口部１１３１は、基部１１０２の前記リブ１１３２がリブ状の開口部１１３１を通って延びることを可能にする。好ましくは、基部１１０２が、リブ１１３２がリブ状の開口部１１３１へと突出するように成形されることで、リブ１１３２が安定用クレードル１１０６の外面とほぼ同一面になり、安定用クレードル１０６と基部１１０２とを一体に機械的に係止する。好都合には、リブ１１３２が、基部１１０２が（例えば、歩行またはランニング中に）圧縮されたときにリブ状の開口部１１３１を通って張り出し、足の土踏まずにさらなるクッションおよびサポートをもたらすこともできる。好ましくは、前記リブ１１３２は、外へと約０．５０ｍｍ〜１．５ｍｍ延び、約４ｍｍの幅を有する。リブ状の開口部１１３１は、安定用クレードル１１０６が土踏まず領域において安定用クレードル１１０６の他の部分と比べてより柔軟になることを可能にする。
【０１９０】
別の実施形態においては、安定用クレードル１１０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０１９１】
安定用クレードル１０６には、第３〜第５中足骨頭の背後から基部側へと立方骨の後ろまで延びる外側中足部ポッド開口部１１１１が画成される。外側中足部ポッド開口部１１１１の長さは、好ましくは、中足部の外側面にクッションをもたらすために充分である。外側中足部ポッド１１１２が、基本的に外側中足部ポッド開口部１１１１と同じに形作られ、外側中足部ポッド開口部１１１１に相関し、外側中足部ポッド１１１２が前記外側中足部ポッド開口部１１１１を通って延出することを可能にする位置において、安定用クレードル凹領域内の基部１１０２の下面に固定される。
【０１９２】
好ましい実施形態において、基部１１０２は、好ましくは水ぶくれの可能性を最小限にするための低い摩擦係数を有する不織布の層である上部シート１１０１で覆われる。好ましくは、上部シート１１０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０１９３】
図１２は、図４および５において特定されるとおりの断面１２−１２を示している。中敷き１２００は、好ましくは、上部シート１２０１と、基部１２０２とを有し、基部１２０２は、前記上部シート１２０１へと固定される上面と、反対側の下面とを有している。基部１２０２の下面には、足前部パッド凹領域と、安定用クレードル凹領域が画成される。
【０１９４】
安定用クレードル凹領域１２０５は、基部１２０２の下面の中足部領域およびかかと領域に位置する。安定用クレードル凹領域１２０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１２０６は、安定用クレードル凹領域１２０５と基本的に同じに形作られ、基部対向面と靴対向面とを有する。基部対向面は、前記安定用クレードル凹領域１２０５へと固定される。安定用クレードル１２０６は、基部１０２の側面および後部を包んで足にサポートを提供する壁を有する。
【０１９５】
好ましくは、安定用クレードル１２０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０１９６】
さらに、安定用クレードル１２０６には、外側中足部ポッド開口部１２１１のほぼ後方からかかと側端部に向かって安定用クレードル１２０６のかかと領域の外側を貫いて延びる外側かかとポッド開口部１２１３が画成される。外側かかとポッド１２１４が、基本的に外側かかとポッド開口部１２１３と同じに形作られ、外側かかとポッド開口部１２１３に相関し、外側かかとポッド１２１４が前記外側かかとポッド開口部１２１３を通って延出することを可能にする位置において、安定用クレードル凹領域１２０５内の基部１２０２の下面に固定される。外側かかとポッド１２１４は、中敷き１２００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１２１４は、内側曲線縁部をさらに有する。全体構成は、大まかには直線よりもむしろ上述の湾曲した縁部を有する多面の幾何学的形状である。
【０１９７】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０１９８】
安定用クレードル１２０６には、かかと側端部にわずかに届かない基部１２０２の下面のかかと領域の内側に沿ってかかと領域を貫いて延びている内側かかとポッド開口部１２１５が画成される。内側かかとポッド１２１６が、基本的に内側かかとポッド開口部１２１５と同じに形作られ、内側かかとポッド開口部１２１５に相関し、内側かかとポッド１２１６が前記内側かかとポッド開口部１２１５を通って延出することを可能にする位置において、安定用クレードル凹領域１２０５内の基部１２０２の下面に固定される。内側かかとポッド１２１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０１９９】
好ましい実施形態において、基部１２０２は、好ましくは水ぶくれの可能性を最小限にするための低い摩擦係数を有する不織布の層である上部シート１２０１で覆われる。好ましくは、上部シート１２０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０２００】
図１３が、足の骨を本発明の中敷きの底面図に重ねて示している。足のかかとに、踵骨１３７０が位置しており、踵骨１３７０の前方に、距骨１３７２が位置している。距骨１３７２の前方において、内側には舟状骨１３７４が位置し、外側には立方骨１３７６が位置している。立方骨１３７６および舟状骨１３７４の前方に、楔状骨１３７８が位置している。楔状骨１３７８および立方骨１３７６の前方に、中足骨１３８０Ａ〜１３８０Ｅが位置している。第１中足骨１３８０Ａが、足の内側に位置し、第５中足骨１３８０Ｅが、足の外側に位置する。中足骨１３８０Ａ〜１３８０Ｅの前方に、基節骨１３８２が位置している。基節骨１３８２の前方に、中節骨１３８４が位置し、各々の足指の端部に、末節骨１３８６が位置している。
【０２０１】
図１４が、（図５と同様の）中敷きの底面図を示しており、中敷きの種々の領域、すなわち遠位端部側内側土踏まず領域１４６５、外側中足部領域１４６６、基部側内側土踏まず領域１４６７、内側かかと領域１４６８、外側かかと領域１４６９、足前部領域１４９３、つま先領域１４９１、中足骨頭領域１４９２、中足部領域１４９４、およびかかと領域１４９５を示している。
【０２０２】
足前部領域１４９３は、つま先領域１４９１および中足骨頭領域１４９２を有し、つま先側端部から中足骨頭または足の「母指球」の背後までの中敷きの全幅を包含する。つま先領域１４９１は、つま先側端部からおおむね第１末節骨、第２および第３中節骨、ならびに第４および第５末節骨の背後かつ中足骨頭の前方を延びる斜めの縁部まで延びる長さを有する。つま先領域１４９１は、内側境界部から外側境界部まで延びる幅を有する。第１中足骨頭領域１４０３および第２〜５中足骨頭領域１４０４を有する中足骨頭領域１４９２は、つま先領域１４９１の斜めの縁部に隣接する前側の斜めの縁部からおおむね中足骨頭の背後を延びる後ろ側の斜めの縁部まで延びる長さを有する。中足骨頭領域１４９２は、内側境界部から外側境界部まで延びる幅を有する。
【０２０３】
中足部領域１４９４は、遠位端部側内側土踏まず領域１４６５および外側中足部領域１４６６を有する。中足部領域１４９４は、足前部領域１４９３または中足骨頭領域１４９２に隣接する前側縁部と、内側における距骨と舟状骨との間から外側における立方骨の背後まで斜めに延びる後ろ側縁部とを有する。中足部領域１４９４は、内側境界部から外側境界部まで延びる幅を有する。
【０２０４】
遠位端部側内側土踏まず領域１４６５は、第１中足骨頭の直後かつ中足骨頭領域１４９２の後ろ側の斜めの縁部に隣接する前側縁部から、距骨と舟状骨間の後ろ側縁部まで延びている。遠位端部側内側土踏まず領域１４６５の幅は、内側境界部から足の中央付近まで延びている。外側中足部領域１４６６は、中足骨頭領域１４９２の後ろ側の斜めの縁部から、立方骨の直後の後ろ側縁部まで延びている。外側中足部領域の幅は、足の中央付近から外側境界部まで延びている。
【０２０５】
かかと領域１４９５は、基部側内側土踏まず領域１４６７と、内側かかと領域１４６８と、外側かかと領域１４６９とを有する。かかと領域１４９５は、中足部領域１４９４の後ろ側縁部に隣接する前側縁部を有し、基部側へとかかと側端部まで延びている。かかと領域１４９５は、内側境界部から外側境界部まで延びる幅を有する。
【０２０６】
基部側内側土踏まず領域１４６７は、距骨と舟状骨との間に位置し、あるいはかかと領域１４９５の前側縁部に隣接する前側縁部から、かかと側端部と距骨間の中ほど付近の内側境界部に沿った後方地点まで延びている。基部側内側土踏まず領域１４６７の幅は、内側境界部から斜めの外側縁部まで延びており、ここで、斜めの外側縁部は、かかと領域１４９５の前側縁部に沿って内側境界部から外側へと中敷きの幅の約３分の１の地点から、基部側内側土踏まず領域１４６７の後方地点まで延びている。
【０２０７】
外側かかと領域１４６９は、立方骨の直後に位置し、あるいはかかと領域１４９５の前側縁部に隣接する前側縁部から、かかと側端部まで延びている。外側かかと領域の幅は、斜めの内側縁部から外側境界部まで延びており、ここで、斜めの内側縁部は、かかと領域１４９５の前側縁部に沿って外側境界部から内側へと中敷きの幅の約３分の１の地点から、かかと側端部のすぐ内側の地点まで延びている。
【０２０８】
内側かかと領域１４６８は、かかと領域１４９５の前側縁部から、かかと側端部のすぐ内側の内側境界部まで延びている。内側かかと領域１４６８の幅は、基部側内側土踏まず領域１４６７の外側の斜めの縁部から、外側かかと領域１４６９の内側の斜めの縁部まで延びている。
【０２０９】
足前部パッド凹領域１４６７が、好ましくは、内側半分において中足骨頭領域１４９２の全長を延び、外側半分において中足骨頭領域１４９２の前側の斜めの縁部から第３〜第５中足骨頭まで延びている。足前部パッド１４６８が、足前部パッド凹領域１４６７へと固定される。
【０２１０】
安定用クレードル１４０６が、中足部領域１４９４およびかかと領域１４９５の全体に位置する。外側半分に位置する安定用クレードル１４０６の一部分は、中足骨頭領域１４９２へと前方に第３〜第５中足骨頭の直後まで延びている。
【０２１１】
好ましい実施形態においては、基部１４０２のリブ１４３２が、リブ開口部１４３１を通って延び、遠位端部側内側土踏まず領域１４６５および基部側内側土踏まず領域１４６７の大部分に位置する。別の実施形態においては、リブまたは突出部が、安定用クレードル１４０６によって定められ、安定用クレードル１４０６から外へと延び、遠位端部側内側土踏まず領域１４６５および基部側内側土踏まず領域１４６７の大部分に位置する。
【０２１２】
外側中足部ポッド開口部が、外側中足部領域１４６６のほぼ中央３分の１に位置する。外側中足部ポッド開口部は、基本的に外側中足部領域１４６６の全長にわたって延びている。外側中足部ポッド１４１２が、外側中足部ポッド開口部へと固定される。
【０２１３】
内側かかとポッド開口部が、内側かかと領域１４６８の大部分に位置する。内側かかとポッド１４１６が、内側かかとポッド開口部へと固定される。外側かかとポッド開口部が、外側かかと領域１４６９の大部分に位置する。外側かかとポッド１４１４が、外側かかとポッド開口部へと固定される。
【０２１４】
図１５Ａ〜１５Ｅが、トライアスロン競走のための中敷きの好ましい実施形態を示している。図１５Ａ−１および１５Ａ−２が、上方および下方からの斜視図を示している。本発明は、これらに限られるわけではないが、（１）複数の安定用リブを有する小面化（ｆａｃｅｔｅｄ）された安定用クレードル、（２）複数のポッド、（３）足前部パッド、（４）ポッドおよび足前部パッドの底面の交差溝パターン、ならびに（５）ひすい輝石（ｊａｄｅｉｔｅ）の冷却用上部布を備える中敷きである。本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。本発明は、（１）足首および足の安定性を改善し、（２）蹴り出しおよび着地の際にかかとおよび足前部にクッションをもたらし、（３）靴の使用および履き替えの際の中敷きの動きまたは滑りの防止を助け、（４）ランニングおよびクロストレーニングの運動の際にかかと、中足部、土踏まず、および足前部に向上したクッションの特徴を提供する、という目標を達成する。
【０２１５】
図１５Ａ−１は、上部シート１５０１および幅方向のアーチ支持部１５３８を説明する中敷き１５００の上面図である。中敷き１５００は、つま先領域からかかと領域まで基部の上面全体を横切って固定された上部シート１５０１を有する。好ましくは、基部の上面には、足の中足骨頭領域の下方に位置する上方へと延びている部分または幅方向のアーチ支持部１５３８が画成される。幅方向のアーチ支持部１５３８の上方への延びは、上部シート４０１のうちの幅方向のアーチ支持部１５３８の領域に対応する部分を押し上げる。
【０２１６】
幅方向のアーチ支持部１５３８は、好ましくは、第２〜第４中足骨頭の下方に位置する。幅方向のアーチ支持部１５３８は、足前部および足の中央に追加の安定性およびクッションを提供する。
【０２１７】
好ましい実施形態において、上部シート１５０１は、水ぶくれの可能性を最小限にするための低い摩擦係数を有する不織布の層である。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。一連の空気穴が、中敷き１５００の上方および下方の空気の循環を可能にするために、上部シート１５０１および基部を貫いて延びている。
【０２１８】
図１５Ａ−２が、中敷きの底面図を示している。中敷き１５００は、好ましくは、上部シート１５０１と、基部１５０２とを有し、基部１５０２は、前記上部シートへと固定される上面と、反対側の下面とを有している。さらに、基部１５０２は、中敷きの内側に沿って上方へと延び、足の土踏まず領域に追加のクッションおよび支持を提供する長手方向のアーチ支持部１５１９をさらに定めている。
【０２１９】
基部１５０２の下面には、足前部領域の足前部パッド凹領域１５０７と、中足部領域およびかかと領域に沿った安定用クレードル凹領域１５０５が画成される。さらに、基部１５０２の下面には、土踏まず領域に沿って外へと延びる１若しくはそれ以上のリブまたは突出部１５３２が画成される。リブ１５３２は、好ましくは、楔状骨の周囲においてより長く、楔状骨から遠位端部方向および基部方向に進むにつれて次第に短くなり、放物線状の全体形状を生み出している。
【０２２０】
基部１５０２は、中敷きが足の自然の形状に一致するかかとカップを有するように、かかとを包み込み、足の側面に沿って部分的に延びる立ち上がった縁部を有する。図１５Ｂ−７〜１５Ｂ−１０に最も良く見て取ることができるとおり、立ち上がった縁部の高さは、通常は、中敷きの内側においてより高くかつより厚く、中敷きの外側においてより低くかつより薄い。
【０２２１】
足前部パッド凹領域１５０７は、足の基節骨の遠位端部の付近において、中敷きのつま先側端部から或る程度基部側において始まる。足前部パッド凹領域１５０７は、外側部分において第３〜第５中足骨頭の辺りまで後方へと延び、内側部分において第１および第２中足骨に沿ってほぼ中間まで後方へと延びている。好ましくは、足前部パッド凹領域１５０７は、第１および第２中足骨の間に位置する後端１５５７を有する。
【０２２２】
足前部パッド１５０８が、足前部パッド凹領域１５０７と基本的に同じに形作られ、足前部パッド凹領域１５０７に固定される。足前部パッド１５０８は、内側縁部と、外側縁部と、基部側縁部（後ろ側縁部）と、遠位端部側縁部（前側縁部）とを有する。足前部パッド１５０８の内側縁部は、前記中敷きの前記内側境界部から外側へと離れて位置する線に沿って延びている。基部側縁部は、前記内側縁部から外側および基部側へと前記後端１５５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１５０７および足前部パッド１５０８は、ユーザの足の第１中足骨頭または内側球を除くユーザの足の親指および足の「母指球」の下方に位置する。図１３が、中敷きにおける足の骨の配置を示している。
【０２２３】
接着剤が、部品を固定するために使用される。足前部パッド１５０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０２２４】
より丈夫な材料を使用することで、足の中敷きのこの部分により柔らかい材料を使用する中敷きと比べて、中敷きの耐久性は３５％〜６５％向上すると推定される。
【０２２５】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域１５０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０２２６】
安定用クレードル１５０６は、基部１５０２の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。好ましくは、安定用クレードル１５０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０２２７】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０２２８】
安定用クレードル１５０６には、好ましくは、１若しくはそれ以上のリブ状の開口部１５３１が画成される。好ましい実施形態において、リブ状の開口部１５３１は、基部１５０２の前記リブ１５３２がリブ状の開口部１５３１を通って延びることを可能にする。好ましくは、基部１５０２が、リブ１５３２がリブ状の開口部１５３１へと突出するように成形されることで、リブ１５３２が安定用クレードル１５０６の外面とほぼ同一面になり、安定用クレードル１５０６と基部１５０２とを一体に機械的に係止する。好都合には、リブ１５３２が、基部１５０２が（例えば、歩行またはランニング中に）圧縮されたときにリブ状の開口部１５３１を通って張り出し、足の土踏まずにさらなるクッションおよびサポートをもたらすこともできる。好ましくは、前記リブ１５３２は、外へと約０．５０ｍｍ〜１．５ｍｍ延び、約４ｍｍの幅を有する。リブ状の開口部１５３１は、安定用クレードル１５０６が土踏まず領域において安定用クレードル１５０６の他の部分と比べてより柔軟になることを可能にする。
【０２２９】
別の実施形態においては、安定用クレードル１５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０２３０】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０２３１】
安定用クレードル１５０６には、第３〜第５中足骨頭の背後から基部側へと立方骨の後ろまで延びる外側中足部ポッド開口部１５１１が画成される。外側中足部ポッド開口部１５１１の長さは、好ましくは、中足部の外側面にクッションをもたらすために充分である。外側中足部ポッド１５１２が、基本的に外側中足部ポッド開口部１５１１と同じに形作られ、外側中足部ポッド開口部１５１１に相関し、外側中足部ポッド１５１２が前記外側中足部ポッド開口部１５１１を通って延出することを可能にする位置において、安定用クレードル凹領域１５０５内の基部１５０２の下面に固定される。
【０２３２】
外側中足部ポッド１５１２は、好ましくは、ＡＳＫＥＲ  Ｃ硬度が約４５〜５０であるＴＰＲまたはＰＵから作られる。ＴＰＲが使用される場合、次に布地が、前記基部１５０２の外側中足部ポッド開口部１５１１において基部１５０２へと固定される。この布地部品は、ＴＰＲの基部１５０２への適切な接着を可能にする。
【０２３３】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【０２３４】
外側かかとポッド１５１４の構成、材料、および位置が、クッションを提供し、内側かかとポッド５１５との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１１において基部１５０２へと固定される。この布地部品は、ＴＰＲの基部１５０２への適切な接着を可能にする。
【０２３５】
安定用クレードル１５０６には、かかと側端部にわずかに届かない基部１５０２の下面のかかと領域の内側に沿ってかかと領域を貫いて延びている内側かかとポッド開口部１５１５が画成される。内側かかとポッド１５１６が、基本的に内側かかとポッド開口部１５１５と同じに形作られ、内側かかとポッド開口部１５１５に相関し、内側かかとポッド１５１６が前記内側かかとポッド開口部１５１５を通って延出することを可能にする位置において、安定用クレードル凹領域１５０５内の基部１５０２の下面に固定される。内側かかとポッド１５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０２３６】
内側かかとポッド１５１６は、好ましくは、ＡＳＫＥＲ  Ｃ硬度が約６０±３であるＴＰＲまたはＰＵから作られる。ＴＰＲが使用される場合、次に布地が、前記基部１５０２の内側かかとポッド開口部１５１５において基部１５０２へと固定される。この布地部品は、ＴＰＲの基部１５０２への適切な接着を可能にする。
【０２３７】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１５１４は、踵骨（かかと骨）の後ろかつ外側に沿って配置され、安定用クレードル１５０６の下方を外側へと延びる。好ましくは、外側かかとポッド１５１４は、適切なクッション性を有する材料で製作され、意図される活動の種類にもとづいて選択される。
【０２３８】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０２３９】
安定用クレードル１５０６は、回内の量の制御に役立つように、足の内側部分に沿って堅固な支持を提供する。内側かかとポッド１５１６が、内側かかとポッド１５１６を外側かかとポッド１５１４とは異なる特性を有する材料から形成することによって、回内の速度の制御に役立つ。例えば、回内の速度を下げるために、内側かかとポッド１５１６を、外側かかとポッド１５１４よりも堅固な材料から製作することができる。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１５１６は、より柔らかい材料で作られた外側かかとポッド１５１４と比べて圧縮されないと考えられる。結果として、内側かかとポッド１５１６が、回内に抵抗または対抗する傾向を有し、したがって回内の程度および速度を減らすのに役に立つ。反対に、内側かかとポッド１５１６を外側かかとポッド１５１４よりも柔らかい材料から製作することが、回内の量および速度を増す傾向にあると考えられる。
【０２４０】
好ましくは、内側かかとポッド１５１６に使用される材料の堅固さは、外側かかとポッド１５１４の堅固さおよび意図される活動の種類にもとづいて選択される。例えば、外側かかとポッド１５１４および内側かかとポッド１５１６の堅固さは、軽度〜中程度の活動の際に使用される中敷きにおいて、約２０〜３０％異なる。
【０２４１】
重いバックパックまたは他の物品の携行は、かかと接地の最中および後の足への荷重および回内の速度を大きく増加させる。したがって、内側かかとポッド１５１６を、バックパッキングの際に使用されるように設計された中敷きにおいては大幅に堅固に作ることができる。例として、そのような活動に関しては、約２０〜４０％という堅固さの差が、より適切である。
【０２４２】
外側中足部ポッド１５１２は、一歩のうちの中間姿勢部分において足の外側にクッションおよび制御をもたらす。典型的には、外側中足部ポッド１５１２は、外側かかとポッド１５１４と同じ特性、例えば堅固さを有する材料で形成される。しかしながら、異なる特性を有する材料も、使用可能である。
【０２４３】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０２４４】
一歩のうちの推進または足趾離地の段階の始まりにおいて、かかとが地面から持ち上げられ始め、重量が母指球へと移動する。足前部パッド１５０８が、足のこの部分の下方に位置する。好ましくは、足前部パッド１５０８は、足前部パッド１５０８の圧縮に投入されたエネルギが足趾離地の際に足の前進を助けるべく戻されるように、比較的弾性的な材料で形成される。
【０２４５】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１５０８の内側部分は、安定用クレードル１５０６の遠位端部側縁部の対応する凹状の縁部部分へと後方に延びている。安定用クレードル１５０６および足前部パッド１５０８の形状が、第１中足骨がより自然に曲がることを許すことで、足趾離地の際に親指へと荷重が加わるように促進する。
【０２４６】
基部１５０２は、好ましくは発泡体または適切なクッション性を有する他の材料で製作される。好ましくは、基部１５０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０２４７】
足前部パッド１５０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０２４８】
足前部パッド１５２０、外側中足部ポッド１５２１、外側かかとポッド１５２２、および内側かかとポッド１５２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターン１５２１および１５２２は、深さが約１．００〜３．００ｍｍである。好ましくは、内側かかとの交差溝パターン１５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きを靴の中で動き回ったり、あるいは滑ったりすることがないように所定の場所に保つ助けとなる。
【０２４９】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０２５０】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。オープンセル（ｏｐｅｎ−ｃｅｌｌ）の設計を使用することで、より軽量な中敷きがもたらされると考えられる。
【０２５１】
本発明の第１の好ましい実施形態において、下面において基部１５０２によって定められる凹領域内で基部１５０２へと固定される中敷きの種々の部品は、接着剤などの適切な手段を使用して基部１５０２に恒久的に取り付けられる。部品は、成形プロセスの際に中敷きの成形の分野の公知の技術を使用して固定される。
【０２５２】
また、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０２５３】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部１５０２は、ユーザが靴の内部に適切にフィットするように中敷きの長さを短くすることを可能にするサイズ調節ガイド１５５０を有することができ、サイズ調節ガイド１５５０は、ユーザが好ましくははさみで切断するであろう種々の切断案内線を提供する。
【０２５４】
図１５Ｂ−１〜１５Ｂ−１０は、中敷きの上面図、底面図、内側の側面図、外側の側面図、後面図、および５つの断面図を示している。
【０２５５】
図１５Ｂ−１は、中敷きの内側の側面図を示している。中敷き１５００は、好ましくは、上部シート１５０１と、基部１５０２とを有し、基部１５０２は、前記上部シートへと固定される上面と、反対側の下面とを有している。さらに、基部１５０２は、中敷きの内側に沿って上方へと延び、足の土踏まず領域に追加のクッションおよび支持を提供する長手方向のアーチ支持部１５１９をさらに定めている。
【０２５６】
基部１５０２の下面には、足前部領域の足前部パッド凹領域と、中足部領域およびかかと領域に沿った安定用クレードル凹領域１５０５が画成される。さらに、基部１５０２の下面には、土踏まず領域に沿って外へと延びる１若しくはそれ以上のリブまたは突出部１５３２が画成される。リブ１５３２は、好ましくは、楔状骨の周囲においてより長く、楔状骨から遠位端部方向および基部方向に進むにつれて次第に短くなり、放物線状の全体形状を生み出している。
【０２５７】
基部１５０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０２５８】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０２５９】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０２６０】
安定用クレードル１５０６は、基部１５０２の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。
【０２６１】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０２６２】
安定用クレードル１５０６には、好ましくは、１若しくはそれ以上のリブ状の開口部１５３１が画成される。好ましい実施形態において、リブ状の開口部１５３１は、基部１５０２の前記リブ１５３２がリブ状の開口部１５３１を通って延びることを可能にする。好ましくは、基部１５０２が、リブ１５３２がリブ状の開口部１５３１へと突出するように成形されることで、リブ１５３２が安定用クレードル１５０６の外面とほぼ同一面になり、安定用クレードル１５０６と基部１５０２とを一体に機械的に係止する。好都合には、リブ１５３２が、基部１５０２が（例えば、歩行またはランニング中に）圧縮されたときにリブ状の開口部１５３１を通って張り出し、足の土踏まずにさらなるクッションおよびサポートをもたらすこともできる。好ましくは、前記リブ１５３２は、外へと約０．５０ｍｍ〜１．５ｍｍ延び、約４ｍｍの幅を有する。リブ状の開口部１５３１は、安定用クレードル１５０６が土踏まず領域において安定用クレードル１５０６の他の部分と比べてより柔軟になることを可能にする。
【０２６３】
別の実施形態においては、安定用クレードル１５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０２６４】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０２６５】
安定用クレードル１５０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１５０５内の基部１５０２の下面に固定される。
【０２６６】
さらに、安定用クレードル１５０６には、外側中足部ポッド開口部のほぼ後方からかかと側端部に向かって安定用クレードル１５０６のかかと領域の外側を貫いて延びる外側かかとポッド開口部が画成される。外側かかとポッドが、基本的に外側かかとポッド開口部と同じに形作られ、外側かかとポッド開口部に相関し、外側かかとポッドが前記外側かかとポッド開口部を通って延出することを可能にする位置において、安定用クレードル凹領域１５０５内の基部１５０２の下面に固定される。
【０２６７】
安定用クレードル１５０６には、かかと側端部にわずかに届かない基部１５０２の下面のかかと領域の内側に沿ってかかと領域を貫いて延びている内側かかとポッド開口部が画成される。内側かかとポッド１５１６が、基本的に内側かかとポッド開口部と同じに形作られ、内側かかとポッド開口部に相関し、内側かかとポッド１５１６が前記内側かかとポッド開口部を通って延出することを可能にする位置において、安定用クレードル凹領域１５０５内の基部１５０２の下面に固定される。
【０２６８】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０２６９】
好ましくは、基部の上面には、足の中足骨頭領域の下方に位置する上方へと延びている部分または幅方向のアーチ支持部１５３８が画成される。幅方向のアーチ支持部１５３８の上方への延びは、上部シート１５０１のうちの幅方向のアーチ支持部１５３８の領域に対応する部分を押し上げる。
【０２７０】
幅方向のアーチ支持部１５３８は、好ましくは、第２〜第４中足骨頭の下方に位置する。幅方向のアーチ支持部１５３８は、足前部および足の中央に追加の安定性およびクッションを提供する。
【０２７１】
図１５Ａ−２が、中敷きの底面図を示している。中敷き１５００は、好ましくは、上部シート１５０１と、基部１５０２とを有し、基部１５０２は、前記上部シートへと固定される上面と、反対側の下面とを有している。さらに、基部１５０２は、中敷きの内側に沿って上方へと延び、足の土踏まず領域に追加のクッションおよび支持を提供する長手方向のアーチ支持部１５１９をさらに定めている。
【０２７２】
基部１５０２の下面には、足前部領域の足前部パッド凹領域１５０７と、中足部領域およびかかと領域に沿った安定用クレードル凹領域１５０５が画成される。さらに、基部１５０２の下面には、土踏まず領域に沿って外へと延びる１若しくはそれ以上のリブまたは突出部１５３２が画成される。リブ１５３２は、好ましくは、楔状骨の周囲においてより長く、楔状骨から遠位端部方向および基部方向に進むにつれて次第に短くなり、放物線状の全体形状を生み出している。
【０２７３】
基部１５０２は、中敷きが足の自然の形状に一致するかかとカップを有するように、かかとを包み込み、足の側面に沿って部分的に延びる立ち上がった縁部を有する。図１５Ｂ−７〜１５Ｂ−１０に最も良く見て取ることができるとおり、立ち上がった縁部の高さは、通常は、中敷きの内側においてより高くかつより厚く、中敷きの外側においてより低くかつより薄い。
【０２７４】
足前部パッド凹領域１５０７は、足の基節骨の遠位端部の付近において、中敷きのつま先側端部から或る程度基部側において始まる。足前部パッド凹領域１５０７は、外側部分において第３〜第５中足骨頭の辺りまで後方へと延び、内側部分において第１および第２中足骨に沿ってほぼ中間まで後方へと延びている。好ましくは、足前部パッド凹領域１５０７は、第１および第２中足骨の間に位置する後端１５５７を有する。
【０２７５】
足前部パッド１５０８が、足前部パッド凹領域１５０７と基本的に同じに形作られ、足前部パッド凹領域１５０７に固定される。足前部パッド１５０８は、内側縁部と、外側縁部と、基部側縁部（後ろ側縁部）と、遠位端部側縁部（前側縁部）とを有する。足前部パッド１５０８の内側縁部は、前記中敷きの前記内側境界部から外側へと離れて位置する線に沿って延びている。基部側縁部は、前記内側縁部から外側および基部側へと前記後端１５５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１５０７および足前部パッド１５０８は、ユーザの足の第１中足骨頭または内側球を除くユーザの足の親指および足の「母指球」の下方に位置する。図１１が、中敷きにおける足の骨の配置を示している。
【０２７６】
接着剤が、部品を固定するために使用される。足前部パッド１５０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０２７７】
より丈夫な材料を使用することで、足の中敷きのこの部分により柔らかい材料を使用する中敷きと比べて、中敷きの耐久性は３５％〜６５％向上すると推定される。
【０２７８】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域１５０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０２７９】
安定用クレードル１５０６は、基部１５０２の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。好ましくは、安定用クレードル１５０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０２８０】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０２８１】
安定用クレードル１５０６には、好ましくは、１若しくはそれ以上のリブ状の開口部１５３１が画成される。好ましい実施形態において、リブ状の開口部１５３１は、基部１５０２の前記リブ１５３２がリブ状の開口部１５３１を通って延びることを可能にする。好ましくは、基部１５０２が、リブ１５３２がリブ状の開口部１５３１へと突出するように成形されることで、リブ１５３２が安定用クレードル１５０６の外面とほぼ同一面になり、安定用クレードル１５０６と基部１５０２とを一体に機械的に係止する。好都合には、リブ１５３２が、基部１５０２が（例えば、歩行またはランニング中に）圧縮されたときにリブ状の開口部１５３１を通って張り出し、足の土踏まずにさらなるクッションおよびサポートをもたらすこともできる。好ましくは、前記リブ１５３２は、外へと約０．５０ｍｍ〜１．５ｍｍ延び、約４ｍｍの幅を有する。リブ状の開口部１５３１は、安定用クレードル１５０６が土踏まず領域において安定用クレードル１５０６の他の部分と比べてより柔軟になることを可能にする。
【０２８２】
別の実施形態においては、安定用クレードル１５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０２８３】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０２８４】
安定用クレードル１５０６には、第３〜第５中足骨頭の背後から基部側へと立方骨の後ろまで延びる外側中足部ポッド開口部１５１１が画成される。外側中足部ポッド開口部１５１１の長さは、好ましくは、中足部の外側面にクッションをもたらすために充分である。外側中足部ポッド１５１２が、基本的に外側中足部ポッド開口部１５１１と同じに形作られ、外側中足部ポッド開口部１５１１に相関し、外側中足部ポッド１５１２が前記外側中足部ポッド開口部１５１１を通って延出することを可能にする位置において、安定用クレードル凹領域１５０５内の基部１５０２の下面に固定される。
【０２８５】
外側中足部ポッド１５１２は、好ましくは、ＡＳＫＥＲ  Ｃ硬度が約４５〜５０であるＴＰＲまたはＰＵから作られる。ＴＰＲが使用される場合、次に布地が、前記基部１５０２の外側中足部ポッド開口部１５１１において基部１５０２へと固定される。この布地部品は、ＴＰＲの基部１５０２への適切な接着を可能にする。
【０２８６】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【０２８７】
外側かかとポッド１５１４の構成、材料、および位置が、クッションを提供し、内側かかとポッド１５１５との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１１において基部１５０２へと固定される。この布地部品は、ＴＰＲの基部１５０２への適切な接着を可能にする。
【０２８８】
安定用クレードル１５０６には、かかと側端部にわずかに届かない基部１５０２の下面のかかと領域の内側に沿ってかかと領域を貫いて延びている内側かかとポッド開口部１５１５が画成される。内側かかとポッド１５１６が、基本的に内側かかとポッド開口部１５１５と同じに形作られ、内側かかとポッド開口部１５１５に相関し、内側かかとポッド１５１６が前記内側かかとポッド開口部１５１５を通って延出することを可能にする位置において、安定用クレードル凹領域１５０５内の基部１５０２の下面に固定される。内側かかとポッド１５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０２８９】
内側かかとポッド１５１６は、好ましくは、ＡＳＫＥＲ  Ｃ硬度が約６０±３であるＴＰＲまたはＰＵから作られる。ＴＰＲが使用される場合、次に布地が、前記基部１５０２の内側かかとポッド開口部１５１５において基部１５０２へと固定される。この布地部品は、ＴＰＲの基部１５０２への適切な接着を可能にする。
【０２９０】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１５１４は、踵骨（かかと骨）の後ろかつ外側に沿って配置され、安定用クレードル１５０６の下方を外側へと延びる。好ましくは、外側かかとポッド１５１４は、適切なクッション性を有する材料で製作され、意図される活動の種類にもとづいて選択される。
【０２９１】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０２９２】
安定用クレードル１５０６は、回内の量の制御に役立つように、足の内側部分に沿って堅固な支持を提供する。内側かかとポッド１５１６が、内側かかとポッド１５１６を外側かかとポッド１５１４とは異なる特性を有する材料から形成することによって、回内の速度の制御に役立つ。例えば、回内の速度を下げるために、内側かかとポッド１５１６を、外側かかとポッド１５１４よりも堅固な材料から製作することができる。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１５１６は、より柔らかい材料で作られた外側かかとポッド１５１４と比べて圧縮されないと考えられる。結果として、内側かかとポッド１５１６が、回内に抵抗または対抗する傾向を有し、したがって回内の程度および速度を減らすのに役に立つ。反対に、内側かかとポッド１５１６を外側かかとポッド１５１４よりも柔らかい材料から製作することが、回内の量および速度を増す傾向にあると考えられる。
【０２９３】
好ましくは、内側かかとポッド１５１６に使用される材料の堅固さは、外側かかとポッド１５１４の堅固さおよび意図される活動の種類にもとづいて選択される。例えば、外側かかとポッド１５１４および内側かかとポッド１５１６の堅固さは、軽度〜中程度の活動の際に使用される中敷きにおいて、約２０〜３０％異なる。
【０２９４】
重いバックパックまたは他の物品の携行は、かかと接地の最中および後の足への荷重および回内の速度を大きく増加させる。したがって、内側かかとポッド１５１６を、バックパッキングの際に使用されるように設計された中敷きにおいては大幅に堅固に作ることができる。例として、そのような活動に関しては、約２０〜４０％という堅固さの差が、より適切である。
【０２９５】
外側中足部ポッド１５１２は、一歩のうちの中間姿勢部分において足の外側にクッションおよび制御をもたらす。典型的には、外側中足部ポッド１５１２は、外側かかとポッド１５１４と同じ特性、例えば堅固さを有する材料で形成される。しかしながら、異なる特性を有する材料も、使用可能である。
【０２９６】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０２９７】
一歩のうちの推進または足趾離地の段階の始まりにおいて、かかとが地面から持ち上げられ始め、重量が母指球へと移動する。足前部パッド１５０８が、足のこの部分の下方に位置する。好ましくは、足前部パッド１５０８は、足前部パッド１５０８の圧縮に投入されたエネルギが足趾離地の際に足の前進を助けるべく戻されるように、比較的弾性的な材料で形成される。
【０２９８】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１５０８の内側部分は、安定用クレードル１５０６の遠位端部側縁部の対応する凹状の縁部部分へと後方に延びている。安定用クレードル１５０６および足前部パッド１５０８の形状が、第１中足骨がより自然に曲がることを許すことで、足趾離地の際に親指へと荷重が加わるように促進する。
【０２９９】
基部１５０２は、好ましくは発泡体または適切なクッション性を有する他の材料で製作される。好ましくは、基部１５０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０３００】
足前部パッド１５０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０３０１】
足前部パッド１５２０、外側中足部ポッド１５２１、外側かかとポッド１５２２、および内側かかとポッド１５２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターン１５２１および１５２２は、深さが約１．００〜３．００ｍｍである。好ましくは、内側かかとの交差溝パターン１５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きを靴の中で動き回ったり、あるいは滑ったりすることがないように所定の場所に保つ助けとなる。
【０３０２】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０３０３】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。オープンセル（ｏｐｅｎ−ｃｅｌｌ）の設計を使用することで、より軽量な中敷きがもたらされると考えられる。
【０３０４】
本発明の第１の好ましい実施形態において、下面において基部１５０２によって定められる凹領域内で基部１５０２へと固定される中敷きの種々の部品は、接着剤などの適切な手段を使用して基部１５０２に恒久的に取り付けられる。部品は、成形プロセスの際に中敷きの成形の分野の公知の技術を使用して固定される。
【０３０５】
また、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０３０６】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部１５０２は、ユーザが靴の内部に適切にフィットするように中敷きの長さを短くすることを可能にするサイズ調節ガイド１５５０を有することができ、サイズ調節ガイド１５５０は、ユーザが好ましくははさみで切断するであろう種々の切断案内線を提供する。
【０３０７】
図１５Ｂ−３が、中敷きの外側の側面図を示している。中敷き１５００は、好ましくは、上部シート１５０１と、基部１５０２とを有し、基部１５０２は、前記上部シート１５０１へと固定される上面と、反対側の下面とを有している。さらに、基部１５０２は、中敷きの内側に沿って上方へと延び、足の土踏まず領域に追加のクッションおよび支持を提供する長手方向のアーチ支持部１５１９をさらに定めている。
【０３０８】
基部１５０２の下面には、足前部領域の足前部パッド凹領域と、中足部領域およびかかと領域に沿った安定用クレードル凹領域１５０５が画成される。
【０３０９】
基部１５０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０３１０】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０３１１】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域１５０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０３１２】
安定用クレードル１５０６は、基部１５０２の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。
【０３１３】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０３１４】
安定用クレードル１５０６には、第３〜第５中足骨頭の背後から基部側へと立方骨の後ろまで延びる外側中足部ポッド開口部が画成される。外側中足部ポッド１５１２が、基本的に外側中足部ポッド開口部と同じに形作られ、外側中足部ポッド開口部に相関し、外側中足部ポッド１５１２が前記外側中足部ポッド開口部を通って延出することを可能にする位置において、安定用クレードル凹領域１５０５内の基部１５０２の下面に固定される。
【０３１５】
さらに、安定用クレードル１５０６には、外側中足部ポッド開口部のほぼ後方からかかと側端部に向かって安定用クレードル１５０６のかかと領域の外側を貫いて延びる外側かかとポッド開口部が画成される。外側かかとポッド１５１４が、基本的に外側かかとポッド開口部と同じに形作られ、外側かかとポッド開口部に相関し、外側かかとポッド１５１４が前記外側かかとポッド開口部を通って延出することを可能にする位置において、安定用クレードル凹領域１５０５内の基部１５０２の下面に固定される。
【０３１６】
安定用クレードル１５０６には、かかと側端部にわずかに届かない基部１５０２の下面のかかと領域の内側に沿ってかかと領域を貫いて延びている内側かかとポッド開口部が画成される。内側かかとポッドが、基本的に内側かかとポッド開口部と同じに形作られ、内側かかとポッド開口部に相関し、内側かかとポッドが前記内側かかとポッド開口部を通って延出することを可能にする位置において、安定用クレードル凹領域１５０５内の基部１５０２の下面に固定される。
【０３１７】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０３１８】
好ましくは、基部の上面には、足の中足骨頭領域の下方に位置する上方へと延びている部分または幅方向のアーチ支持部１５３８が画成される。幅方向のアーチ支持部１５３８の上方への延びは、上部シート１５０１のうちの幅方向のアーチ支持部１５３８の領域に対応する部分を押し上げる。
【０３１９】
幅方向のアーチ支持部１５３８は、好ましくは、第２〜第４中足骨頭の下方に位置する。幅方向のアーチ支持部１５３８は、足前部および足の中央に追加の安定性およびクッションを提供する。
【０３２０】
図１５Ａ−１は、上部シート１５０１および幅方向のアーチ支持部１５３８を説明する中敷きの上面図である。中敷き１５００は、つま先領域からかかと領域まで基部の上面全体を横切って固定された上部シート１５０１を有する。好ましくは、基部の上面には、足の中足骨頭領域の下方に位置する上方へと延びている部分または幅方向のアーチ支持部１５３８が画成される。幅方向のアーチ支持部１５３８の上方への延びは、上部シート１５０１のうちの幅方向のアーチ支持部１５３８の領域に対応する部分を押し上げる。
【０３２１】
幅方向のアーチ支持部１５３８は、好ましくは、第２〜第４中足骨頭の下方に位置する。幅方向のアーチ支持部１５３８は、足前部および足の中央に追加の安定性およびクッションを提供する。
【０３２２】
好ましい実施形態において、上部シート１５０１は、水ぶくれの可能性を最小限にするための低い摩擦係数を有する不織布の層である。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。一連の空気穴が、中敷き１５００の上方および下方の空気の循環を可能にするために、上部シート１５０１および基部を貫いて延びている。
【０３２３】
図１５Ｂ−５は、図１５Ｂ−２において特定される中敷きの真ん中に沿った断面図１５Ｂ−５である。中敷き１５００は、好ましくは、上部シート１５０１と、基部１５０２とを有し、基部１５０２は、前記上部シート１５０１へと固定される上面と、反対側の下面とを有している。基部１５０２の下面には、足前部領域の足前部パッド凹領域１５０７と、中足部領域およびかかと領域に沿った安定用クレードル凹領域１５０５が画成される。
【０３２４】
基部１５０２は、中敷きが足の自然の形状に一致するかかとカップを有するように、かかとを包み込み、足の側面に沿って部分的に延びる立ち上がった縁部を有する。図１５Ｂ−６〜１５Ｂ−１０に最も良く見て取ることができるとおり、立ち上がった縁部の高さは、通常は、中敷きの内側においてより高くかつより厚く、中敷きの外側においてより低くかつより薄い。
【０３２５】
好ましくは、基部１５０２の上面には、足の中足骨頭領域の下方に位置する上方へと延びている部分または幅方向のアーチ支持部１５３８が画成される。幅方向のアーチ支持部１５３８の上方への延びは、上部シート１５０１のうちの幅方向のアーチ支持部１５３８の領域に対応する部分を押し上げる。幅方向のアーチ支持部１５３８は、好ましくは、第２〜第４中足骨頭の下方に位置する。幅方向のアーチ支持部１５３８は、足前部および足の中央に追加の安定性およびクッションを提供する。
【０３２６】
足前部パッド凹領域１５０７は、足の基節骨の遠位端部の付近において、中敷きのつま先側端部から或る程度基部側において始まる。足前部パッド凹領域１５０７は、外側部分において第３〜第５中足骨頭の辺りまで後方へと延び、内側部分において第１および第２中足骨に沿ってほぼ中間まで後方へと延びている。好ましくは、足前部パッド凹領域１５０７は、第１および第２中足骨の間に位置する後端を有する。
【０３２７】
足前部パッド１５０８が、足前部パッド凹領域１５０７と基本的に同じに形作られ、足前部パッド凹領域１５０７に固定される。足前部パッド１５０８は、内側縁部と、外側縁部と、基部側縁部（後ろ側縁部）と、遠位端部側縁部（前側縁部）とを有する。足前部パッド１５０８の内側縁部は、前記中敷きの前記内側境界部から外側へと離れて位置する線に沿って延びている。基部側縁部は、前記内側縁部から外側および基部側へと前記後端１５５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１５０７および足前部パッド１５０８は、ユーザの足の第１中足骨頭または内側球を除くユーザの足の親指および足の「母指球」の下方に位置する。図１１が、中敷きにおける足の骨の配置を示している。
【０３２８】
接着剤が、部品を固定するために使用される。足前部パッド１５０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０３２９】
より丈夫な材料を使用することで、足の中敷きのこの部分により柔らかい材料を使用する中敷きと比べて、中敷きの耐久性は３５％〜６５％向上すると推定される。
【０３３０】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域１５０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０３３１】
安定用クレードル１５０６は、基部１５０２の側面および後部を包んで足にサポートを提供する壁を有する。
【０３３２】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０３３３】
安定用クレードル１５０６には、第３〜第５中足骨頭の背後から基部側へと立方骨の後ろまで延びる外側中足部ポッド開口部が画成される。外側中足部ポッド開口部の長さは、好ましくは、中足部の外側面にクッションをもたらすために充分である。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１５０５内の基部１５０２の下面に固定される。
【０３３４】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【０３３５】
外側かかとポッド１５１４の構成、材料、および位置が、クッションを提供し、内側かかとポッド１５１５との協働において足首を安定させるように機能する。
【０３３６】
安定用クレードル１５０６には、かかと側端部にわずかに届かない基部１５０２の下面のかかと領域の内側に沿ってかかと領域を貫いて延びている内側かかとポッド開口部１５１５が画成される。内側かかとポッド１５１６が、基本的に内側かかとポッド開口部１５１５と同じに形作られ、内側かかとポッド開口部１５１５に相関し、内側かかとポッド１５１６が前記内側かかとポッド開口部１５１５を通って延出することを可能にする位置において、安定用クレードル凹領域１５０５内の基部１５０２の下面に固定される。内側かかとポッド１５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０３３７】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１５１４は、踵骨（かかと骨）の後ろかつ外側に沿って配置され、安定用クレードル１５０６の下方を外側へと延びる。好ましくは、外側かかとポッド１５１４は、適切なクッション性を有する材料で製作され、意図される活動の種類にもとづいて選択される。
【０３３８】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０３３９】
安定用クレードル１５０６は、回内の量の制御に役立つように、足の内側部分に沿って堅固な支持を提供する。内側かかとポッド１５１６が、内側かかとポッド１５１６を外側かかとポッド１５１４とは異なる特性を有する材料から形成することによって、回内の速度の制御に役立つ。例えば、回内の速度を下げるために、内側かかとポッド１５１６は、外側かかとポッド１５１４よりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１５１６は、より柔らかい材料で作られた外側かかとポッド１５１４と比べて圧縮されないと考えられる。結果として、内側かかとポッド１５１６が、回内に抵抗または対抗する傾向を有し、したがって回内の程度および速度を減らすのに役に立つ。反対に、内側かかとポッド１５１６を外側かかとポッド１５１４よりも柔らかい材料から製作することが、回内の量および速度を増す傾向にあると考えられる。
【０３４０】
好ましくは、内側かかとポッド１５１６に使用される材料の堅固さは、外側かかとポッド１５１４の堅固さおよび意図される活動の種類にもとづいて選択される。例えば、外側かかとポッド１５１４および内側かかとポッド１５１６の堅固さは、軽度〜中程度の活動の際に使用される中敷きにおいて、約２０〜３０％異なる。
【０３４１】
重いバックパックまたは他の物品の携行は、かかと接地の最中および後の足への荷重および回内の速度を大きく増加させる。したがって、内側かかとポッド１５１６が、バックパッキングの際に使用されるように設計された中敷きにおいては大幅に堅固に作られる。例として、そのような活動に関しては、約２０〜４０％という堅固さの差が、より適切である。
【０３４２】
外側中足部ポッド１５１２は、一歩のうちの中間姿勢部分において足の外側にクッションおよび制御をもたらす。典型的には、外側中足部ポッドは、外側かかとポッド１５１４と同じ特性、例えば堅固さを有する材料で形成される。しかしながら、異なる特性を有する材料も、使用可能である。
【０３４３】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０３４４】
一歩のうちの推進または足趾離地の段階の始まりにおいて、かかとが地面から持ち上げられ始め、重量が母指球へと移動する。足前部パッド１５０８が、足のこの部分の下方に位置する。好ましくは、足前部パッド１５０８は、足前部パッド１５０８の圧縮に投入されたエネルギが足趾離地の際に足の前進を助けるべく戻されるように、比較的弾性的な材料で形成される。
【０３４５】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１５０８の内側部分は、安定用クレードル１５０６の遠位端部側縁部の対応する凹状の縁部部分へと後方に延びている。安定用クレードル１５０６および足前部パッド１５０８の形状が、第１中足骨がより自然に曲がることを許すことで、足趾離地の際に親指へと荷重が加わるように促進する。
【０３４６】
足前部パッド１２０、外側中足部ポッド１２１、外側かかとポッド１２２、および内側かかとポッド１２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターンは、深さが約１．００〜３．００ｍｍである。好ましくは、内側かかとの交差溝パターン１５２３は、深さが約１．００〜２．５０ｍｍである。
【０３４７】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０３４８】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０３４９】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０３５０】
本発明の第１の好ましい実施形態において、下面において基部１５０２によって定められる凹領域内で基部１５０２へと固定される中敷きの種々の部品は、接着剤などの適切な手段を使用して基部１５０２に恒久的に取り付けられる。また、部品は、成形プロセスの際に中敷きの成形の分野の公知の技術を使用して固定される。
【０３５１】
さらに、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０３５２】
図１５Ｂ−６が、中敷きの後面図を示している。中敷き１５００は、好ましくは、上部シート１５０１と、基部１５０２とを有し、基部１５０２は、前記上部シートへと固定される上面と、反対側の下面とを有している。さらに、基部１５０２は、中敷きの内側に沿って上方へと延び、足の土踏まず領域に追加のクッションおよび支持を提供する長手方向のアーチ支持部１５１９をさらに定めている。
【０３５３】
基部１５０２の下面には、足前部領域の足前部パッド凹領域と、中足部領域およびかかと領域に沿った安定用クレードル凹領域１５０５が画成される。さらに、基部１５０２の下面には、土踏まず領域に沿って外へと延びる１若しくはそれ以上のリブまたは突出部１５３２が画成される。リブ１５３２は、好ましくは、楔状骨の周囲においてより長く、楔状骨から遠位端部方向および基部方向に進むにつれて次第に短くなり、放物線状の全体形状を生み出している。別の実施形態は、安定用クレードル１５０６によって定められ、土踏まず領域において安定用クレードル１５０６から外へと延びるリブまたは突出部を有する。
【０３５４】
基部１５０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０３５５】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０３５６】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０３５７】
安定用クレードル１５０６は、基部１５０２の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。
【０３５８】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０３５９】
安定用クレードル１５０６には、好ましくは、１若しくはそれ以上のリブ状の開口部１５３１が画成される。好ましい実施形態において、リブ状の開口部１５３１は、基部１５０２の前記リブ１５３２がリブ状の開口部１５３１を通って延びることを可能にする。好ましくは、基部１５０２が、リブ１５３２がリブ状の開口部１５３１へと突出するように成形されることで、リブ１５３２が安定用クレードル１５０６の外面とほぼ同一面になり、安定用クレードル１５０６と基部１５０２とを一体に機械的に係止する。好都合には、リブ１５３２が、基部１５０２が（例えば、歩行またはランニング中に）圧縮されたときにリブ状の開口部１５３１を通って張り出し、足の土踏まずにさらなるクッションおよびサポートをもたらすこともできる。好ましくは、前記リブ１５３２は、外へと約０．５０ｍｍ〜１．５ｍｍ延び、約４ｍｍの幅を有する。リブ状の開口部１５３１は、安定用クレードル１５０６が土踏まず領域において安定用クレードル１５０６の他の部分と比べてより柔軟になることを可能にする。
【０３６０】
別の実施形態においては、安定用クレードル１５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０３６１】
安定用クレードル１５０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１５０５内の基部１５０２の下面に固定される。
【０３６２】
さらに、安定用クレードル１５０６には、外側中足部ポッド開口部のほぼ後方からかかと側端部に向かって安定用クレードル１５０６のかかと領域の外側を貫いて延びる外側かかとポッド開口部が画成される。外側かかとポッド１５１４が、基本的に外側かかとポッド開口部と同じに形作られ、外側かかとポッド開口部に相関し、外側かかとポッド１５１４が前記外側かかとポッド開口部を通って延出することを可能にする位置において、安定用クレードル凹領域１５０５内の基部１５０２の下面に固定される。
【０３６３】
安定用クレードル１５０６には、かかと側端部にわずかに届かない基部１５０２の下面のかかと領域の内側に沿ってかかと領域を貫いて延びている内側かかとポッド開口部が画成される。内側かかとポッド１５１６が、基本的に内側かかとポッド開口部と同じに形作られ、内側かかとポッド開口部に相関し、内側かかとポッド１５１６が前記内側かかとポッド開口部を通って延出することを可能にする位置において、安定用クレードル凹領域１５０５内の基部１５０２の下面に固定される。
【０３６４】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。好ましくは、足前部パッド凹領域１５０７は、第１および第２中足骨の間に位置する後端を有する。
【０３６５】
図１５Ｂ−７は、図１５Ｂ−２において特定されるとおりの断面１５Ｂ−７を示している。中敷き１５００は、好ましくは、上部シート１５０１と、基部１５０２とを有し、基部１５０２は、前記上部シート１５０１へと固定される上面と、反対側の下面とを有している。基部１５０２の下面には、足前部パッド凹領域と、安定用クレードル凹領域が画成される。
【０３６６】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５２６は、安定用クレードル凹領域１５０５と基本的に同じに形作られ、基部対向面と靴対向面とを有する。基部対向面は、前記安定用クレードル凹領域１５０５へと固定される。安定用クレードル１５０６は、基部１５０２の側面および後部を包んで足にサポートを提供する壁を有する。
【０３６７】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０３６８】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【０３６９】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０３７０】
安定用クレードル１５０６には、かかと側端部にわずかに届かない基部１５０２の下面のかかと領域の内側に沿ってかかと領域を貫いて延びている内側かかとポッド開口部１５１５が画成される。内側かかとポッド１５１６が、基本的に内側かかとポッド開口部１５１５と同じに形作られ、内側かかとポッド開口部１５１５に相関し、内側かかとポッド１５１６が前記内側かかとポッド開口部１５１５を通って延出することを可能にする位置において、安定用クレードル凹領域１５０５内の基部１５０２の下面に固定される。内側かかとポッド１５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０３７１】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０３７２】
図１５Ｂ−９および１５Ｂ−８は、それぞれ図１５Ｂ−２において特定されるとおりの断面１５Ｂ−９および１５Ｂ−８を示している。中敷き１５００は、好ましくは、上部シート１５０１と、基部１５０２とを有し、基部１５０２は、前記上部シート１５０１へと固定される上面と、反対側の下面とを有している。基部１５０２の下面には、足前部パッド凹領域と、安定用クレードル凹領域が画成される。
【０３７３】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５１６は、安定用クレードル凹領域１５０５と基本的に同じに形作られ、基部対向面と靴対向面とを有する。基部対向面は、前記安定用クレードル凹領域１５０５へと固定される。安定用クレードル１５０６は、基部１５０２の側面および後部を包んで足にサポートを提供する壁を有する。
【０３７４】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０３７５】
安定用クレードル１５０６には、好ましくは、１若しくはそれ以上のリブ状の開口部１５３１が画成される。好ましい実施形態において、リブ状の開口部１５３１は、基部１５０２の前記リブ１５３２がリブ状の開口部１５３１を通って延びることを可能にする。好ましくは、基部１５０２が、リブ１５３２がリブ状の開口部１５３１へと突出するように成形されることで、リブ１５３２が安定用クレードル１５０６の外面とほぼ同一面になり、安定用クレードル１５０６と基部１５０２とを一体に機械的に係止する。好都合には、リブ１５３２が、基部１５０２が（例えば、歩行またはランニング中に）圧縮されたときにリブ状の開口部１５３１を通って張り出し、足の土踏まずにさらなるクッションおよびサポートをもたらすこともできる。好ましくは、前記リブ１５３２は、外へと約０．５０ｍｍ〜１．５ｍｍ延び、約４ｍｍの幅を有する。リブ状の開口部１５３１は、安定用クレードル１５０６が土踏まず領域において安定用クレードル１５０６の他の部分と比べてより柔軟になることを可能にする。
【０３７６】
別の実施形態においては、安定用クレードル１５０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０３７７】
安定用クレードル１５０６には、第３〜第５中足骨頭の背後から基部側へと立方骨の後ろまで延びる外側中足部ポッド開口部１５１１が画成される。外側中足部ポッド開口部１５１１の長さは、好ましくは、中足部の外側面にクッションをもたらすために充分である。外側中足部ポッド１５１２が、基本的に外側中足部ポッド開口部１５１１と同じに形作られ、外側中足部ポッド開口部１５１１に相関し、外側中足部ポッド１５１２が前記外側中足部ポッド開口部１５１１を通って延出することを可能にする位置において、安定用クレードル凹領域内の基部１５０２の下面に固定される。
【０３７８】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０３７９】
図１５Ｂ−１０は、図１５Ｂ−２において特定されるとおりの断面１５Ｂ−１０を示している。中敷き１５００は、好ましくは、上部シート１５０１と、基部１５０２とを有し、基部１５０２は、前記上部シート１５０１へと固定される上面と、反対側の下面とを有している。基部１５０２の下面には、足前部パッド凹領域と、安定用クレードル凹領域が画成される。
【０３８０】
安定用クレードル凹領域１５０５は、基部１５０２の下面の中足部領域およびかかと領域に位置する。安定用クレードル凹領域１５０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域１５０５と基本的に同じに形作られ、基部対向面と靴対向面とを有する。基部対向面は、前記安定用クレードル凹領域１５０５へと固定される。
【０３８１】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０３８２】
好ましい実施形態において、基部１５０２は、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０３８３】
好ましくは、基部の上面には、足の中足骨頭領域の下方に位置する上方へと延びている部分または幅方向のアーチ支持部１５３８が画成される。幅方向のアーチ支持部１５３８の上方への延びは、上部シート１５０１のうちの幅方向のアーチ支持部１５３８の領域に対応する部分を押し上げる。
【０３８４】
幅方向のアーチ支持部１５３８は、好ましくは、第２〜第４中足骨頭の下方に位置する。幅方向のアーチ支持部１５３８は、足前部および足の中央に追加の安定性を提供する。
【０３８５】
図１５Ｃ−１〜１５Ｃ−８は、安定用クレードルの内側の側面図、底面図、外側の側面図、後面図、および４つの断面図を示している。
【０３８６】
図１５Ｃ−１〜１５Ｃ−８は、安定用クレードル１５０６の内側の側面図、底面図、外側の側面図、後面図、および４つの断面図を示している。安定用クレードル凹領域が、基部の下面の中足部領域およびかかと領域に位置する。安定用クレードル凹領域は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１５０６は、安定用クレードル凹領域と基本的に同じに形作られ、基部対向面と靴対向面とを有する。基部対向面は、前記安定用クレードル凹領域へと固定される。
【０３８７】
安定用クレードル１５０６は、基部の側面および後部を包んで足にサポートを提供する壁を有する。好ましくは、安定用クレードル１５０６は、厚さが約０．５ｍｍ〜３ｍｍの範囲であり、壁が、約３ｍｍから約０．５ｍｍへと先細りである。安定用クレードル１５０６の側面は、好ましくは、足の内側において、荷重がより大きいがゆえにより高い。好ましくは、安定用クレードル１５０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０３８８】
好ましくは、安定用クレードル１５０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０３８９】
安定用クレードル１５０６には、好ましくは、１若しくはそれ以上のリブ状の開口部１５３１が画成される。好ましい実施形態において、リブ状の開口部１５３１は、基部のリブがリブ状の開口部１５３１を通って延びることを可能にする。好都合には、リブが、基部が（例えば、歩行またはランニング中に）圧縮されたときにリブ状の開口部１５３１を通って張り出し、足の土踏まずにさらなるクッションおよびサポートをもたらすこともできる。リブ状の開口部１５３１は、安定用クレードル１５０６が土踏まず領域において安定用クレードル１５０６の他の部分と比べてより柔軟になることを可能にする。
【０３９０】
安定用クレードル１５０６には、第３〜第５中足骨頭の背後から基部側へと立方骨の後ろまで延びる外側中足部ポッド開口部１５１１が画成される。外側中足部ポッド開口部１５１１の長さは、好ましくは、中足部の外側面にクッションをもたらすために充分である。外側中足部ポッド開口部１５１１は、外側中足部ポッドが外側中足部ポッド開口部１５１１を通って延びることを可能にするように設計される。
【０３９１】
さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド開口部１５１３は、中敷きの外側境界部に沿って、前記かかと側端部から前記外側中足部ポッド開口部１５１１から離れて位置する外側かかと縁部まで延びる外側縁部を有する。外側縁部は、中敷きのかかと側端部の外形に倣うようにかかとの領域において湾曲している。外側かかとポッド開口部１５１３は、内側曲線縁部をさらに有する。全体構成は、大まかには直線よりもむしろ上述の湾曲した縁部を有する多面の幾何学的形状である。外側かかとポッド開口部１５１３は、外側かかとポッドが外側かかとポッド開口部１５１３を通って延びることを可能にするように設計される。
【０３９２】
内側かかとポッド開口部１５１５が、かかと側端部にわずかに届かない基部１５０２の下面のかかと領域の内側に沿ってかかと領域を貫いて延びている。内側かかとポッド開口部１５１５は、基本的に豆ざや形状を有し、第１の遠位端部側先端および第２の基部側先端において互いに接続された内側縁部および外側縁部を有する。縁部は、前記内側かかとポッド開口部を画成するように互いに反対方向に広がっている。内側かかとポッド開口部１５１５は、内側かかとポッドが内側かかとポッド開口部１５１５を通って延びることを可能にするように設計される。
【０３９３】
安定用クレードル１５０６は、回内の量の制御に役立つように、足の内側部分に沿って堅固な支持を提供する。
【０３９４】
図１５Ｄ−１〜１５Ｄ−５は、中敷きのパッド１５１２、１５１４、および１５１６の内側の側面、底面、外側の側面、斜視、および断面を示している。
【０３９５】
図１５Ｄ−１〜１５Ｄ−５は、中敷きのパッド１５１２、１５１４、および１５１６の内側の側面図、底面図、外側の側面図、斜視図、および１つの断面図を示している。さらに、安定用クレードル１５０６には、外側中足部ポッド開口部１５１１のほぼ後方からかかと側端部に向かって安定用クレードル１５０６のかかと領域の外側を貫いて延びる外側かかとポッド開口部１５１３が画成される。外側かかとポッド１５１４が、基本的に外側かかとポッド開口部１５１３と同じに形作られ、外側かかとポッド開口部１５１３に相関し、外側かかとポッド１５１４が前記外側かかとポッド開口部１５１３を通って延出することを可能にする位置において、安定用クレードル凹領域１５０５内の基部１５０２の下面に固定される。外側かかとポッド１５１４は、中敷き１５００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１５１４は、内側曲線縁部をさらに有する。全体構成は、大まかには直線よりもむしろ上述の湾曲した縁部を有する多面の幾何学的形状である。
【０３９６】
外側かかとポッド１５１４の構成、材料、および位置が、クッションを提供し、内側かかとポッド１５１５との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１５０２の外側かかとポッド開口部１５１３において基部１０２へと固定される。この布地部品は、ＴＰＲの基部１５０２への適切な接着を可能にする。
【０３９７】
安定用クレードル１５０６には、かかと側端部にわずかに届かない基部１５０２の下面のかかと領域の内側に沿ってかかと領域を貫いて延びている内側かかとポッド開口部１５１５が画成される。内側かかとポッド１５１６が、基本的に内側かかとポッド開口部１５１５と同じに形作られ、内側かかとポッド開口部１５１５に相関し、内側かかとポッド１５１６が前記内側かかとポッド開口部１５１５を通って延出することを可能にする位置において、安定用クレードル凹領域１５０５内の基部１５０２の下面に固定される。内側かかとポッド１５１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０３９８】
内側かかとポッド１５１６は、好ましくは、ＡＳＫＥＲ  Ｃ硬度が約６０±３であるＴＰＲまたはＰＵから作られる。ＴＰＲが使用される場合、次に布地が、前記基部１５０２の内側かかとポッド開口部１５１５において基部１５０２へと固定される。この布地部品は、ＴＰＲの基部１５０２への適切な接着を可能にする。
【０３９９】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１５１４は、踵骨（かかと骨）の後ろかつ外側に沿って配置され、安定用クレードル１５０６の下方を外側へと延びる。好ましくは、外側かかとポッド１５１４は、適切なクッション性を有する材料で製作され、意図される活動の種類にもとづいて選択される。
【０４００】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる可能性がある。
【０４０１】
安定用クレードル１５０６は、回内の量の制御に役立つように、足の内側部分に沿って堅固な支持を提供する。内側かかとポッド１５１６が、内側かかとポッド１５１６を外側かかとポッド１５１４とは異なる特性を有する材料から形成することによって、回内の速度の制御に役立つ。例えば、回内の速度を下げるために、内側かかとポッド１５１６は、外側かかとポッド１５１４よりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１５１６は、より柔らかい材料で作られた外側かかとポッド１５１４と比べて圧縮されないと考えられる。結果として、内側かかとポッド１５１６が、回内に抵抗または対抗する傾向を有し、したがって回内の程度および速度を減らすのに役に立つ。反対に、内側かかとポッド１５１６を外側かかとポッド１５１４よりも柔らかい材料から製作することが、回内の量および速度を増す傾向にあると考えられる。
【０４０２】
好ましくは、内側かかとポッド１５１６に使用される材料の堅固さは、外側かかとポッド１５１４の堅固さおよび意図される活動の種類にもとづいて選択される。例えば、外側かかとポッド１５１４および内側かかとポッド１５１６の堅固さは、軽度〜中程度の活動の際に使用される中敷きにおいて、約２０〜３０％異なる。
【０４０３】
重いバックパックまたは他の物品の携行は、かかと接地の最中および後の足への荷重および回内の速度を大きく増加させる。したがって、内側かかとポッド１５１６が、バックパッキングの際に使用されるように設計された中敷きにおいては大幅に堅固に作られる。例として、そのような活動に関しては、約２０〜４０％という堅固さの差が、より適切である。
【０４０４】
外側中足部ポッド１５１２は、一歩のうちの中間姿勢部分において足の外側にクッションおよび制御をもたらす。典型的には、外側中足部ポッド１５１２は、外側かかとポッド１５１４と同じ特性、例えば堅固さを有する材料で形成される。しかしながら、異なる特性を有する材料も、使用可能である。
【０４０５】
図１５Ｅ−１〜１５Ｅ−４が、足前部パッドの内側の側面図、底面図、断面図、および斜視図を示している。
【０４０６】
図１５Ｅ−１〜１５Ｅ−４は、足前部パッド１５０８の内側の側面図、底面図、断面図、および斜視図を示している。足前部パッド１０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。足前部パッド１５２０、外側中足部ポッド１５２１、外側かかとポッド１５２２、および内側かかとポッド１５２３は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１５２０は、深さが約０．７５ｍｍである。好ましくは、外側中足部および外側かかとの交差溝パターン１５２１および１５２２は、深さが約１．００〜３．００ｍｍである。好ましくは、内側かかとの交差溝パターン１５２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【０４０７】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０４０８】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０４０９】
好ましい実施形態において、基部１５０２は、中敷きのつま先領域からかかと領域まで、好ましくは水ぶくれの可能性を最小限にするための低い摩擦係数を有する不織布の層である上部シート１５０１で覆われる。好ましくは、上部シート１５０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０４１０】
中敷きは、好ましくは、上部シートと、基部とを有し、基部は、前記上部シートへと固定される上面と、反対側の下面とを有している。さらに、基部は、中敷きの内側に沿って上方へと延び、足の土踏まず領域に追加のクッションおよび支持を提供する長手方向のアーチ支持部をさらに定めている。
【０４１１】
好ましくは、基部の上面には、足の中足骨頭領域の下方に位置する上方へと延びている部分または幅方向のアーチ支持部が画成される。幅方向のアーチ支持部の上方への延びは、上部シートのうちの幅方向のアーチ支持部の領域に対応する部分を押し上げる。
【０４１２】
基部の下面には、足前部領域の足前部パッド凹領域と、中足部領域およびかかと領域に沿った安定用クレードル凹領域が画成される。さらに、基部の下面には、土踏まず領域に沿って外へと延びる１若しくはそれ以上のリブまたは突出部が画成される。リブは、好ましくは、楔状骨の周囲においてより長く、楔状骨から遠位端部方向および基部方向に進むにつれて次第に短くなり、放物線状の全体形状を生み出している。別の実施形態は、安定用クレードルによって定められ、土踏まず領域において安定用クレードルから外へと延びるリブまたは突出部を有する。
【０４１３】
基部は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０４１４】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。
【０４１５】
足前部パッドが、足前部パッド凹領域と基本的に同じに形作られ、足前部パッド凹領域に固定される。足前部パッドは、内側縁部と、外側縁部と、基部側縁部（後ろ側縁部）と、遠位端部側縁部（前側縁部）とを有する。足前部パッドの内側縁部は、前記中敷きの前記内側境界部から外側へと離れて位置する線に沿って延びている。基部側縁部は、前記内側縁部から外側および基部側へと前記後端まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域および足前部パッドは、ユーザの足の第１中足骨頭または内側球を除くユーザの足の親指および足の「母指球」の下方に位置する。
【０４１６】
接着剤が、部品を固定するために使用される。足前部パッドは、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０４１７】
安定用クレードル凹領域は、基部の下面の中足部領域およびかかと領域に位置する。安定用クレードル凹領域は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードルは、安定用クレードル凹領域と基本的に同じに形作られ、基部対向面と靴対向面とを有する。基部対向面は、前記安定用クレードル凹領域へと固定される。
【０４１８】
安定用クレードルは、基部の側面および後部を包んで足にサポートを提供する壁を有する。好ましくは、安定用クレードルは、厚さが約０．５ｍｍ〜３ｍｍの範囲であり、壁が、約３ｍｍから約０．５ｍｍへと先細りである。安定用クレードルの側面は、好ましくは、足の内側において、荷重がより大きいがゆえにより高い。好ましくは、安定用クレードルは、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０４１９】
好ましくは、安定用クレードルの靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換または取り替え、あるいはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０４２０】
安定用クレードルには、好ましくは、１若しくはそれ以上のリブ状の開口部が画成される。好ましい実施形態において、リブ状の開口部は、基部の前記リブがリブ状の開口部を通って延びることを可能にする。好ましくは、基部が、リブがリブ状の開口部へと突出するように成形されることで、リブが安定用クレードルの外面とほぼ同一面になり、安定用クレードルと基部とを一体に機械的に係止する。好都合には、リブが、基部が（例えば、歩行またはランニング中に）圧縮されたときにリブ状の開口部を通って張り出し、足の土踏まずにさらなるクッションおよびサポートをもたらすこともできる。好ましくは、前記リブは、外へと約０．５０ｍｍ〜１．５ｍｍ延び、約４ｍｍの幅を有する。リブ状の開口部は、安定用クレードルが土踏まず領域において安定用クレードルの他の部分と比べてより柔軟になることを可能にする。
【０４２１】
別の実施形態においては、安定用クレードルには、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０４２２】
安定用クレードル１５０６には、第３〜第５中足骨頭の背後から基部側へと立方骨の後ろまで延びる外側中足部ポッド開口部が画成される。外側中足部ポッド開口部の長さは、好ましくは、中足部の外側面にクッションをもたらすために充分である。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域内の基部の下面に固定される。
【０４２３】
外側中足部ポッドは、好ましくは、ＡＳＫＥＲ  Ｃ硬度が約４５〜５０であるＴＰＲまたはＰＵから作られる。ＴＰＲが使用される場合、次に布地が、前記基部の外側中足部ポッド開口部において基部へと固定される。この布地部品は、ＴＰＲの基部への適切な接着を可能にする。
【０４２４】
さらに、安定用クレードルには、外側中足部ポッド開口部のほぼ後方からかかと側端部に向かって安定用クレードルのかかと領域の外側を貫いて延びる外側かかとポッド開口部が画成される。外側かかとポッドが、基本的に外側かかとポッド開口部と同じに形作られ、外側かかとポッド開口部に相関し、外側かかとポッドが前記外側かかとポッド開口部を通って延出することを可能にする位置において、安定用クレードル凹領域内の基部の下面に固定される。外側かかとポッドは、中敷きの外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッドは、内側曲線縁部をさらに有する。全体構成は、大まかには直線よりもむしろ上述の湾曲した縁部を有する多面の幾何学的形状である。
【０４２５】
外側かかとポッドの構成、材料、および位置が、クッションを提供し、内側かかとポッドとの協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部の外側かかとポッド開口部において基部へと固定される。この布地部品は、ＴＰＲの基部への適切な接着を可能にする。
【０４２６】
安定用クレードルには、かかと側端部にわずかに届かない基部の下面のかかと領域の内側に沿ってかかと領域を貫いて延びている内側かかとポッド開口部が画成される。内側かかとポッドが、基本的に内側かかとポッド開口部と同じに形作られ、内側かかとポッド開口部に相関し、内側かかとポッドが前記内側かかとポッド開口部を通って延出することを可能にする位置において、安定用クレードル凹領域内の基部１０２の下面に固定される。内側かかとポッドは、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０４２７】
内側かかとポッドは、好ましくは、ＡＳＫＥＲ  Ｃ硬度が約６０±３であるＴＰＲまたはＰＵから作られる。ＴＰＲが使用される場合、次に布地が、前記基部の内側かかとポッド開口部において基部へと固定される。この布地部品は、ＴＰＲの基部への適切な接着を可能にする。
【０４２８】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッドは、踵骨（かかと骨）の後ろかつ外側に沿って配置され、安定用クレードルの下方を外側へと延びる。好ましくは、外側かかとポッドは、適切なクッション性を有する材料で製作され、意図される活動の種類にもとづいて選択される。
【０４２９】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる可能性がある。
【０４３０】
安定用クレードルは、回内の量の制御に役立つように、足の内側部分に沿って堅固な支持を提供する。内側かかとポッドが、内側かかとポッドを外側かかとポッドとは異なる特性を有する材料から形成することによって、回内の速度の制御に役立つ。例えば、回内の速度を下げるために、内側かかとポッドは、外側かかとポッドよりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッドは、より柔らかい材料で作られた外側かかとポッドと比べて圧縮されないと考えられる。結果として、内側かかとポッドが、回内に抵抗または対抗する傾向を有し、したがって回内の程度および速度を減らすのに役に立つ。反対に、内側かかとポッドを外側かかとポッドよりも柔らかい材料から製作することが、回内の量および速度を増す傾向にあると考えられる。
【０４３１】
好ましくは、内側かかとポッドに使用される材料の堅固さは、外側かかとポッドの堅固さおよび意図される活動の種類にもとづいて選択される。例えば、外側かかとポッドおよび内側かかとポッドの堅固さは、軽度〜中程度の活動の際に使用される中敷きにおいて、約２０〜３０％異なる。
【０４３２】
重いバックパックまたは他の物品の携行は、かかと接地の最中および後の足への荷重および回内の速度を大きく増加させる。したがって、内側かかとポッドが、バックパッキングの際に使用されるように設計された中敷きにおいては大幅に堅固に作られる。例として、そのような活動に関しては、約２０〜４０％という堅固さの差が、より適切である。
【０４３３】
外側中足部ポッドは、一歩のうちの中間姿勢部分において足の外側にクッションおよび制御をもたらす。典型的には、外側中足部ポッドは、外側かかとポッドと同じ特性、例えば堅固さを有する材料で形成される。しかしながら、異なる特性を有する材料も、使用可能である。
【０４３４】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０４３５】
一歩のうちの推進または足趾離地の段階の始まりにおいて、かかとが地面から持ち上げられ始め、重量が母指球へと移動する。足前部パッドが、足のこの部分の下方に位置する。好ましくは、足前部パッドは、足前部パッドの圧縮に投入されたエネルギが足趾離地の際に足の前進を助けるべく戻されるように、比較的弾性的な材料で形成される。
【０４３６】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッドの内側部分は、安定用クレードルの遠位端部側縁部の対応する凹状の縁部部分へと後方に延びている。安定用クレードルおよび足前部パッドの形状が、第１中足骨がより自然に曲がることを許すことで、足趾離地の際に親指へと荷重が加わるように促進する。
【０４３７】
基部は、好ましくは発泡体または適切なクッション性を有する他の材料で製作される。好ましくは、基部は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０４３８】
足前部パッドは、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０４３９】
足前部パッド、外側中足部ポッド、外側かかとポッド、および内側かかとポッドは、ポッドまたはパッドの下面に交差溝パターンを備えて構成される。交差溝パターンは、ポッド／パッドの表面に摩擦フィットおよび空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターンは、深さが約０．７５ｍｍである。好ましくは、外側中足部および外側かかとの交差溝パターンは、深さが約１．００〜３．００ｍｍである。好ましくは、内側かかとの交差溝パターンは、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【０４４０】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０４４１】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０４４２】
好ましい実施形態において、基部は、中敷きのつま先領域からかかと領域まで、好ましくは水ぶくれの可能性を最小限にするための低い摩擦係数を有する不織布の層である上部シートで覆われる。好ましくは、上部シートは、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０４４３】
本発明の第１の好ましい実施形態において、下面において基部によって定められる凹領域内で基部へと固定される中敷きの種々の部品は、接着剤などの適切な手段を使用して基部に恒久的に取り付けられる。また、部品は、成形プロセスの際に中敷きの成形の分野の公知の技術を使用して固定される。
【０４４４】
凹領域を、基部面およびパッド／ポッド面を有しており、前記基部面に沿って前記基部へと固定され、前記パッド／ポッド面に沿って前記パッド／ポッドへと固定される布で覆うこともできる。あるいは、布がパッド／ポッドへと固定され、次いでこの複合構造が凹領域へと固定される。
【０４４５】
いくつかの靴は、靴の内部の寸法においてわずかに異なる可能性があり、靴の内部において提供される空間を変更する追加の詰め物を内壁に沿って備えることができる。基部は、ユーザが靴の内部に適切にフィットするように中敷きの長さを短くすることを可能にするサイズ調節ガイドを有することができ、サイズ調節ガイドは、ユーザが好ましくははさみで切断するであろう種々の切断案内線を提供する。
【０４４６】
図１５Ａ〜１５Ｅに示した寸法および測定値は、本明細書に取り入れられる好ましい実施形態の寸法および測定値である。
【０４４７】
図１６Ａ〜１６Ｄが、トライアスロンのトレーニングのための中敷きの好ましい実施形態を示している。図１６Ａ−１〜１６Ａ−１０は、中敷きの上面図、底面図、内側の側面図、外側の側面図、後面図、および５つの断面図を示している。本発明は、これらに限られるわけではないが、（１）複数の安定用リブを有する小面化（ｆａｃｅｔｅｄ）された安定用クレードル、（２）複数のポッド、（３）足前部パッド、（４）ポッドおよび足前部パッドの底面の交差溝パターン、ならびに（５）ひすい輝石（ｊａｄｅｉｔｅ）の冷却用上部布を備える中敷きである。本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。本発明は、（１）足首および足の安定性を改善し、（２）蹴り出しおよび着地の際にかかとおよび足前部にクッションをもたらし、（３）靴の使用および履き替えの際の中敷きの動きまたは滑りの防止を助け、（４）ランニングおよびクロストレーニングの運動の際にかかと、中足部、土踏まず、および足前部に向上したクッションの特徴を提供する、という目標を達成する。
【０４４８】
図１６Ａ−１は、上部シート１６０１および幅方向のアーチ支持部１６３８を説明する中敷き１６００の上面図である。中敷き１６００は、つま先領域からかかと領域まで基部の上面全体を横切って固定された上部シート１６０１を有する。好ましくは、基部の上面には、足の中足骨頭領域の下方に位置する上方へと延びている部分または幅方向のアーチ支持部１６３８が画成される。幅方向のアーチ支持部１６３８の上方への延びは、上部シート４０１のうちの幅方向のアーチ支持部１６３８の領域に対応する部分を押し上げる。
【０４４９】
幅方向のアーチ支持部１６３８は、好ましくは、第２〜第４中足骨頭の下方に位置する。幅方向のアーチ支持部１６３８は、足前部および足の中央に追加の安定性およびクッションを提供する。
【０４５０】
好ましい実施形態において、上部シート１６０１は、水ぶくれの可能性を最小限にするための低い摩擦係数を有する不織布の層である。好ましくは、上部シート４０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。一連の空気穴が、中敷き１６００の上方および下方の空気の循環を可能にするために、上部シート１６０１および基部を貫いて延びている。
【０４５１】
図１６Ａ−２が、中敷きの底面図を示している。中敷き１６００は、好ましくは、上部シート１６０１と、基部１６０２とを有し、基部１６０２は、前記上部シートへと固定される上面と、反対側の下面とを有している。さらに、基部１６０２は、中敷きの内側に沿って上方へと延び、足の土踏まず領域に追加のクッションおよび支持を提供する長手方向のアーチ支持部１６１９をさらに定めている。
【０４５２】
基部１６０２の下面には、足前部領域の足前部パッド凹領域１６０７と、中足部領域およびかかと領域に沿った安定用クレードル凹領域１６０５が画成される。さらに、基部１６０２の下面には、土踏まず領域に沿って外へと延びる１若しくはそれ以上のリブまたは突出部１６３２が画成される。リブ１６３２は、好ましくは、楔状骨の周囲においてより長く、楔状骨から遠位端部方向および基部方向に進むにつれて次第に短くなり、放物線状の全体形状を生み出している。
【０４５３】
基部１６０２は、中敷きが足の自然の形状に一致するかかとカップを有するように、かかとを包み込み、足の側面に沿って部分的に延びる立ち上がった縁部を有する。図１６Ｂ−７〜１６Ｂ−１０に最も良く見て取ることができるとおり、立ち上がった縁部の高さは、通常は、中敷きの内側においてより高くかつより厚く、中敷きの外側においてより低くかつより薄い。
【０４５４】
足前部パッド凹領域１６０７は、足の基節骨の遠位端部の付近において、中敷きのつま先側端部から或る程度基部側において始まる。足前部パッド凹領域１６０７は、外側部分において第３〜第５中足骨頭の辺りまで後方へと延び、内側部分において第１および第２中足骨に沿ってほぼ中間まで後方へと延びている。好ましくは、足前部パッド凹領域１６０７は、第１および第２中足骨の間に位置する後端１６５７を有する。
【０４５５】
足前部パッド１６０８が、足前部パッド凹領域１６０７と基本的に同じに形作られ、足前部パッド凹領域１６０７に固定される。足前部パッド１６０８は、内側縁部と、外側縁部と、基部側縁部（後ろ側縁部）と、遠位端部側縁部（前側縁部）とを有する。足前部パッド１６０８の内側縁部は、前記中敷きの前記内側境界部から外側へと離れて位置する線に沿って延びている。基部側縁部は、前記内側縁部から外側および基部側へと前記後端１６５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１６０７および足前部パッド１６０８は、ユーザの足の第１中足骨頭または内側球を除くユーザの足の親指および足の「母指球」の下方に位置する。図１１が、中敷きにおける足の骨の配置を示している。
【０４５６】
接着剤が、部品を固定するために使用される。足前部パッド１６０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０４５７】
より丈夫な材料を使用することで、足の中敷きのこの部分により柔らかい材料を使用する中敷きと比べて、中敷きの耐久性は３５％〜６５％向上すると推定される。
【０４５８】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域１６０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０４５９】
安定用クレードル１６０６は、基部１６０２の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。好ましくは、安定用クレードル１６０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０４６０】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０４６１】
安定用クレードル１６０６には、好ましくは、１若しくはそれ以上のリブ状の開口部１６３１が画成される。好ましい実施形態において、リブ状の開口部１６３１は、基部１６０２の前記リブ１６３２がリブ状の開口部１６３１を通って延びることを可能にする。好ましくは、基部１６０２が、リブ１６３２がリブ状の開口部１６３１へと突出するように成形されることで、リブ１６３２が安定用クレードル１６０６の外面とほぼ同一面になり、安定用クレードル１６０６と基部１６０２とを一体に機械的に係止する。好都合には、リブ１６３２が、基部１６０２が（例えば、歩行またはランニング中に）圧縮されたときにリブ状の開口部１６３１を通って張り出し、足の土踏まずにさらなるクッションおよびサポートをもたらすこともできる。好ましくは、前記リブ１６３２は、外へと約０．５０ｍｍ〜１．５ｍｍ延び、約４ｍｍの幅を有する。リブ状の開口部１６３１は、安定用クレードル１６０６が土踏まず領域において安定用クレードル１６０６の他の部分と比べてより柔軟になることを可能にする。
【０４６２】
別の実施形態においては、安定用クレードル１６０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０４６３】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０４６４】
安定用クレードル１６０６には、第３〜第５中足骨頭の背後から基部側へと立方骨の後ろまで延びる外側中足部ポッド開口部１６１１が画成される。外側中足部ポッド開口部１６１１の長さは、好ましくは、中足部の外側面にクッションをもたらすために充分である。外側中足部ポッド１６１２が、基本的に外側中足部ポッド開口部１６１１と同じに形作られ、外側中足部ポッド開口部１６１１に相関し、外側中足部ポッド１６１２が前記外側中足部ポッド開口部１６１１を通って延出することを可能にする位置において、安定用クレードル凹領域１６０５内の基部１６０２の下面に固定される。
【０４６５】
外側中足部ポッド１６１２は、好ましくは、ＡＳＫＥＲ  Ｃ硬度が約４５〜５０であるＴＰＲまたはＰＵから作られる。ＴＰＲが使用される場合、次に布地が、前記基部１６０２の外側中足部ポッド開口部１６１１において基部１６０２へと固定される。この布地部品は、ＴＰＲの基部１６０２への適切な接着を可能にする。
【０４６６】
さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【０４６７】
外側かかとポッド１６１４の構成、材料、および位置が、クッションを提供し、内側かかとポッド１６１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１６０２の外側かかとポッド開口部１６１１において基部１６０２へと固定される。この布地部品は、ＴＰＲの基部１６０２への適切な接着を可能にする。
【０４６８】
安定用クレードル１６０６には、かかと側端部にわずかに届かない基部１６０２の下面のかかと領域の内側に沿ってかかと領域を貫いて延びている内側かかとポッド開口部１６１５が画成される。内側かかとポッド１６１６が、基本的に内側かかとポッド開口部１６１５と同じに形作られ、内側かかとポッド開口部１６１５に相関し、内側かかとポッド１６１６が前記内側かかとポッド開口部１６１５を通って延出することを可能にする位置において、安定用クレードル凹領域１６０５内の基部１６０２の下面に固定される。内側かかとポッド１６１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０４６９】
内側かかとポッド１６１６は、好ましくは、ＡＳＫＥＲ  Ｃ硬度が約６０±３であるＴＰＲまたはＰＵから作られる。ＴＰＲが使用される場合、次に布地が、前記基部１６０２の内側かかとポッド開口部１６１５において基部１６０２へと固定される。この布地部品は、ＴＰＲの基部１６０２への適切な接着を可能にする。
【０４７０】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１６１４は、踵骨（かかと骨）の後ろかつ外側に沿って配置され、安定用クレードル１６０６の下方を外側へと延びる。好ましくは、外側かかとポッド１６１４は、適切なクッション性を有する材料で製作され、意図される活動の種類にもとづいて選択される。
【０４７１】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０４７２】
安定用クレードル１６０６は、回内の量の制御に役立つように、足の内側部分に沿って堅固な支持を提供する。内側かかとポッド１６１６が、内側かかとポッド１６１６を外側かかとポッド１６１４とは異なる特性を有する材料から形成することによって、回内の速度の制御に役立つ。例えば、回内の速度を下げるために、内側かかとポッド１６１６を、外側かかとポッド１６１４よりも堅固な材料から製作することができる。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１６１６は、より柔らかい材料で作られた外側かかとポッド１６１４と比べて圧縮されないと考えられる。結果として、内側かかとポッド１６１６が、回内に抵抗または対抗する傾向を有し、したがって回内の程度および速度を減らすのに役に立つ。反対に、内側かかとポッド１６１６を外側かかとポッド１６１４よりも柔らかい材料から製作することが、回内の量および速度を増す傾向にあると考えられる。
【０４７３】
好ましくは、内側かかとポッド１６１６に使用される材料の堅固さは、外側かかとポッド１６１４の堅固さおよび意図される活動の種類にもとづいて選択される。例えば、外側かかとポッド１６１４および内側かかとポッド１６１６の堅固さは、軽度〜中程度の活動の際に使用される中敷きにおいて、約２０〜３０％異なる。
【０４７４】
重いバックパックまたは他の物品の携行は、かかと接地の最中および後の足への荷重および回内の速度を大きく増加させる。したがって、内側かかとポッド１６１６を、バックパッキングの際に使用されるように設計された中敷きにおいては大幅に堅固に作ることができる。例として、そのような活動に関しては、約２０〜４０％という堅固さの差が、より適切である。
【０４７５】
外側中足部ポッド１６１２は、一歩のうちの中間姿勢部分において足の外側にクッションおよび制御をもたらす。典型的には、外側中足部ポッド１６１２は、外側かかとポッド１６１４と同じ特性、例えば堅固さを有する材料で形成される。しかしながら、異なる特性を有する材料も、使用可能である。
【０４７６】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０４７７】
一歩のうちの推進または足趾離地の段階の始まりにおいて、かかとが地面から持ち上げられ始め、重量が母指球へと移動する。足前部パッド１６０８が、足のこの部分の下方に位置する。好ましくは、足前部パッド１６０８は、足前部パッド１６０８の圧縮に投入されたエネルギが足趾離地の際に足の前進を助けるべく戻されるように、比較的弾性的な材料で形成される。
【０４７８】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１６０８の内側部分は、安定用クレードル１６０６の遠位端部側縁部の対応する凹状の縁部部分へと後方に延びている。安定用クレードル１６０６および足前部パッド１６０８の形状が、第１中足骨がより自然に曲がることを許すことで、足趾離地の際に親指へと荷重が加わるように促進する。
【０４７９】
基部１６０２は、好ましくは発泡体または適切なクッション性を有する他の材料で製作される。好ましくは、基部１６０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０４８０】
足前部パッド１６０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０４８１】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０４８２】
足前部パッド１６２０、外側中足部ポッド１６２１、外側かかとポッド１６２２、および内側かかとポッド１６２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１６２０は、深さが約０．７５ｍｍである。好ましくは、外側中足部および外側かかとの交差溝パターン１６２１および１６２２は、深さが約１．００〜３．００ｍｍである。好ましくは、内側かかとの交差溝パターン１６２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きを靴の中で動き回ったり、あるいは滑ったりすることがないように所定の場所に保つ助けとなる。
【０４８３】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０４８４】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。オープンセル（ｏｐｅｎ−ｃｅｌｌ）の設計を使用することで、より軽量な中敷きがもたらされると考えられる。
【０４８５】
本発明の第１の好ましい実施形態において、下面において基部１６０２によって定められる凹領域内で基部１６０２へと固定される中敷きの種々の部品は、接着剤などの適切な手段を使用して基部１６０２に恒久的に取り付けられる。部品は、成形プロセスの際に中敷きの成形の分野の公知の技術を使用して固定される。
【０４８６】
また、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０４８７】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部１６０２は、ユーザが靴の内部に適切にフィットするように中敷きの長さを短くすることを可能にするサイズ調節ガイド１６５０を有することができ、サイズ調節ガイド１６５０は、ユーザが好ましくははさみで切断するであろう種々の切断案内線を提供する。
【０４８８】
図１６Ｂ−１〜１６Ｂ−８は、安定用クレードルの底面図、内側の側面図、外側の側面図、後面図、および４つの断面図を示している。
【０４８９】
図１６Ｂ−１は、中敷きの内側の側面図を示している。中敷き１６００は、好ましくは、上部シート１６０１と、基部１６０２とを有し、基部１６０２は、前記上部シートへと固定される上面と、反対側の下面とを有している。さらに、基部１６０２は、中敷きの内側に沿って上方へと延び、足の土踏まず領域に追加のクッションおよび支持を提供する長手方向のアーチ支持部１６１９をさらに定めている。
【０４９０】
基部１６０２の下面には、足前部領域の足前部パッド凹領域と、中足部領域およびかかと領域に沿った安定用クレードル凹領域１６０５が画成される。さらに、基部１６０２の下面には、土踏まず領域に沿って外へと延びる１若しくはそれ以上のリブまたは突出部１６３２が画成される。リブ１６３２は、好ましくは、楔状骨の周囲においてより長く、楔状骨から遠位端部方向および基部方向に進むにつれて次第に短くなり、放物線状の全体形状を生み出している。
【０４９１】
基部１６０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０４９２】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０４９３】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０４９４】
安定用クレードル１６０６は、基部１６０２の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。
【０４９５】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０４９６】
安定用クレードル１６０６には、好ましくは、１若しくはそれ以上のリブ状の開口部１６３１が画成される。好ましい実施形態において、リブ状の開口部１６３１は、基部１６０２の前記リブ１６３２がリブ状の開口部１６３１を通って延びることを可能にする。好ましくは、基部１６０２が、リブ１６３２がリブ状の開口部１６３１へと突出するように成形されることで、リブ１６３２が安定用クレードル１６０６の外面とほぼ同一面になり、安定用クレードル１６０６と基部１６０２とを一体に機械的に係止する。好都合には、リブ１６３２が、基部１６０２が（例えば、歩行またはランニング中に）圧縮されたときにリブ状の開口部１６３１を通って張り出し、足の土踏まずにさらなるクッションおよびサポートをもたらすこともできる。好ましくは、前記リブ１６３２は、外へと約０．５０ｍｍ〜１．５ｍｍ延び、約４ｍｍの幅を有する。リブ状の開口部１６３１は、安定用クレードル１６０６が土踏まず領域において安定用クレードル１６０６の他の部分と比べてより柔軟になることを可能にする。
【０４９７】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０４９８】
別の実施形態においては、安定用クレードル１６０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０４９９】
安定用クレードル１６０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１６０５内の基部１６０２の下面に固定される。
【０５００】
さらに、安定用クレードル１６０６には、外側中足部ポッド開口部のほぼ後方からかかと側端部に向かって安定用クレードル１６０６のかかと領域の外側を貫いて延びる外側かかとポッド開口部が画成される。外側かかとポッドが、基本的に外側かかとポッド開口部と同じに形作られ、外側かかとポッド開口部に相関し、外側かかとポッドが前記外側かかとポッド開口部を通って延出することを可能にする位置において、安定用クレードル凹領域１６０５内の基部１６０２の下面に固定される。
【０５０１】
安定用クレードル１６０６には、かかと側端部にわずかに届かない基部１６０２の下面のかかと領域の内側に沿ってかかと領域を貫いて延びている内側かかとポッド開口部が画成される。内側かかとポッド１６１６が、基本的に内側かかとポッド開口部と同じに形作られ、内側かかとポッド開口部に相関し、内側かかとポッド１６１６が前記内側かかとポッド開口部を通って延出することを可能にする位置において、安定用クレードル凹領域１６０５内の基部１６０２の下面に固定される。
【０５０２】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０５０３】
好ましくは、基部の上面には、足の中足骨頭領域の下方に位置する上方へと延びている部分または幅方向のアーチ支持部１６３８が画成される。幅方向のアーチ支持部１６３８の上方への延びは、上部シート１６０１のうちの幅方向のアーチ支持部１６３８の領域に対応する部分を押し上げる。
【０５０４】
幅方向のアーチ支持部１６３８は、好ましくは、第２〜第４中足骨頭の下方に位置する。幅方向のアーチ支持部１６３８は、足前部および足の中央に追加の安定性およびクッションを提供する。
【０５０５】
図１６Ａ−２が、中敷きの底面図を示している。中敷き１６００は、好ましくは、上部シート１６０１と、基部１６０２とを有し、基部１６０２は、前記上部シートへと固定される上面と、反対側の下面とを有している。さらに、基部１６０２は、中敷きの内側に沿って上方へと延び、足の土踏まず領域に追加のクッションおよび支持を提供する長手方向のアーチ支持部１６１９をさらに定めている。
【０５０６】
基部１６０２の下面には、足前部領域の足前部パッド凹領域１６０７と、中足部領域およびかかと領域に沿った安定用クレードル凹領域１６０５が画成される。さらに、基部１６０２の下面には、土踏まず領域に沿って外へと延びる１若しくはそれ以上のリブまたは突出部１６３２が画成される。リブ１６３２は、好ましくは、楔状骨の周囲においてより長く、楔状骨から遠位端部方向および基部方向に進むにつれて次第に短くなり、放物線状の全体形状を生み出している。
【０５０７】
基部１６０２は、中敷きが足の自然の形状に一致するかかとカップを有するように、かかとを包み込み、足の側面に沿って部分的に延びる立ち上がった縁部を有する。図１６Ｂ−７〜１６Ｂ−１０に最も良く見て取ることができるとおり、立ち上がった縁部の高さは、通常は、中敷きの内側においてより高くかつより厚く、中敷きの外側においてより低くかつより薄い。
【０５０８】
足前部パッド凹領域１６０７は、足の基節骨の遠位端部の付近において、中敷きのつま先側端部から或る程度基部側において始まる。足前部パッド凹領域１６０７は、外側部分において第３〜第５中足骨頭の辺りまで後方へと延び、内側部分において第１および第２中足骨に沿ってほぼ中間まで後方へと延びている。好ましくは、足前部パッド凹領域１６０７は、第１および第２中足骨の間に位置する後端１６５７を有する。
【０５０９】
足前部パッド１６０８が、足前部パッド凹領域１６０７と基本的に同じに形作られ、足前部パッド凹領域１６０７に固定される。足前部パッド１６０８は、内側縁部と、外側縁部と、基部側縁部（後ろ側縁部）と、遠位端部側縁部（前側縁部）とを有する。足前部パッド１６０８の内側縁部は、前記中敷きの前記内側境界部から外側へと離れて位置する線に沿って延びている。基部側縁部は、前記内側縁部から外側および基部側へと前記後端１６５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１６０７および足前部パッド１６０８は、ユーザの足の第１中足骨頭または内側球を除くユーザの足の親指および足の「母指球」の下方に位置する。図１１が、中敷きにおける足の骨の配置を示している。
【０５１０】
接着剤が、部品を固定するために使用される。足前部パッド１６０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０５１１】
より丈夫な材料を使用することで、足の中敷きのこの部分により柔らかい材料を使用する中敷きと比べて、中敷きの耐久性は３５％〜６５％向上すると推定される。
【０５１２】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域１６０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０５１３】
安定用クレードル１６０６は、基部１６０２の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。好ましくは、安定用クレードル１６０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０５１４】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０５１５】
安定用クレードル１６０６には、好ましくは、１若しくはそれ以上のリブ状の開口部１６３１が画成される。好ましい実施形態において、リブ状の開口部１６３１は、基部１６０２の前記リブ１６３２がリブ状の開口部１６３１を通って延びることを可能にする。好ましくは、基部１６０２が、リブ１６３２がリブ状の開口部１６３１へと突出するように成形されることで、リブ１６３２が安定用クレードル１６０６の外面とほぼ同一面になり、安定用クレードル１６０６と基部１６０２とを一体に機械的に係止する。好都合には、リブ１６３２が、基部１６０２が（例えば、歩行またはランニング中に）圧縮されたときにリブ状の開口部１６３１を通って張り出し、足の土踏まずにさらなるクッションおよびサポートをもたらすこともできる。好ましくは、前記リブ１６３２は、外へと約０．５０ｍｍ〜１．５ｍｍ延び、約４ｍｍの幅を有する。リブ状の開口部１６３１は、安定用クレードル１６０６が土踏まず領域において安定用クレードル１６０６の他の部分と比べてより柔軟になることを可能にする。
【０５１６】
別の実施形態においては、安定用クレードル１６０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０５１７】
安定用クレードル１６０６には、第３〜第５中足骨頭の背後から基部側へと立方骨の後ろまで延びる外側中足部ポッド開口部１６１１が画成される。外側中足部ポッド開口部１６１１の長さは、好ましくは、中足部の外側面にクッションをもたらすために充分である。外側中足部ポッド１６１２が、基本的に外側中足部ポッド開口部１６１１と同じに形作られ、外側中足部ポッド開口部１６１１に相関し、外側中足部ポッド１６１２が前記外側中足部ポッド開口部１６１１を通って延出することを可能にする位置において、安定用クレードル凹領域１６０５内の基部１６０２の下面に固定される。
【０５１８】
外側中足部ポッド１６１２は、好ましくは、ＡＳＫＥＲ  Ｃ硬度が約４５〜５０であるＴＰＲまたはＰＵから作られる。ＴＰＲが使用される場合、次に布地が、前記基部１６０２の外側中足部ポッド開口部１６１１において基部１６０２へと固定される。この布地部品は、ＴＰＲの基部１６０２への適切な接着を可能にする。
【０５１９】
さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【０５２０】
外側かかとポッド１６１４の構成、材料、および位置が、クッションを提供し、内側かかとポッド５１６との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１６０２の外側かかとポッド開口部１６１１において基部１６０２へと固定される。この布地部品は、ＴＰＲの基部１６０２への適切な接着を可能にする。
【０５２１】
安定用クレードル１６０６には、かかと側端部にわずかに届かない基部１６０２の下面のかかと領域の内側に沿ってかかと領域を貫いて延びている内側かかとポッド開口部１６１５が画成される。内側かかとポッド１６１６が、基本的に内側かかとポッド開口部１６１５と同じに形作られ、内側かかとポッド開口部１６１５に相関し、内側かかとポッド１６１６が前記内側かかとポッド開口部１６１５を通って延出することを可能にする位置において、安定用クレードル凹領域１６０５内の基部１６０２の下面に固定される。内側かかとポッド１６１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０５２２】
内側かかとポッド１６１６は、好ましくは、ＡＳＫＥＲ  Ｃ硬度が約６０±３であるＴＰＲまたはＰＵから作られる。ＴＰＲが使用される場合、次に布地が、前記基部１６０２の内側かかとポッド開口部１６１５において基部１６０２へと固定される。この布地部品は、ＴＰＲの基部１６０２への適切な接着を可能にする。
【０５２３】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１６１４は、踵骨（かかと骨）の後ろかつ外側に沿って配置され、安定用クレードル１６０６の下方を外側へと延びる。好ましくは、外側かかとポッド１６１４は、適切なクッション性を有する材料で製作され、意図される活動の種類にもとづいて選択される。
【０５２４】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０５２５】
安定用クレードル１６０６は、回内の量の制御に役立つように、足の内側部分に沿って堅固な支持を提供する。内側かかとポッド１６１６が、内側かかとポッド１６１６を外側かかとポッド１６１４とは異なる特性を有する材料から形成することによって、回内の速度の制御に役立つ。例えば、回内の速度を下げるために、内側かかとポッド１６１６を、外側かかとポッド１６１４よりも堅固な材料から製作することができる。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１６１６は、より柔らかい材料で作られた外側かかとポッド１６１４と比べて圧縮されないと考えられる。結果として、内側かかとポッド１６１６が、回内に抵抗または対抗する傾向を有し、したがって回内の程度および速度を減らすのに役に立つ。反対に、内側かかとポッド１６１６を外側かかとポッド１６１４よりも柔らかい材料から製作することが、回内の量および速度を増す傾向にあると考えられる。
【０５２６】
好ましくは、内側かかとポッド１６１６に使用される材料の堅固さは、外側かかとポッド１６１４の堅固さおよび意図される活動の種類にもとづいて選択される。例えば、外側かかとポッド１６１４および内側かかとポッド１６１６の堅固さは、軽度〜中程度の活動の際に使用される中敷きにおいて、約２０〜３０％異なる。
【０５２７】
重いバックパックまたは他の物品の携行は、かかと接地の最中および後の足への荷重および回内の速度を大きく増加させる。したがって、内側かかとポッド１６１６を、バックパッキングの際に使用されるように設計された中敷きにおいては大幅に堅固に作ることができる。例として、そのような活動に関しては、約２０〜４０％という堅固さの差が、より適切である。
【０５２８】
外側中足部ポッド１６１２は、一歩のうちの中間姿勢部分において足の外側にクッションおよび制御をもたらす。典型的には、外側中足部ポッド１６１２は、外側かかとポッド１６１４と同じ特性、例えば堅固さを有する材料で形成される。しかしながら、異なる特性を有する材料も、使用可能である。
【０５２９】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０５３０】
一歩のうちの推進または足趾離地の段階の始まりにおいて、かかとが地面から持ち上げられ始め、重量が母指球へと移動する。足前部パッド１６０８が、足のこの部分の下方に位置する。好ましくは、足前部パッド１６０８は、足前部パッド１６０８の圧縮に投入されたエネルギが足趾離地の際に足の前進を助けるべく戻されるように、比較的弾性的な材料で形成される。
【０５３１】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１６０８の内側部分は、安定用クレードル１６０６の遠位端部側縁部の対応する凹状の縁部部分へと後方に延びている。安定用クレードル１６０６および足前部パッド１６０８の形状が、第１中足骨がより自然に曲がることを許すことで、足趾離地の際に親指へと荷重が加わるように促進する。
【０５３２】
基部１６０２は、好ましくは発泡体または適切なクッション性を有する他の材料で製作される。好ましくは、基部１６０２は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０５３３】
足前部パッド１６０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０５３４】
足前部パッド１６２０、外側中足部ポッド１６２１、外側かかとポッド１６２２、および内側かかとポッド１６２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１６２０は、深さが約０．７５ｍｍである。好ましくは、外側中足部および外側かかとの交差溝パターン１６２１および１６２２は、深さが約１．００〜３．００ｍｍである。好ましくは、内側かかとの交差溝パターン１６２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。さらに、交差溝パターンは、中敷きを靴の中で動き回ったり、あるいは滑ったりすることがないように所定の場所に保つ助けとなる。
【０５３５】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０５３６】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。オープンセル（ｏｐｅｎ−ｃｅｌｌ）の設計を使用することで、より軽量な中敷きがもたらされると考えられる。
【０５３７】
本発明の第１の好ましい実施形態において、下面において基部１６０２によって定められる凹領域内で基部１６０２へと固定される中敷きの種々の部品は、接着剤などの適切な手段を使用して基部１６０２に恒久的に取り付けられる。部品は、成形プロセスの際に中敷きの成形の分野の公知の技術を使用して固定される。
【０５３８】
また、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０５３９】
いくつかの靴は、靴の内側部分においてサイズがわずかに異なるかもしれない。また、いくつかの靴は、靴の内面、前側、または後ろ側に沿って追加の詰め物を用意することで、靴の内部において足および／または中敷きに提供される実際の空間を変更することができる。基部１６０２は、ユーザが靴の内部に適切にフィットするように中敷きの長さを短くすることを可能にするサイズ調節ガイド１６５０を有することができ、サイズ調節ガイド１６５０は、ユーザが好ましくははさみで切断するであろう種々の切断案内線を提供する。
【０５４０】
図１６Ｂ−３が、中敷きの外側の側面図を示している。中敷き１６００は、好ましくは、上部シート１６０１と、基部１６０２とを有し、基部１６０２は、前記上部シート１６０１へと固定される上面と、反対側の下面とを有している。さらに、基部１６０２は、中敷きの内側に沿って上方へと延び、足の土踏まず領域に追加のクッションおよび支持を提供する長手方向のアーチ支持部１６１９をさらに定めている。
【０５４１】
基部１６０２の下面には、足前部領域の足前部パッド凹領域と、中足部領域およびかかと領域に沿った安定用クレードル凹領域１６０５が画成される。
【０５４２】
基部１６０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０５４３】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０５４４】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域１６０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０５４５】
安定用クレードル１６０６は、基部１６０２の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。
【０５４６】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０５４７】
安定用クレードル１６０６には、第３〜第５中足骨頭の背後から基部側へと立方骨の後ろまで延びる外側中足部ポッド開口部が画成される。外側中足部ポッド１６１２が、基本的に外側中足部ポッド開口部と同じに形作られ、外側中足部ポッド開口部に相関し、外側中足部ポッド１６１２が前記外側中足部ポッド開口部を通って延出することを可能にする位置において、安定用クレードル凹領域１６０５内の基部１６０２の下面に固定される。
【０５４８】
さらに、安定用クレードル１６０６には、外側中足部ポッド開口部のほぼ後方からかかと側端部に向かって安定用クレードル１６０６のかかと領域の外側を貫いて延びる外側かかとポッド開口部が画成される。外側かかとポッド１６１４が、基本的に外側かかとポッド開口部と同じに形作られ、外側かかとポッド開口部に相関し、外側かかとポッド１６１４が前記外側かかとポッド開口部を通って延出することを可能にする位置において、安定用クレードル凹領域１６０５内の基部１６０２の下面に固定される。
【０５４９】
安定用クレードル１６０６には、かかと側端部にわずかに届かない基部１６０２の下面のかかと領域の内側に沿ってかかと領域を貫いて延びている内側かかとポッド開口部が画成される。内側かかとポッドが、基本的に内側かかとポッド開口部と同じに形作られ、内側かかとポッド開口部に相関し、内側かかとポッドが前記内側かかとポッド開口部を通って延出することを可能にする位置において、安定用クレードル凹領域１６０５内の基部１６０２の下面に固定される。
【０５５０】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０５５１】
好ましくは、基部の上面には、足の中足骨頭領域の下方に位置する上方へと延びている部分または幅方向のアーチ支持部１６３８が画成される。幅方向のアーチ支持部１６３８の上方への延びは、上部シート１６０１のうちの幅方向のアーチ支持部１６３８の領域に対応する部分を押し上げる。
【０５５２】
幅方向のアーチ支持部１６３８は、好ましくは、第２〜第４中足骨頭の下方に位置する。幅方向のアーチ支持部１６３８は、足前部および足の中央に追加の安定性およびクッションを提供する。
【０５５３】
図１６Ｂ−４は、上部シート１６０１および幅方向のアーチ支持部１６３８を説明する中敷きの上面図である。中敷き１６００は、つま先領域からかかと領域まで基部の上面全体を横切って固定された上部シート１６０１を有する。好ましくは、基部の上面には、足の中足骨頭領域の下方に位置する上方へと延びている部分または幅方向のアーチ支持部１６３８が画成される。幅方向のアーチ支持部１６３８の上方への延びは、上部シート１６０１のうちの幅方向のアーチ支持部１６３８の領域に対応する部分を押し上げる。
【０５５４】
幅方向のアーチ支持部１６３８は、好ましくは、第２〜第４中足骨頭の下方に位置する。幅方向のアーチ支持部１６３８は、足前部および足の中央に追加の安定性およびクッションを提供する。
【０５５５】
好ましい実施形態において、上部シート１６０１は、水ぶくれの可能性を最小限にするための低い摩擦係数を有する不織布の層である。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。一連の空気穴が、中敷き１６００の上方および下方の空気の循環を可能にするために、上部シート１６０１および基部を貫いて延びている。
【０５５６】
図１６Ｂ−５は、図１６Ｂ−２において特定されるとおりの中敷きの真ん中に沿った断面図の線１６Ｂ−５である。中敷き１６００は、好ましくは、上部シート１６０１と、基部１６０２とを有し、基部１６０２は、前記上部シート１６０１へと固定される上面と、反対側の下面とを有している。基部１６０２の下面には、足前部領域の足前部パッド凹領域１６０７と、中足部領域およびかかと領域に沿った安定用クレードル凹領域１６０５が画成される。
【０５５７】
基部１６０２は、中敷きが足の自然の形状に一致するかかとカップを有するように、かかとを包み込み、足の側面に沿って部分的に延びる立ち上がった縁部を有する。図１６Ｂ−６〜１６Ｂ−１０に最も良く見て取ることができるとおり、立ち上がった縁部の高さは、通常は、中敷きの内側においてより高くかつより厚く、中敷きの外側においてより低くかつより薄い。
【０５５８】
好ましくは、基部１６０２の上面には、足の中足骨頭領域の下方に位置する上方へと延びている部分または幅方向のアーチ支持部１６３８が画成される。幅方向のアーチ支持部１６３８の上方への延びは、上部シート１６０１のうちの幅方向のアーチ支持部１６３８の領域に対応する部分を押し上げる。幅方向のアーチ支持部１６３８は、好ましくは、第２〜第４中足骨頭の下方に位置する。幅方向のアーチ支持部１６３８は、足前部および足の中央に追加の安定性およびクッションを提供する。
【０５５９】
足前部パッド凹領域１６０７は、足の基節骨の遠位端部の付近において、中敷きのつま先側端部から或る程度基部側において始まる。足前部パッド凹領域１６０７は、外側部分において第３〜第５中足骨頭の辺りまで後方へと延び、内側部分において第１および第２中足骨に沿ってほぼ中間まで後方へと延びている。好ましくは、足前部パッド凹領域１６０７は、第１および第２中足骨の間に位置する後端を有する。
【０５６０】
足前部パッド１６０８が、足前部パッド凹領域１６０７と基本的に同じに形作られ、足前部パッド凹領域１６０７に固定される。足前部パッド１６０８は、内側縁部と、外側縁部と、基部側縁部（後ろ側縁部）と、遠位端部側縁部（前側縁部）とを有する。足前部パッド１６０８の内側縁部は、前記中敷きの前記内側境界部から外側へと離れて位置する線に沿って延びている。基部側縁部は、前記内側縁部から外側および基部側へと前記後端１６５７まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域１６０７および足前部パッド１６０８は、ユーザの足の第１中足骨頭または内側球を除くユーザの足の親指および足の「母指球」の下方に位置する。図１１が、中敷きにおける足の骨の配置を示している。
【０５６１】
接着剤が、部品を固定するために使用される。足前部パッド１６０８は、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０５６２】
より丈夫な材料を使用することで、足の中敷きのこの部分により柔らかい材料を使用する中敷きと比べて、中敷きの耐久性は３５％〜６５％向上すると推定される。
【０５６３】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域１６０７のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０５６４】
安定用クレードル１６０６は、基部１６０２の側面および後部を包んで足にサポートを提供する壁を有する。
【０５６５】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０５６６】
安定用クレードル１６０６には、第３〜第５中足骨頭の背後から基部側へと立方骨の後ろまで延びる外側中足部ポッド開口部が画成される。外側中足部ポッド開口部の長さは、好ましくは、中足部の外側面にクッションをもたらすために充分である。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１６０５内の基部１６０２の下面に固定される。
【０５６７】
さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【０５６８】
外側かかとポッド１６１４の構成、材料、および位置が、クッションを提供し、内側かかとポッド１６１５との協働において足首を安定させるように機能する。
【０５６９】
安定用クレードル１６０６には、かかと側端部にわずかに届かない基部１６０２の下面のかかと領域の内側に沿ってかかと領域を貫いて延びている内側かかとポッド開口部１６１５が画成される。内側かかとポッド１６１６が、基本的に内側かかとポッド開口部１６１５と同じに形作られ、内側かかとポッド開口部１６１５に相関し、内側かかとポッド１６１６が前記内側かかとポッド開口部１６１５を通って延出することを可能にする位置において、安定用クレードル凹領域１６０５内の基部１６０２の下面に固定される。内側かかとポッド１６１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０５７０】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１６１４は、踵骨（かかと骨）の後ろかつ外側に沿って配置され、安定用クレードル１６０６の下方を外側へと延びる。好ましくは、外側かかとポッド１６１４は、適切なクッション性を有する材料で製作され、意図される活動の種類にもとづいて選択される。
【０５７１】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる。
【０５７２】
安定用クレードル１６０６は、回内の量の制御に役立つように、足の内側部分に沿って堅固な支持を提供する。内側かかとポッド１６１６が、内側かかとポッド１６１６を外側かかとポッド１６１４とは異なる特性を有する材料から形成することによって、回内の速度の制御に役立つ。例えば、回内の速度を下げるために、内側かかとポッド１６１６は、外側かかとポッド１６１４よりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１６１６は、より柔らかい材料で作られた外側かかとポッド１６１４と比べて圧縮されないと考えられる。結果として、内側かかとポッド１６１６が、回内に抵抗または対抗する傾向を有し、したがって回内の程度および速度を減らすのに役に立つ。反対に、内側かかとポッド１６１６を外側かかとポッド１６１４よりも柔らかい材料から製作することが、回内の量および速度を増す傾向にあると考えられる。
【０５７３】
好ましくは、内側かかとポッド１６１６に使用される材料の堅固さは、外側かかとポッド１６１４の堅固さおよび意図される活動の種類にもとづいて選択される。例えば、外側かかとポッド１６１４および内側かかとポッド１６１６の堅固さは、軽度〜中程度の活動の際に使用される中敷きにおいて、約２０〜３０％異なる。
【０５７４】
重いバックパックまたは他の物品の携行は、かかと接地の最中および後の足への荷重および回内の速度を大きく増加させる。したがって、内側かかとポッド１６１６が、バックパッキングの際に使用されるように設計された中敷きにおいては大幅に堅固に作られる。例として、そのような活動に関しては、約２０〜４０％という堅固さの差が、より適切である。
【０５７５】
外側中足部ポッド１６１２は、一歩のうちの中間姿勢部分において足の外側にクッションおよび制御をもたらす。典型的には、外側中足部ポッドは、外側かかとポッド１６１４と同じ特性、例えば堅固さを有する材料で形成される。しかしながら、異なる特性を有する材料も、使用可能である。
【０５７６】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０５７７】
一歩のうちの推進または足趾離地の段階の始まりにおいて、かかとが地面から持ち上げられ始め、重量が母指球へと移動する。足前部パッド１６０８が、足のこの部分の下方に位置する。好ましくは、足前部パッド１６０８は、足前部パッド１６０８の圧縮に投入されたエネルギが足趾離地の際に足の前進を助けるべく戻されるように、比較的弾性的な材料で形成される。
【０５７８】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッド１６０８の内側部分は、安定用クレードル１６０６の遠位端部側縁部の対応する凹状の縁部部分へと後方に延びている。安定用クレードル１６０６および足前部パッド１６０８の形状が、第１中足骨がより自然に曲がることを許すことで、足趾離地の際に親指へと荷重が加わるように促進する。
【０５７９】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０５８０】
足前部パッド１６２０、外側中足部ポッド１６２１、外側かかとポッド１６２２、および内側かかとポッド１６２３は、ポッドまたはパッドの下面に交差溝パターンを備えて構成される。交差溝パターンは、ポッド／パッドの表面に空隙を導入する。そのような空隙および交差溝パターンは、衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１６２０は、深さが約０．７５ｍｍである。好ましくは、外側中足部および外側かかとの交差溝パターンは、深さが約１．００〜３．００ｍｍである。好ましくは、内側かかとの交差溝パターン１６２３は、深さが約１．００〜２．５０ｍｍである。
【０５８１】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０５８２】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０５８３】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０５８４】
本発明の第１の好ましい実施形態において、下面において基部１６０２によって定められる凹領域内で基部１６０２へと固定される中敷きの種々の部品は、接着剤などの適切な手段を使用して基部１６０２に恒久的に取り付けられる。また、部品は、成形プロセスの際に中敷きの成形の分野の公知の技術を使用して固定される。
【０５８５】
さらに、凹領域は、基部面およびパッド／ポッド面を有しており、前記基部面に沿って前記基部へと固定され、前記パッド／ポッド面に沿って前記パッド／ポッドへと固定される布で覆われる。あるいは、布がパッド／ポッドへと固定され、次いでこの複合構造が凹領域へと固定される。
【０５８６】
図１６Ｂ−６が、中敷きの後面図を示している。中敷き１６００は、好ましくは、上部シート１６０１と、基部１６０２とを有し、基部１６０２は、前記上部シートへと固定される上面と、反対側の下面とを有している。さらに、基部１６０２は、中敷きの内側に沿って上方へと延び、足の土踏まず領域に追加のクッションおよび支持を提供する長手方向のアーチ支持部１６１９をさらに定めている。
【０５８７】
基部１６０２の下面には、足前部領域の足前部パッド凹領域と、中足部領域およびかかと領域に沿った安定用クレードル凹領域１６０５が画成される。さらに、基部１６０２の下面には、土踏まず領域に沿って外へと延びる１若しくはそれ以上のリブまたは突出部１６３２が画成される。リブ１６３２は、好ましくは、楔状骨の周囲においてより長く、楔状骨から遠位端部方向および基部方向に進むにつれて次第に短くなり、放物線状の全体形状を生み出している。別の実施形態は、安定用クレードル１６０６によって定められ、土踏まず領域において安定用クレードル１６０６から外へと延びるリブまたは突出部を有する。
【０５８８】
基部１６０２は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０５８９】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。足前部パッドが、足前部パッド凹領域と基本的に同じに形作られ、足前部パッド凹領域に固定される。
【０５９０】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０５９１】
安定用クレードル１６０６は、基部１６０２の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。
【０５９２】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物との交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０５９３】
安定用クレードル１６０６には、好ましくは、１若しくはそれ以上のリブ状の開口部１６３１が画成される。好ましい実施形態において、リブ状の開口部１６３１は、基部１６０２の前記リブ１６３２がリブ状の開口部１６３１を通って延びることを可能にする。好ましくは、基部１６０２が、リブ１６３２がリブ状の開口部１６３１へと突出するように成形されることで、リブ１６３２が安定用クレードル１６０６の外面とほぼ同一面になり、安定用クレードル１６０６と基部１６０２とを一体に機械的に係止する。好都合には、リブ１６３２が、基部１６０２が（例えば、歩行またはランニング中に）圧縮されたときにリブ状の開口部１６３１を通って張り出し、足の土踏まずにさらなるクッションおよびサポートをもたらすこともできる。好ましくは、前記リブ１６３２は、外へと約０．５０ｍｍ〜１．５ｍｍ延び、約４ｍｍの幅を有する。リブ状の開口部１６３１は、安定用クレードル１６０６が土踏まず領域において安定用クレードル１６０６の他の部分と比べてより柔軟になることを可能にする。
【０５９４】
別の実施形態においては、安定用クレードル１６０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０５９５】
安定用クレードル１６０６には、第３〜第５中足骨頭の背後から基部側へと立方骨の後ろまで延びる外側中足部ポッド開口部が画成される。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域１６０５内の基部１６０２の下面に固定される。
【０５９６】
さらに、安定用クレードル１６０６には、外側中足部ポッド開口部のほぼ後方からかかと側端部に向かって安定用クレードル１６０６のかかと領域の外側を貫いて延びる外側かかとポッド開口部が画成される。外側かかとポッド１６１４が、基本的に外側かかとポッド開口部と同じに形作られ、外側かかとポッド開口部に相関し、外側かかとポッド１６１４が前記外側かかとポッド開口部を通って延出することを可能にする位置において、安定用クレードル凹領域１６０５内の基部１６０２の下面に固定される。
【０５９７】
安定用クレードル１６０６には、かかと側端部にわずかに届かない基部１６０２の下面のかかと領域の内側に沿ってかかと領域を貫いて延びている内側かかとポッド開口部が画成される。内側かかとポッド１６１６が、基本的に内側かかとポッド開口部と同じに形作られ、内側かかとポッド開口部に相関し、内側かかとポッド１６１６が前記内側かかとポッド開口部を通って延出することを可能にする位置において、安定用クレードル凹領域１６０５内の基部１６０２の下面に固定される。
【０５９８】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。好ましくは、足前部パッド凹領域１６０７は、第１および第２中足骨の間に位置する後端を有する。
【０５９９】
図１６Ｂ−７は、図１６Ｂ−２において特定されるとおりの断面１６Ｂ−７を示している。中敷き１６００は、好ましくは、上部シート１６０１と、基部１６０２とを有し、基部１６０２は、前記上部シート１６０１へと固定される上面と、反対側の下面とを有している。基部１６０２の下面には、足前部パッド凹領域と、安定用クレードル凹領域が画成される。
【０６００】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６２６は、安定用クレードル凹領域１６０５と基本的に同じに形作られ、基部対向面と靴対向面とを有する。基部対向面は、前記安定用クレードル凹領域１６０５へと固定される。安定用クレードル１６０６は、基部１６０２の側面および後部を包んで足にサポートを提供する壁を有する。
【０６０１】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０６０２】
さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【０６０３】
安定用クレードル１６０６には、かかと側端部にわずかに届かない基部１６０２の下面のかかと領域の内側に沿ってかかと領域を貫いて延びている内側かかとポッド開口部１６１５が画成される。内側かかとポッド１６１６が、基本的に内側かかとポッド開口部１６１５と同じに形作られ、内側かかとポッド開口部１６１５に相関し、内側かかとポッド１６１６が前記内側かかとポッド開口部１６１５を通って延出することを可能にする位置において、安定用クレードル凹領域１６０５内の基部１６０２の下面に固定される。内側かかとポッド１６１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０６０４】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０６０５】
図１６Ｂ−９および１６Ｂ−８は、それぞれ図１６Ｂ−２において特定されるとおりの断面１６Ｂ−９および１６Ｂ−８を示している。中敷き１６００は、好ましくは、上部シート１６０１と、基部１６０２とを有し、基部１６０２は、前記上部シート１６０１へと固定される上面と、反対側の下面とを有している。基部１６０２の下面には、足前部パッド凹領域と、安定用クレードル凹領域が画成される。
【０６０６】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６１６は、安定用クレードル凹領域１６０５と基本的に同じに形作られ、基部対向面と靴対向面とを有する。基部対向面は、前記安定用クレードル凹領域１６０５へと固定される。安定用クレードル１６０６は、基部１６０２の側面および後部を包んで足にサポートを提供する壁を有する。
【０６０７】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０６０８】
安定用クレードル１６０６には、好ましくは、１若しくはそれ以上のリブ状の開口部１６３１が画成される。好ましい実施形態において、リブ状の開口部１６３１は、基部１６０２の前記リブ１６３２がリブ状の開口部１６３１を通って延びることを可能にする。好ましくは、基部１６０２が、リブ１６３２がリブ状の開口部１６３１へと突出するように成形されることで、リブ１６３２が安定用クレードル１６０６の外面とほぼ同一面になり、安定用クレードル１６０６と基部１６０２とを一体に機械的に係止する。好都合には、リブ１６３２が、基部１６０２が（例えば、歩行またはランニング中に）圧縮されたときにリブ状の開口部１６３１を通って張り出し、足の土踏まずにさらなるクッションおよびサポートをもたらすこともできる。好ましくは、前記リブ１６３２は、外へと約０．５０ｍｍ〜１．５ｍｍ延び、約４ｍｍの幅を有する。リブ状の開口部１６３１は、安定用クレードル１６０６が土踏まず領域において安定用クレードル１６０６の他の部分と比べてより柔軟になることを可能にする。
【０６０９】
別の実施形態においては、安定用クレードル１６０６には、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０６１０】
安定用クレードル１６０６には、第３〜第５中足骨頭の背後から基部側へと立方骨の後ろまで延びる外側中足部ポッド開口部１６１１が画成される。外側中足部ポッド開口部１６１１の長さは、好ましくは、中足部の外側面にクッションをもたらすために充分である。外側中足部ポッド１６１２が、基本的に外側中足部ポッド開口部１６１１と同じに形作られ、外側中足部ポッド開口部１６１１に相関し、外側中足部ポッド１６１２が前記外側中足部ポッド開口部１６１１を通って延出することを可能にする位置において、安定用クレードル凹領域内の基部１６０２の下面に固定される。
【０６１１】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０６１２】
図１６Ｂ−１０は、図１６Ｂ−２において特定されるとおりの断面１６Ｂ−１０を示している。中敷き１６００は、好ましくは、上部シート１６０１と、基部１６０２とを有し、基部１６０２は、前記上部シート１６０１へと固定される上面と、反対側の下面とを有している。基部１６０２の下面には、足前部パッド凹領域と、安定用クレードル凹領域が画成される。
【０６１３】
安定用クレードル凹領域１６０５は、基部１６０２の下面の中足部領域およびかかと領域に位置する。安定用クレードル凹領域１６０５は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域１６０５と基本的に同じに形作られ、基部対向面と靴対向面とを有する。基部対向面は、前記安定用クレードル凹領域１６０５へと固定される。
【０６１４】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの交換が、トライアスロンのイベントおよび練習の活動において、きわめて一般的に行われる。したがって、これらの小面化されたテクスチャは、この特定の用途におけるこれらの中敷きの使用法および性能を大きく改善する。
【０６１５】
好ましい実施形態において、基部１６０２は、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０６１６】
好ましくは、基部の上面には、足の中足骨頭領域の下方に位置する上方へと延びている部分または幅方向のアーチ支持部１６３８が画成される。幅方向のアーチ支持部１６３８の上方への延びは、上部シート１６０１のうちの幅方向のアーチ支持部１６３８の領域に対応する部分を押し上げる。
【０６１７】
幅方向のアーチ支持部１６３８は、好ましくは、第２〜第４中足骨頭の下方に位置する。幅方向のアーチ支持部１６３８は、足前部および足の中央に追加の安定性を提供する。
【０６１８】
図１６Ｃ−１〜１６Ｃ−８は、安定用クレードル１６０６の内側の側面図、底面図、外側の側面図、後面図、および４つの断面図を示している。安定用クレードル凹領域が、基部の下面の中足部領域およびかかと領域に位置する。安定用クレードル凹領域は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードル１６０６は、安定用クレードル凹領域と基本的に同じに形作られ、基部対向面と靴対向面とを有する。基部対向面は、前記安定用クレードル凹領域へと固定される。
【０６１９】
安定用クレードル１６０６は、基部の側面および後部を包んで足にサポートを提供する壁を有する。好ましくは、安定用クレードル１６０６は、厚さが約０．５ｍｍ〜３ｍｍの範囲であり、壁が、約３ｍｍから約０．５ｍｍへと先細りである。安定用クレードル１６０６の側面は、好ましくは、足の内側において、荷重がより大きいがゆえにより高い。好ましくは、安定用クレードル１６０６は、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０６２０】
好ましくは、安定用クレードル１６０６の靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換、またはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０６２１】
安定用クレードル１６０６には、好ましくは、１若しくはそれ以上のリブ状の開口部１６３１が画成される。好ましい実施形態において、リブ状の開口部１６３１は、基部のリブがリブ状の開口部１６３１を通って延びることを可能にする。好都合には、リブが、基部が（例えば、歩行またはランニング中に）圧縮されたときにリブ状の開口部１６３１を通って張り出し、足の土踏まずにさらなるクッションおよびサポートをもたらすこともできる。リブ状の開口部１６３１は、安定用クレードル１６０６が土踏まず領域において安定用クレードル１６０６の他の部分と比べてより柔軟になることを可能にする。
【０６２２】
安定用クレードル１６０６には、第３〜第５中足骨頭の背後から基部側へと立方骨の後ろまで延びる外側中足部ポッド開口部１６１１が画成される。外側中足部ポッド開口部１６１１の長さは、好ましくは、中足部の外側面にクッションをもたらすために充分である。外側中足部ポッド開口部１６１１は、外側中足部ポッドが外側中足部ポッド開口部１６１１を通って延びることを可能にするように設計される。
【０６２３】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０６２４】
さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド開口部１６１３は、中敷きの外側境界部に沿って、前記かかと側端部から前記外側中足部ポッド開口部１６１１から離れて位置する外側かかと縁部まで延びる外側縁部を有する。外側縁部は、中敷きのかかと側端部の外形に倣うようにかかとの領域において湾曲している。外側かかとポッド開口部１６１３は、内側曲線縁部をさらに有する。全体構成は、大まかには直線よりもむしろ上述の湾曲した縁部を有する多面の幾何学的形状である。外側かかとポッド開口部１６１３は、外側かかとポッドが外側かかとポッド開口部１６１３を通って延びることを可能にするように設計される。
【０６２５】
内側かかとポッド開口部１６１５が、かかと側端部にわずかに届かない基部１６０２の下面のかかと領域の内側に沿ってかかと領域を貫いて延びている。内側かかとポッド開口部１６１５は、基本的に豆ざや形状を有し、第１の遠位端部側先端および第２の基部側先端において互いに接続された内側縁部および外側縁部を有する。縁部は、前記内側かかとポッド開口部を画成するように互いに反対方向に広がっている。内側かかとポッド開口部１６１５は、内側かかとポッドが内側かかとポッド開口部１６１５を通って延びることを可能にするように設計される。
【０６２６】
安定用クレードル１６０６は、回内の量の制御に役立つように、足の内側部分に沿って堅固な支持を提供する。
【０６２７】
図１６Ｃ−１〜１６Ｃ−５は、外側中足部ポッド、内側かかとポッド、および外側かかとポッドの底面図および側面図、ならびに内側かかとポッドおよび外側かかとポッドの断面図を示している。
【０６２８】
図１６Ｄ−１〜１６Ｄ−５は、中敷きのパッド１６１２、１６１４、および１６１６の内側の側面図、底面図、外側の側面図、斜視図、および１つの断面図を示している。さらに、安定用クレードル１６０６には、外側中足部ポッド開口部１６１１のほぼ後方からかかと側端部に向かって安定用クレードル１６０６のかかと領域の外側を貫いて延びる外側かかとポッド開口部１６１３が画成される。外側かかとポッド１６１４が、基本的に外側かかとポッド開口部１６１３と同じに形作られ、外側かかとポッド開口部１６１３に相関し、外側かかとポッド１６１４が前記外側かかとポッド開口部１６１３を通って延出することを可能にする位置において、安定用クレードル凹領域１６０５内の基部１６０２の下面に固定される。外側かかとポッド１６１４は、中敷き１６００の外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッド１６１４は、内側曲線縁部をさらに有する。全体構成は、大まかには直線よりもむしろ上述の湾曲した縁部を有する多面の幾何学的形状である。
【０６２９】
外側かかとポッド１６１４の構成、材料、および位置が、クッションを提供し、内側かかとポッド１６１５との協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部１６０２の外側かかとポッド開口部１６１３において基部１０２へと固定される。この布地部品は、ＴＰＲの基部１６０２への適切な接着を可能にする。
【０６３０】
安定用クレードル１６０６には、かかと側端部にわずかに届かない基部１６０２の下面のかかと領域の内側に沿ってかかと領域を貫いて延びている内側かかとポッド開口部１６１５が画成される。内側かかとポッド１６１６が、基本的に内側かかとポッド開口部１６１５と同じに形作られ、内側かかとポッド開口部１６１５に相関し、内側かかとポッド１６１６が前記内側かかとポッド開口部１６１５を通って延出することを可能にする位置において、安定用クレードル凹領域１６０５内の基部１６０２の下面に固定される。内側かかとポッド１６１６は、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０６３１】
内側かかとポッド１６１６は、好ましくは、ＡＳＫＥＲ  Ｃ硬度が約６０±３であるＴＰＲまたはＰＵから作られる。ＴＰＲが使用される場合、次に布地が、前記基部１６０２の内側かかとポッド開口部１６１５において基部１０２へと固定される。この布地部品は、ＴＰＲの基部１６０２への適切な接着を可能にする。
【０６３２】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッド１６１４は、踵骨（かかと骨）の後ろかつ外側に沿って配置され、安定用クレードル１６０６の下方を外側へと延びる。好ましくは、外側かかとポッド１６１４は、適切なクッション性を有する材料で製作され、意図される活動の種類にもとづいて選択される。
【０６３３】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる可能性がある。
【０６３４】
安定用クレードル１６０６は、回内の量の制御に役立つように、足の内側部分に沿って堅固な支持を提供する。内側かかとポッド１６１６が、内側かかとポッド１６１６を外側かかとポッド１６１４とは異なる特性を有する材料から形成することによって、回内の速度の制御に役立つ。例えば、回内の速度を下げるために、内側かかとポッド１６１６は、外側かかとポッド１６１４よりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッド１６１６は、より柔らかい材料で作られた外側かかとポッド１６１４と比べて圧縮されないと考えられる。結果として、内側かかとポッド１６１６が、回内に抵抗または対抗する傾向を有し、したがって回内の程度および速度を減らすのに役に立つ。反対に、内側かかとポッド１６１６を外側かかとポッド１６１４よりも柔らかい材料から製作することが、回内の量および速度を増す傾向にあると考えられる。
【０６３５】
好ましくは、内側かかとポッド１６１６に使用される材料の堅固さは、外側かかとポッド１６１４の堅固さおよび意図される活動の種類にもとづいて選択される。例えば、外側かかとポッド１６１４および内側かかとポッド１６１６の堅固さは、軽度〜中程度の活動の際に使用される中敷きにおいて、約２０〜３０％異なる。
【０６３６】
重いバックパックまたは他の物品の携行は、かかと接地の最中および後の足への荷重および回内の速度を大きく増加させる。したがって、内側かかとポッド１６１６が、バックパッキングの際に使用されるように設計された中敷きにおいては大幅に堅固に作られる。例として、そのような活動に関しては、約２０〜４０％という堅固さの差が、より適切である。
【０６３７】
外側中足部ポッド１６１２は、一歩のうちの中間姿勢部分において足の外側にクッションおよび制御をもたらす。典型的には、外側中足部ポッド１６１２は、外側かかとポッド１６１４と同じ特性、例えば堅固さを有する材料で形成される。しかしながら、異なる特性を有する材料も、使用可能である。
【０６３８】
図１６Ｄ−１〜１６Ｄ−４は、足前部パッドの底面図、側面図、断面図、および斜視図を示している。
【０６３９】
図１６Ｅ−１〜１６Ｅ−４は、足前部パッド１６０８の内側の側面図、底面図、断面図、および斜視図を示している。足前部パッド１０８は、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。足前部パッド１６２０、外側中足部ポッド１６２１、外側かかとポッド１６２２、および内側かかとポッド１６２３は、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターン１６２０は、深さが約０．７５ｍｍである。好ましくは、外側中足部および外側かかとの交差溝パターン１６２１および１６２２は、深さが約１．００〜３．００ｍｍである。好ましくは、内側かかとの交差溝パターン１６２３は、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【０６４０】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０６４１】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０６４２】
好ましい実施形態において、基部１６０２は、中敷きのつま先領域からかかと領域まで、好ましくは水ぶくれの可能性を最小限にするための低い摩擦係数を有する不織布の層である上部シート１６０１で覆われる。好ましくは、上部シート１６０１は、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０６４３】
中敷きは、好ましくは、上部シートと、基部とを有し、基部は、前記上部シートへと固定される上面と、反対側の下面とを有している。さらに、基部は、中敷きの内側に沿って上方へと延び、足の土踏まず領域に追加のクッションおよび支持を提供する長手方向のアーチ支持部をさらに定めている。
【０６４４】
好ましくは、基部の上面には、足の中足骨頭領域の下方に位置する上方へと延びている部分または幅方向のアーチ支持部が画成される。幅方向のアーチ支持部の上方への延びは、上部シートのうちの幅方向のアーチ支持部の領域に対応する部分を押し上げる。
【０６４５】
基部の下面には、足前部領域の足前部パッド凹領域と、中足部領域およびかかと領域に沿った安定用クレードル凹領域が画成される。さらに、基部の下面には、土踏まず領域に沿って外へと延びる１若しくはそれ以上のリブまたは突出部が画成される。リブは、好ましくは、楔状骨の周囲においてより長く、楔状骨から遠位端部方向および基部方向に進むにつれて次第に短くなり、放物線状の全体形状を生み出している。別の実施形態は、安定用クレードルによって定められ、土踏まず領域において安定用クレードルから外へと延びるリブまたは突出部を有する。
【０６４６】
基部は、中敷きが足の自然の形状に一致するかかとカップを有するように、かかとを包み込み、足の側面に沿って部分的に延びる立ち上がった縁部を有する。立ち上がった縁部の高さは、通常は、中敷きの内側においてより高くかつより厚く、中敷きの外側においてより低くかつより薄い。
【０６４７】
足前部パッド凹領域は、足の基節骨の遠位端部の付近において、中敷きのつま先側端部から或る程度基部側において始まる。足前部パッド凹領域は、外側部分において第３〜第５中足骨頭の辺りまで後方へと延び、内側部分において第１および第２中足骨に沿ってほぼ中間まで後方へと延びている。好ましくは、足前部パッド凹領域は、第１および第２中足骨の間に位置する後端を有する。
【０６４８】
足前部パッドが、足前部パッド凹領域と基本的に同じに形作られ、足前部パッド凹領域に固定される。足前部パッドは、内側縁部と、外側縁部と、基部側縁部（後ろ側縁部）と、遠位端部側縁部（前側縁部）とを有する。足前部パッドの内側縁部は、前記中敷きの前記内側境界部から外側へと離れて位置する線に沿って延びている。基部側縁部は、前記内側縁部から外側および基部側へと前記後端まで延び、第３中足骨頭に向かって外側および遠位端部側へと延び、次いで第３〜第５中足骨頭にほぼ沿って外側縁部まで外側および基部側へと延びている。外側縁部は、前記足前部パッドの前記基部側縁部を前記先端縁部へと接続している。使用時に、足前部パッド凹領域および足前部パッドは、ユーザの足の第１中足骨頭または内側球を除くユーザの足の親指および足の「母指球」の下方に位置する。
【０６４９】
接着剤が、部品を固定するために使用される。足前部パッドは、垂直跳びからの着地時にクッション性およびエネルギの戻りをもたらす。足前部パッド５０８は、ユーザの足の中足骨頭、とりわけ第１および第２中足骨頭のための推進パッドおよびサポートとして機能する。
【０６５０】
安定用クレードル凹領域は、基部の下面の中足部領域およびかかと領域に位置する。安定用クレードル凹領域は、基部の内側境界部に近い内側縁部から外側境界部に近い外側縁部まで延び、かつ基部の足前部凹領域のわずかに基部側の遠位端部側縁部からかかと側端部に近い基部側縁部まで延びている。遠位端部側縁部の内側部分は、足趾離地時の第１中足骨の下方への運動に適応するような形状に形成される。安定用クレードルは、安定用クレードル凹領域と基本的に同じに形作られ、基部対向面と靴対向面とを有する。基部対向面は、前記安定用クレードル凹領域へと固定される。
【０６５１】
安定用クレードルは、基部の側面および後部を包んで足にサポートを提供する壁を有する。好ましくは、安定用クレードルは、厚さが約０．５ｍｍ〜３ｍｍの範囲であり、壁が、約３ｍｍから約０．５ｍｍへと先細りである。安定用クレードルの側面は、好ましくは、足の内側において、荷重がより大きいがゆえにより高い。好ましくは、安定用クレードルは、ショア（Ｓｈｏｒｅ）  Ａ硬度が約９５であるナイロン材料で製作される。好ましい実施形態において、安定用クレードルは、半剛体である。別の実施形態において、安定用クレードルは、剛体である。
【０６５２】
好ましくは、安定用クレードルの靴対向面は、「小面化された」表面のテクスチャを有する。このテクスチャを有する小面化された表面は、ユーザの足が靴へと出し入れされるときに「動かないでいる」という中敷きの能力を向上させる。靴およびランニングギアの他の履き物への交換または取り替え、あるいはその逆が、トライアスロンのイベントおよび練習の活動において、きわめて一般的に行われる。したがって、これらの小面化されたテクスチャは、これらの取り替えまたは交換の行為の際に中敷きが靴から出されようとする動きに抵抗することを可能にすることによって、この特定の用途におけるこれらの中敷きの使用法および性能を大きく改善する。小面化された設計は、靴の空洞に位置したときに中敷きの内部機能の程度を（小面化されておらず、あるいは平滑な安定用クレードルと比べて、５０％も）増すことによって、中敷きの移動を防止し、あるいは中敷きが靴の空洞から出ることを防止する。
【０６５３】
安定用クレードルには、好ましくは、１若しくはそれ以上のリブ状の開口部が画成される。好ましい実施形態において、リブ状の開口部は、基部の前記リブがリブ状の開口部を通って延びることを可能にする。好ましくは、基部が、リブがリブ状の開口部へと突出するように成形されることで、リブが安定用クレードルの外面とほぼ同一面になり、安定用クレードルと基部とを一体に機械的に係止する。好都合には、リブが、基部が（例えば、歩行またはランニング中に）圧縮されたときにリブ状の開口部を通って張り出し、足の土踏まずにさらなるクッションおよびサポートをもたらすこともできる。好ましくは、前記リブは、外へと約０．５０ｍｍ〜１．５ｍｍ延び、約４ｍｍの幅を有する。リブ状の開口部は、安定用クレードルが土踏まず領域において安定用クレードルの他の部分と比べてより柔軟になることを可能にする。
【０６５４】
別の実施形態においては、安定用クレードルには、開口部の代わりに１若しくはそれ以上の突出するリブが形成される。突出するリブは、土踏まず領域に沿って外へと延びる。突出するリブは、楔状骨の周囲においてより長く、楔状骨から遠位端部方向および基部方向に進むにつれて次第に短くなり、放物線状の全体形状を生み出している。突出するリブは、外へと約０．５０ｍｍ延びている。
【０６５５】
安定用クレードル１０６には、第３〜第５中足骨頭の背後から基部側へと立方骨の後ろまで延びる外側中足部ポッド開口部が画成される。外側中足部ポッド開口部の長さは、好ましくは、中足部の外側面にクッションをもたらすために充分である。外側中足部ポッドが、基本的に外側中足部ポッド開口部と同じに形作られ、外側中足部ポッド開口部に相関し、外側中足部ポッドが前記外側中足部ポッド開口部を通って延出することを可能にする位置において、安定用クレードル凹領域内の基部の下面に固定される。
【０６５６】
外側中足部ポッドは、好ましくは、ＡＳＫＥＲ  Ｃ硬度が約４５〜５０であるＴＰＲまたはＰＵから作られる。ＴＰＲが使用される場合、次に布地が、前記基部の外側中足部ポッド開口部において基部へと固定される。この布地部品は、ＴＰＲの基部への適切な接着を可能にする。
【０６５７】
さらに、安定用クレードルには、外側中足部ポッド開口部のほぼ後方からかかと側端部に向かって安定用クレードルのかかと領域の外側を貫いて延びる外側かかとポッド開口部が画成される。外側かかとポッドが、基本的に外側かかとポッド開口部と同じに形作られ、外側かかとポッド開口部に相関し、外側かかとポッドが前記外側かかとポッド開口部を通って延出することを可能にする位置において、安定用クレードル凹領域内の基部の下面に固定される。外側かかとポッドは、中敷きの外側境界部に沿って、前記かかと側端部から前記外側中足部ポッドから離れて位置する外側かかと縁部まで延びる外側縁部を有する。外側縁部は、中敷きのかかと側端部の外形に倣うようにかかとの領域において湾曲している。外側かかとポッドは、内側曲線縁部をさらに有する。全体構成は、大まかには直線よりもむしろ上述の湾曲した縁部を有する多面の幾何学的形状である。
【０６５８】
外側かかとポッドの構成、材料、および位置が、クッションを提供し、内側かかとポッドとの協働において足首を安定させるように機能する。外側かかとポッドの硬さは、好ましくは、外側中足部ポッドと基本的に同じであり、協調して外側への足首の倒れの発生を減らすのに役に立つ。好ましくは、ショア（Ｓｈｏｒｅ）  Ｃ硬度が約４５〜５０のＴＰＲまたはＰＵで製作される。ＴＰＲが使用される場合、次に布地が、前記基部の外側かかとポッド開口部において基部へと固定される。この布地部品は、ＴＰＲの基部への適切な接着を可能にする。
【０６５９】
本発明の原理によれば、クッション性のコアまたは基部が、比較的硬質の安定用クレードルおよびいくつかのエラストマポッドと組み合わせられ、クッション性、安定性、および制御をもたらす中敷きを形成する。各々のポッドは、異なる硬度を有することができ、外側中足部ポッドと、内側かかとポッドと、外側かかとポッドとを含む３つのポッドが存在する。ポッドを、ポッドのサイズ、形状、および材料特性を変えることによって調節し、回内の過剰／不足および回外の過剰／不足の問題、ならびに足の動きに関する他の問題に対処することができる。ポッドは、かかとパッド領域において分かれており、中足部およびかかとパッドは、靴におけるより良好なクッション性および摩擦グリップのために、底面に溝によるパターンを有する。
【０６６０】
安定用クレードルには、かかと側端部にわずかに届かない基部の下面のかかと領域の内側に沿ってかかと領域を貫いて延びている内側かかとポッド開口部が画成される。内側かかとポッドが、基本的に内側かかとポッド開口部と同じに形作られ、内側かかとポッド開口部に相関し、内側かかとポッドが前記内側かかとポッド開口部を通って延出することを可能にする位置において、安定用クレードル凹領域内の基部１０２の下面に固定される。内側かかとポッドは、基本的に豆ざや形状を有し、第１の遠位端部側先端および第２の基部側先端において互いに接続された内側縁部および外側縁部を有する。縁部は、前記内側かかとポッドを画成するように互いに反対方向に広がっている。
【０６６１】
内側かかとポッドは、好ましくは、ＡＳＫＥＲ  Ｃ硬度が約６０±３であるＴＰＲまたはＰＵから作られる。ＴＰＲが使用される場合、次に布地が、前記基部の内側かかとポッド開口部において基部へと固定される。この布地部品は、ＴＰＲの基部への適切な接着を可能にする。
【０６６２】
足の地面との接触は、一般に、かかと接地、中足部による支持、および足趾離地という３つの段階に分けられる。かかと接地の際に、足のかかとが、かなりの力で地面に衝突する。衝突にクッションをもたらすために、外側かかとポッドは、踵骨（かかと骨）の後ろかつ外側に沿って配置され、安定用クレードルの下方を外側へと延びる。好ましくは、外側かかとポッドは、適切なクッション性を有する材料で製作され、意図される活動の種類にもとづいて選択される。
【０６６３】
かかとの地面との初期の衝突に続いて、足がねじれ、あるいは回内し、かかとの内側が地面に接触する。足は、回内の量ならびに回内の発生の速度に敏感である。回内は自然であり、歩行またはランニングの際の足へのストレスおよび力を吸収するように働くため、或る程度の回内が望ましい。しかしながら、回内の量または速度が過大であると、怪我につながる可能性がある。
【０６６４】
安定用クレードルは、回内の量の制御に役立つように、足の内側部分に沿って堅固な支持を提供する。内側かかとポッドが、内側かかとポッドを外側かかとポッドとは異なる特性を有する材料から形成することによって、回内の速度の制御に役立つ。例えば、回内の速度を下げるために、内側かかとポッドは、外側かかとポッドよりも堅固な材料から製作される。より堅固、またはより硬質の材料は、同じ荷重のもとでより柔らかい材料ほどには圧縮されず、あるいはより柔らかい材料ほど速くは圧縮されない。したがって、より堅固な材料から作られた内側かかとポッドは、より柔らかい材料で作られた外側かかとポッドと比べて圧縮されないと考えられる。結果として、内側かかとポッドが、回内に抵抗または対抗する傾向を有し、したがって回内の程度および速度を減らすのに役に立つ。反対に、内側かかとポッドを外側かかとポッドよりも柔らかい材料から製作することが、回内の量および速度を増す傾向にあると考えられる。
【０６６５】
好ましくは、内側かかとポッドに使用される材料の堅固さは、外側かかとポッドの堅固さおよび意図される活動の種類にもとづいて選択される。例えば、外側かかとポッドおよび内側かかとポッドの堅固さは、軽度〜中程度の活動の際に使用される中敷きにおいて、約２０〜３０％異なる。
【０６６６】
重いバックパックまたは他の物品の携行は、かかと接地の最中および後の足への荷重および回内の速度を大きく増加させる。したがって、内側かかとポッドが、バックパッキングの際に使用されるように設計された中敷きにおいては大幅に堅固に作られる。例として、そのような活動に関しては、約２０〜４０％という堅固さの差が、より適切である。
【０６６７】
外側中足部ポッドは、一歩のうちの中間姿勢部分において足の外側にクッションおよび制御をもたらす。典型的には、外側中足部ポッドは、外側かかとポッドと同じ特性、例えば堅固さを有する材料で形成される。しかしながら、異なる特性を有する材料も、使用可能である。
【０６６８】
二重密度のかかとポッドの使用が、足首の安定を促進すべく足の機能に動態変化を生じさせるために採用される。種々の関節のモーメントまたは足首の横転に対処するために、外側かかとポッドおよび／または外側中足部ポッドあるいはこれらの任意の組み合わせよりも柔らかい内側かかとポッドを有することも、本発明の技術的範囲に包含される。
【０６６９】
一歩のうちの推進または足趾離地の段階の始まりにおいて、かかとが地面から持ち上げられ始め、重量が母指球へと移動する。足前部パッドが、足のこの部分の下方に位置する。好ましくは、足前部パッドは、足前部パッドの圧縮に投入されたエネルギが足趾離地の際に足の前進を助けるべく戻されるように、比較的弾性的な材料で形成される。
【０６７０】
足趾離地の際に、第１中足骨が、下方へと自然に曲がる。第１中足骨のこの自然な下方への屈曲が妨げられると、足の土踏まずが平たくなり、足が過度に回内し、足首および膝へのストレスが増加する。下方への屈曲を受け入れるために、足前部パッドの内側部分は、安定用クレードルの遠位端部側縁部の対応する凹状の縁部部分へと後方に延びている。安定用クレードルおよび足前部パッドの形状が、第１中足骨がより自然に曲がることを許すことで、足趾離地の際に親指へと荷重が加わるように促進する。
【０６７１】
基部は、好ましくは発泡体または適切なクッション性を有する他の材料で製作される。好ましくは、基部は、エチレンおよび酢酸ビニルの共重合体であるエチレン酢酸ビニル（「ＥＶＡ」）発泡体、あるいは熱可塑性ゴム（「ＴＰＲ」）／ＥＶＡ混合物を有する。好ましいＥＶＡまたはＴＰＲ／ＥＶＡ混合物は、Ａｓｋｅｒ  Ｃで約４５〜５０というデュロメータ（硬度）を有する。
【０６７２】
足前部パッドは、好ましくは熱可塑性ゴム（「ＴＰＲ」）またはポリウレタン（「ＰＵ」）から作られる。足前部パッドに使用されるＴＰＲまたはＰＵの硬度は、好ましくはＡｓｋｅｒ  Ｃで約３０±３である。
【０６７３】
足前部パッド、外側中足部ポッド、外側かかとポッド、および内側かかとポッドは、ポッドまたはパッドの下面に交差溝パターンを備えて構成される。交差溝パターンは、ポッド／パッドの表面に空隙を導入する。そのような空隙および交差溝パターンは、各々のポッドおよびパッドの衝撃吸収特性にプラスの影響を及ぼす。また、所望のクッション機能を依然として提供しつつ、材料の使用を少なくすることを可能にし、したがってより軽量な中敷きを可能にする。好ましくは、足前部の交差溝パターンは、深さが約０．７５ｍｍである。好ましくは、外側中足部および外側かかとの交差溝パターンは、深さが約１．００〜３．００ｍｍである。好ましくは、内側かかとの交差溝パターンは、深さが約１．００〜２．５０ｍｍである。好ましくは、材料の圧縮特性ゆえに、ＴＰＲポッドが、より深い交差溝パターンを有し、ＰＵポッドが、より浅い交差溝パターンを有する。交差溝パターンは、靴の空洞における中敷きの固定を助け、中敷きを動き回ったり、滑ったりすることがないように所定の場所に保つ助けとなる。また、交差溝パターンは、空気の循環を可能にし、かつ／または異なるクッションおよびばね特性を提供する。
【０６７４】
男性のサイズ１１〜１２の中敷きにおいて、内側から外側への足前部パッドの幅は、約８５〜９５ｍｍである。高さは、約１００〜１１０ｍｍである。深さは、約０．９５〜１．５０ｍｍである。
【０６７５】
中敷きの構造的特徴と連携した材料の選択によって、中敷きの総重量を最小にすることが望ましい。中敷き（男性のサイズ１０／１１）の好ましい実施形態の総重量は、約４．０オンスであることが望ましい。中敷きの別の実施形態の総重量は、男性のサイズ１０／１１において約５．０〜６．０オンスであり、男性のサイズ１２／１３において約６．５〜７．５オンスであることが望ましい。他のサイズは、比例であると考えられる。交差溝パターンの設計の使用は、より軽量な中敷きの提供に役立つと考えられる。
【０６７６】
好ましい実施形態において、基部は、中敷きのつま先領域からかかと領域まで、好ましくは水ぶくれの可能性を最小限にするための低い摩擦係数を有する不織布の層である上部シートで覆われる。好ましくは、上部シートは、天然の供給源から得られる特別な低温ひすいを含む冷却用布地で作られる。布地におけるひすいの形態は、ひすい輝石である。好ましい実施形態において、布地は、水分バリアとの組み合わせにおいて臭いを発生させるバクテリアおよび菌を減らす抗菌剤で処理される。
【０６７７】
本発明の第１の好ましい実施形態において、下面において基部によって定められる凹領域内で基部へと固定される中敷きの種々の部品は、接着剤などの適切な手段を使用して基部に恒久的に取り付けられる。また、部品は、成形プロセスの際に中敷きの成形の分野の公知の技術を使用して固定される。
【０６７８】
凹領域を、基部面およびパッド／ポッド面を有しており、前記基部面に沿って前記基部へと固定され、前記パッド／ポッド面に沿って前記パッド／ポッドへと固定される布で覆うこともできる。あるいは、布がパッド／ポッドへと固定され、次いでこの複合構造が凹領域へと固定される。
【０６７９】
いくつかの靴は、靴の内部の寸法においてわずかに異なる可能性があり、靴の内部において提供される空間を変更する追加の詰め物を内壁に沿って備えることができる。基部は、ユーザが靴の内部に適切にフィットするように中敷きの長さを短くすることを可能にするサイズ調節ガイドを有することができ、サイズ調節ガイドは、ユーザが好ましくははさみで切断するであろう種々の切断案内線を提供する。
【０６８０】
図１６Ａ〜１６Ｄに示した寸法および測定値は、本明細書に取り入れられる第２の好ましい実施形態の寸法および測定値である。
【０６８１】
本発明の好ましい実施形態を図示および説明したが、その改良を、当業者であれば、本発明の技術的思想および教示から離れることなく行うことができる。本明細書において説明した実施形態は、あくまでも例示にすぎず、本発明を限定しようとするものではない、  本明細書に開示した本発明の多数の変種および改良が可能であり、本発明の技術的範囲に包含される。
【図１】
2016530042.tif 000003
【図２】
2016530042.tif 000004
【図３Ａ】
2016530042.tif 000005
【図３Ｂ】
2016530042.tif 000006
【図４】
2016530042.tif 000007
【図５】
2016530042.tif 000008
【図６】
2016530042.tif 000009
【図７】
2016530042.tif 000010
【図８】
2016530042.tif 000011
【図９】
2016530042.tif 000012
【図１０】
2016530042.tif 000013
【図１１】
2016530042.tif 000014
【図１２】
2016530042.tif 000015
【図１３】
2016530042.tif 000016
【図１４】
2016530042.tif 000017
【図１５Ａ】
2016530042.tif 000018
【図１５Ｂ−１】
2016530042.tif 000019
【図１５Ｂ−２】
2016530042.tif 000020
【図１５Ｂ−３】
2016530042.tif 000021
【図１５Ｂ−４】
2016530042.tif 000022
【図１５Ｂ−５】
2016530042.tif 000023
【図１５Ｂ−６】
2016530042.tif 000024
【図１５Ｂ−７】
2016530042.tif 000025
【図１５Ｂ−８】
2016530042.tif 000026
【図１５Ｂ−９】
2016530042.tif 000027
【図１５Ｂ−１０】
2016530042.tif 000028
【図１５Ｃ−１】
2016530042.tif 000029
【図１５Ｃ−２】
2016530042.tif 000030
【図１５Ｃ−３】
2016530042.tif 000031
【図１５Ｃ−４】
2016530042.tif 000032
【図１５Ｃ−５】
2016530042.tif 000033
【図１５Ｃ−６】
2016530042.tif 000034
【図１５Ｃ−７】
2016530042.tif 000035
【図１５Ｃ−８】
2016530042.tif 000036
【図１５Ｄ−１】
2016530042.tif 000037
【図１５Ｄ−２】
2016530042.tif 000038
【図１５Ｄ−３】
2016530042.tif 000039
【図１５Ｄ−４】
2016530042.tif 000040
【図１５Ｄ−５】
2016530042.tif 000041
【図１５Ｅ−１】
2016530042.tif 000042
【図１５Ｅ−２】
2016530042.tif 000043
【図１５Ｅ−３】
2016530042.tif 000044
【図１５Ｅ−４】
2016530042.tif 000045
【図１６Ａ−１】
2016530042.tif 000046
【図１６Ａ−２】
2016530042.tif 000047
【図１６Ａ−３】
2016530042.tif 000048
【図１６Ａ−４】
2016530042.tif 000049
【図１６Ａ−５】
2016530042.tif 000050
【図１６Ａ−６】
2016530042.tif 000051
【図１６Ａ−７】
2016530042.tif 000052
【図１６Ａ−８】
2016530042.tif 000053
【図１６Ａ−９】
2016530042.tif 000054
【図１６Ａ−１０】
2016530042.tif 000055
【図１６Ｂ−１】
2016530042.tif 000056
【図１６Ｂ−２】
2016530042.tif 000057
【図１６Ｂ−３】
2016530042.tif 000058
【図１６Ｂ−４】
2016530042.tif 000059
【図１６Ｂ−５】
2016530042.tif 000060
【図１６Ｂ−６】
2016530042.tif 000061
【図１６Ｂ−７】
2016530042.tif 000062
【図１６Ｂ−８】
2016530042.tif 000063
【図１６Ｃ−１】
2016530042.tif 000064
【図１６Ｃ−２】
2016530042.tif 000065
【図１６Ｃ−３】
2016530042.tif 000066
【図１６Ｃ−４】
2016530042.tif 000067
【図１６Ｃ−５】
2016530042.tif 000068
【図１６Ｄ−１】
2016530042.tif 000069
【図１６Ｄ−２】
2016530042.tif 000070
【図１６Ｄ−３】
2016530042.tif 000071
【図１６Ｄ−４】
2016530042.tif 000072
【国際調査報告】
2016530042.tif 000073
2016530042.tif 000074
2016530042.tif 000075